(57)【特許請求の範囲】
【請求項１】
遊技に関する制御を行う制御基板と、
相互に組み合わされることにより内部空間を区画形成する複数のケース構成体を有し、前記内部空間に前記制御基板を収容してなる基板ケースと、
前記基板ケースに設けられ、当該基板ケースにおいて前記内部空間を区画形成している本体部から同本体部の外側へ突出する突出部と、
前記基板ケースに対して着脱可能に取り付けられ、前記突出部を覆うカバー部と、
前記カバー部の前記基板ケースからの取り外しを規制する規制状態、及び同規制を解除する解除状態に切替可能な取外規制手段と、
前記基板ケースにおける第１位置に配置されることにより前記ケース構成体同士を結合しているとともに、前記基板ケースから取り外されることで前記結合を解除した後、前記第１位置とは異なる第２位置に配置されることにより前記取外規制手段を前記規制状態から前記解除状態に切り替える結合部材と、
前記突出部に設けられているとともに前記カバー部によって覆われており、前記結合部材が前記基板ケースから取り外され同結合部材が前記第２位置に配置されることで前記取外規制手段が前記解除状態となり前記基板ケースから前記カバー部が取り外される過程にて破壊されることにより痕跡を残存させる痕跡部と
を備えていることを特徴とする遊技機。
【請求項２】
前記カバー部には、同カバー部の内外に貫通し、前記第２位置へ前記結合部材が配置される場合に当該カバー部の外側から同結合部材が挿入される挿入部が形成されており、
前記結合部材は、前記挿入部に挿入される軸部を有し、当該軸部の周面に結合部材側溝部が形成されたネジ部材であり、
前記挿入部の内壁面には、前記結合部材側溝部と係合する挿入部側溝部が形成されており、
前記挿入部及び前記結合部材は、同結合部材が前記挿入部に挿入された状態にて回動されることにより前記カバー部の内方に移動して同挿入部から当該結合部材が突出するように構成されており、
前記取外規制手段に設けられ、前記挿入部を通じて挿入された前記結合部材の溝部によって押圧されることで当該取外規制手段を前記解除状態とする受け部を有していることを特徴とする請求項１に記載の遊技機。
【請求項３】
前記受け部は、前記結合部材側溝部が通過する通過領域に当該受け部の一部が位置するとともに、前記軸部において前記結合部材側溝部が形成されていない部位が通過する通過領域との重なりが回避されるようにして形成されていることを特徴とする請求項２に記載の遊技機。
【請求項４】
前記結合部材側溝部は、前記軸部において前記結合部材の挿入方向先側の一端部を含んだ範囲に形成されており、
前記軸部において前記結合部材側溝部よりも他端部側となる範囲に設けられ、前記挿入部側溝部との係合を回避可能な回避部と、
前記受け部に設けられ、前記結合部材側溝部と係合する受け部側溝部を有するネジ孔と
を備え、
前記結合部材、前記挿入部及び前記受け部は、前記結合部材側溝部と前記受け部側溝部とが係合している状態にて同結合部材側溝部と前記挿入部側溝部との係合が回避され、又は前記結合部材側溝部と前記受け部側溝部との係合に先行して同結合部材側溝部と前記挿入部側溝部との係合が回避され、同結合部材の前記受け部側へのスライド移動が許容されるように構成されていることを特徴とする請求項２又は請求項３に記載の遊技機。
【請求項５】
前記軸部の軸線方向において前記結合部材側溝部が形成されている範囲は、当該結合部材側溝部が前記挿入部側溝部及び前記受け部側溝部の両者に対して同時に係合可能となるとともに、それら挿入部側溝部及び受け部側溝部のうち一方に対して係合可能ととなるように設定されていることを特徴とする請求項４に記載の遊技機。
【請求項６】
前記受け部において前記挿入部側を向いている部位は、同カバー部の内面に対して当接又は近接していることを特徴とする請求項２乃至請求項５のいずれか１つに記載の遊技機。
【請求項７】
前記カバー部には、同カバー部の内外に貫通しており、前記第２位置へ前記結合部材が配置される場合に当該カバー部の外側から同結合部材が挿入される挿入部が形成されており、
前記結合部材は、前記挿入部に挿入される軸部を有し、当該軸部の周面に結合部材側溝部が形成されたネジ部材であり、
前記挿入部の内壁面には、前記結合部材側溝部と係合する挿入部側溝部が形成されており、
前記挿入部及び前記結合部材は、同結合部材が前記挿入部に挿入された状態にて回動されることにより前記カバー部の内方に移動して同挿入部から当該結合部材が突出するように構成されており、
前記取外規制手段に設けられ、前記カバー部によって囲まれた領域であって前記挿入部の開放先となる領域に配されており、同挿入部を通じて挿入された前記結合部材によって操作されることにより当該取外規制手段を前記解除状態とする受け部を備え、
前記結合部材側溝部は、前記軸部において前記結合部材の挿入方向先側の一端部を含んだ範囲に形成されており、
前記軸部において前記結合部材側溝部よりも他端部側となる範囲に設けられ、前記挿入部側溝部との係合を回避可能な回避部と、
前記受け部に設けられ、前記結合部材側溝部と係合する受け部側溝部を有するネジ孔と
を備え、
前記結合部材、前記挿入部及び前記受け部は、前記結合部材側溝部と前記受け部側溝部とが係合している状態にて同結合部材側溝部と前記挿入部側溝部との係合が回避され、又は前記結合部材側溝部と前記受け部側溝部との係合に先行して同結合部材側溝部と前記挿入部側溝部との係合が回避され、同結合部材の回動操作に基づいて前記受け部が前記挿入部側へ変位することにより前記取外規制手段による規制が解除されることを特徴とする請求項１に記載の遊技機。
【発明の詳細な説明】
【技術分野】
【０００１】
本発明は、遊技機に関するものである。
【背景技術】
【０００２】
パチンコ機やスロットマシン等の遊技機は、遊技制御処理を実行するＣＰＵ、遊技制御プログラムが記憶されたＲＯＭ、遊技の進行により発生する各種データを一時的に記憶するＲＡＭ等の各種電子部品が実装された制御基板を備えている。そして、ＲＯＭに記憶された制御プログラムに従って、ＣＰＵにより遊技機に搭載されている各種遊技機器が制御され、一連の遊技が実行される。制御基板は、基板ケースに収容された状態で遊技機に取り付けられており、同制御基板の基板ケース外への露出等が抑制されている。
【０００３】
この種の遊技機では、制御基板そのものや同制御基板のＲＯＭ（ＲＯＭがＣＰＵと共に１チップ化されている場合には当該チップ）が正規のものとは異なる不正なものに交換されるといった不正行為が数多く報告されている。このような不正行為に対処すべく、例えば、上記基板ケースに封印構造（いわゆる、カシメ構造）を設けて基板ケースの開封時には破壊等による開封痕跡を残すようにする等の不正対策が採用されている（例えば特許文献１参照）。このような不正対策は、基板ケースが開封された事実や制御基板が交換された事実を目視確認する場合にその確認作業を補助するものであり、またこのような不正対策の存在により不正行為を躊躇させる効果がある。
【先行技術文献】
【特許文献】
【０００４】
【特許文献１】特開２００３−１８０９１７号公報
【発明の概要】
【発明が解決しようとする課題】
【０００５】
しかしながら、上記封印構造等の不正対策が施されていても、未だに不正行為が行われているのが実状である。例えば、封印構造等を巧妙に破壊することにより、開封の痕跡を残存させることなく基板ケースの開放がなされるおそれがある。このように痕跡の隠蔽がなされた場合、制御基板に対する不正の発見が困難になると懸念される。
【０００６】
本発明は、上記例示した事情等に鑑みてなされたものであり、制御基板に対する不正行為を好適に抑制することが可能な遊技機を提供することを目的とするものである。
【課題を解決するための手段】
【０００７】
以下、上記課題を解決するための手段について記載する。
【０００８】
請求項１記載の発明は、遊技に関する制御を行う制御基板と、相互に組み合わされることにより内部空間を区画形成する複数のケース構成体を有し、前記内部空間に前記制御基板を収容してなる基板ケースと、前記基板ケースに設けられ、当該基板ケースにおいて前記内部空間を区画形成している本体部から同本体部の外側へ突出する突出部と、前記基板ケースに対して着脱可能に取り付けられ、前記突出部を覆うカバー部と、前記カバー部の前記基板ケースからの取り外しを規制する規制状態、及び同規制を解除する解除状態に切替可能な取外規制手段と、前記基板ケースにおける第１位置に配置されることにより前記ケース構成体同士を結合しているとともに、前記基板ケースから取り外されることで前記結合を解除した後、前記第１位置とは異なる第２位置に配置されることにより前記取外規制手段を前記規制状態から前記解除状態に切り替える結合部材と、前記突出部に設けられているとともに前記カバー部によって覆われており、前記結合部材が前記基板ケースから取り外され同結合部材が前記第２位置に配置されることで前記取外規制手段が前記解除状態となり前記基板ケースから前記カバー部が取り外される過程にて破壊されることにより痕跡を残存させる痕跡部とを備えていることを特徴とする。
【発明の効果】
【０００９】
制御基板に対する不正行為を好適に抑制することができる。
【図面の簡単な説明】
【００１０】
【図１】第１の実施の形態におけるパチンコ機を示す正面図である。
【図２】パチンコ機の主要な構成を展開して示す斜視図である。
【図３】パチンコ機の主要な構成を展開して示す斜視図である。
【図４】前面扉の構成を示す背面図である。
【図５】内枠の構成を示す正面図である。
【図６】遊技盤の構成を示す正面図である。
【図７】遊技盤の構成を示す背面図である。
【図８】パチンコ機を示す背面図である。
【図９】裏パックユニットの構成を示す正面図である。
【図１０】主制御装置の構成を示す正面図である。
【図１１】主制御装置を正面側から見た斜視図である。
【図１２】主制御装置を主要部品ごとに分解して示す分解斜視図である。
【図１３】（ａ）は表側構成体及び裏側構成体の組み合わせ完了前の状態を示す斜視図、（ｂ）は図１０のＡ−Ａ線部分断面図である。
【図１４】第２固定手段及びそれに関連する構成を分解して示す基板ボックスの拡大斜視図である。
【図１５】（ａ）封印シールの構成を示す正面図、（ｂ）封印シールの構成を示す裏面図である。
【図１６】封印シールの構成を示す断面図である。
【図１７】貼付領域における封印シールの位置関係を説明するための説明図である。
【図１８】（ａ）は図１７のＢ−Ｂ線部分断面図、（ｂ）は図１７のＣ−Ｃ線部分断面図、（ｃ）は図１７のＤ−Ｄ線部分断面図である。
【図１９】貼付領域における封印シールと取付ベースとの位置関係を示す概略図である。
【図２０】基板ボックスの組立作業の流れを示す概略図である。
【図２１】基板ボックスの組立作業の流れを示す概略図である。
【図２２】カバー部材の取り外しの様子を示す概略図である。
【図２３】カバー部材の取り外しの様子を示す概略図である。
【図２４】カバー部材の取り外しの様子を示す概略図である。
【図２５】カバー部材の取り外しの様子を示す概略図である。
【図２６】第１の実施の形態におけるパチンコ機の電気的構成を示すブロック図である。
【図２７】第２の実施の形態における第２固定手段及びそれに関連する構成を分解して示す基板ボックスの拡大斜視図である。
【図２８】取付ベース及びその周辺の部分を拡大して示す部分拡大図である。
【図２９】（ａ）は図２８のＥ−Ｅ線部分断面図、（ｂ）は図２９（ａ）の部分拡大図である。
【図３０】カバー部材の取外規制を解除する際の作業の流れを示す概略図である。
【図３１】カバー部材の取外規制を解除する際の作業の流れを示す概略図である。
【図３２】第３の実施の形態における第２固定手段及びそれに関連する構成を示す断面図である。
【図３３】取外規制の解除操作に基づいたネジ及び規制部材の動きを示す概略図である。
【図３４】取外規制構造の変形例を示す概略図である。
【発明を実施するための形態】
【００１１】
＜第１の実施の形態＞
以下、遊技機の一種であるパチンコ遊技機（以下、「パチンコ機１０」という）の第１の実施の形態を、図面に基づいて詳細に説明する。図１は第１の実施の形態におけるパチンコ機１０の正面図、図２及び図３はパチンコ機１０の主要な構成を展開して示す斜視図である。なお、図２では便宜上パチンコ機１０の遊技領域内の構成を省略している。
【００１２】
図１に示すように、パチンコ機１０は、当該パチンコ機１０の外殻を形成する外枠１１と、この外枠１１に取り付けられた遊技機主部１２とを有している。
【００１３】
外枠１１は木製の板材を四辺に連結し構成されるものであって矩形枠状をなしている。パチンコ機１０は、外枠１１を島設備に取り付け固定することにより、遊技場の島設備に設置される。
【００１４】
この外枠１１によって遊技機主部１２が開閉可能な状態で支持されている。具体的には、後述する支持機構により外枠１１に対して遊技機主部１２がパチンコ機１０の正面視で左側を回動基端側、右側を回動先端側としてパチンコ機１０の前方へ回動可能とされている。
【００１５】
図２に示すように、遊技機主部１２は、ベース体としての内枠１３と、その内枠１３の前方に配置される前面扉１４と、内枠１３の後方に配置される裏パックユニット１５とを備えている。なお、遊技機主部１２のうち内枠１３が外枠１１に対して回動可能に支持されている。
【００１６】
内枠１３には、図２に示すように、前面扉１４が支持されており、同前面扉１４はパチンコ機１０の正面視における左側を回動基端側とし右側を回動先端側として前方へ回動可能とされている。また、内枠１３には、図３に示すように、裏パックユニット１５が回動可能に支持されており、正面視で左側を回動基端側とし右側を回動先端側として後方へ回動可能とされている。
【００１７】
次に、前面扉１４について説明する。なお、以下の説明では、図１及び図２を参照するとともに、前面扉１４の背面の構成については図４を参照する。図４は前面扉１４の背面図である。
【００１８】
図２に示すように、前面扉１４は、外形が外枠１１とほぼ同一形状をなす合成樹脂製の枠体２０と、同枠体２０の前面側に固定された前面カバー２１とを主体に構成されており、内枠１３における前面側のほぼ全域を覆っている。枠体２０及び前面カバー２１の中央部分には後述する遊技領域ＰＥのほぼ全域を前方から視認することができるようにした略楕円状の窓部２０ａ，２１ａが形成されており、同窓部２０ａ，２１ａはガラスユニット３０によって同前面扉１４の背面側から覆われている。
【００１９】
図４に示すように、枠体２０には窓部２０ａを囲むようにしてガラスユニット設置部２２が形成されている。詳しくは、ガラスユニット設置部２２は、枠体２０の背面側に配されているとともにパチンコ機１０の前方に向けて凹んでおり、その底部に上記窓部２０ａが配設されている。ガラスユニット３０は、ガラスユニット設置部２２に嵌まることで上下方向及び左右方向への変位が規制されている。
【００２０】
ガラスユニット３０は、透明性を有するガラスパネル３１，３２とそれらガラスパネル３１，３２を保持するガラスホルダ３３とを有してなり、同ガラスホルダ３３が枠体２０に取り付けられたレバー部材２３と同枠体２０とによって挟持されることで、当該枠体２０に対して一体化されている。なお、ガラスパネル３１，３２の間に所定の隙間が確保されており、それらガラスパネル３１，３２によって遊技領域ＰＥがパチンコ機１０の正面側から２重に覆われた状態となっている。
【００２１】
再び図１を参照して説明すれば、窓部２０ａ，２１ａの周囲には各種ランプ等の発光手段が設けられている。例えば、窓部２０ａ，２１ａの周縁に沿ってＬＥＤ等の発光手段を内蔵した環状電飾部２４が設けられている。環状電飾部２４では、大当たり時や所定のリーチ時等における遊技状態の変化に応じて点灯や点滅が行われる。また、環状電飾部２４の中央であってパチンコ機１０の最上部には所定のエラー時に点灯するエラー表示ランプ部２５が設けられ、窓部２０ａ，２１ａの左右両側には賞球払出中に点灯する賞球ランプ部２６が設けられている。また、中央のエラー表示ランプ部２５に近接した位置には、遊技状態に応じた効果音などが出力されるスピーカ部２７が設けられている。
【００２２】
前面扉１４（詳しくは前面カバー２１）における窓部２１ａの下方には、手前側へ膨出した上側膨出部２８と下側膨出部２９とが上下に並設されている。上側膨出部２８内側には上方に開口した上皿２８ａが設けられており、下側膨出部２９内側には同じく上方に開口した下皿２９ａが設けられている。上皿２８ａは、後述する払出装置より払い出された遊技球を一旦貯留し、一列に整列させながら後述する遊技球発射機構側へ導く機能を有している。また、下皿２９ａは、上皿２８ａ内にて余剰となった遊技球を貯留する機能を有している。
【００２３】
下側膨出部２９並びとなる位置には、手前側へ突出するようにして遊技球発射ハンドル４１が設けられている。遊技球発射ハンドル４１が操作されることにより、後述する遊技球発射機構から遊技球が発射される。
【００２４】
前面扉１４の背面には、図２及び図４に示すように、通路形成ユニット５０が取り付けられている。通路形成ユニット５０は、合成樹脂により成形されており、上皿２８ａに通じる前扉側上皿通路５１と、下皿２９ａに通じる前扉側下皿通路５２とが形成されてなる。通路形成ユニット５０において、その上側隅部には後方に突出し上方に開放された受口部５３が形成されており、当該受口部５３を仕切壁５４によって左右に仕切ることで前扉側上皿通路５１の入口部分と前扉側下皿通路５２の入口部分とが区画形成されている。前扉側上皿通路５１及び前扉側下皿通路５２は上流側が後述する遊技球分配部に通じており、前扉側上皿通路５１に入った遊技球は上皿２８ａに導かれ、前扉側下皿通路５２に入った遊技球は下皿２９ａに導かれる。
【００２５】
次に、図１及び図５に基づき内枠１３と同内枠１３及び外枠１１の関係とについて詳細に説明する。図５は内枠１３の正面図である。なお、図５においては、図２と同様にパチンコ機１０の遊技領域内の構成を省略している。
【００２６】
内枠１３は、外形が外枠１１とほぼ同一形状をなす樹脂ベース６０を主体に構成されている。樹脂ベース６０の高さ寸法（上下方向における長さ寸法）は、外枠１１の高さ寸法よりも若干小さく設定されている。また、樹脂ベース６０は外枠１１の上側枠部に寄せて配置され、外枠１１の下側枠部と樹脂ベース６０との間には若干の隙間が形成されている。外枠１１にはこの隙間を塞ぐようにして幕板が装着されている。幕板は、樹脂ベース６０（詳しくはその下端部）の下方に配置されており、内枠１３が外枠１１に対して閉じられた状態では同樹脂ベース６０が幕板の上に載ることとなる。
【００２７】
幕板は着色された不透明な樹脂により薄板状に形成されており、同幕板の前面にはパチンコ機１０のメーカ名（図示略）が記されている。幕板の後方となる領域にはスピーカユニットが配されており、同スピーカユニットが外枠１１の下側枠部に固定されている。スピーカユニットは、その一部が幕板に形成された開口部を通じてパチンコ機１０の前方に露出した状態となっている。
【００２８】
これらスピーカユニットは、後述する音声ランプ制御装置に配線を用いて電気的に接続されており、同音声ランプ制御装置から入力される信号に基づいて音声を出力する。既に説明したようにパチンコ機１０（詳しくは前面扉１４）の上部にはスピーカ部が設けられており、同スピーカ部とスピーカユニットとを併用することで、すなわちパチンコ機１０の上部及び下部に配することで、パチンコ機１０の音響に関する機能の向上を図っている。なお、スピーカユニットは必須の構成ではなくこれを省略することも可能である。
【００２９】
図５に示すように、樹脂ベース６０の回動基端側（図５の左側）には、後述する支持機構が設けられており、この支持機構によって前面扉１４が内枠１３に対する回動が許容された状態で支持されている。
【００３０】
内枠１３（詳しくは樹脂ベース６０）の前面において、同内枠１３の回動先端側となる部位には施錠装置７５が設けられている。施錠装置７５は、前面扉１４に向けて延びる複数の前扉用鉤部材７６を有している。これら前扉用鉤部材７６に対応させて、前面扉１４の背面には内枠１３側に延びる鉤受け部材５９が複数設けられている。前扉用鉤部材７６が鉤受け部材５９に引っ掛かることにより前面扉１４が閉じた状態で施錠される。また、施錠装置７５は、内枠１３の後方へ延びる内枠用鉤部材７７を有している。これら内枠用鉤部材７７が外枠１１の鉤受け部材１９に引っ掛かることにより遊技機主部１２が外枠１１に対して閉じた状態で施錠される。
【００３１】
樹脂ベース６０の右下隅部には、施錠装置の解錠操作を行うためのシリンダ錠７８が設置されている。シリンダ錠７８は施錠装置に一体化されており、その先端部分（鍵穴部分）が上記前面扉１４に設けられた孔部を通じてパチンコ機１０の前方に露出している。シリンダ錠７８の鍵穴に差し込んだキーを右に回すことで内枠１３に対する前面扉１４の施錠が解除され、同キーを左に回すことで外枠１１に対する内枠１３の施錠が解除される。
【００３２】
樹脂ベース６０の前面における略中央部分には、遊技盤８０を収容する遊技盤収容部６１が形成されている。遊技盤収容部６１は、パチンコ機１０の後方に凹み、遊技盤８０を収容する収容空間を区画形成しており、樹脂ベース６０に取り付けられた遊技盤８０がその収容空間に嵌まった状態となっている。
【００３３】
遊技盤収容部６１は、遊技盤８０の背面に対向する平板状の対向板部６２と、同対向板部６２から起立し遊技盤８０の周縁に沿って延びる周壁部６３とによって構成されている。対向板部６２は、その略中央に上述した中央開口６４が形成されており、内枠１３の正面視において略矩形枠状をなしている。周壁部６３は、遊技盤８０における上下左右の各端面に対して個々に対向する上側壁部６５，下側壁部６６，左側壁部６７，右側壁部６８が連なってなり、全体として遊技盤８０を囲む環状をなしている。なお、周壁部６３は中央開口６４を囲むようにして形成されているとも言える。
【００３４】
遊技盤８０は、木製の合板と同合板における前側の板面を覆うシート材とを有してなり、その前面が遊技盤収容部６１の開放部分を通じて樹脂ベース６０の正面側に露出している。この露出している部位、すなわち遊技盤８０の前面には、遊技球が流下する遊技領域ＰＥが形成されている。既に説明したように遊技領域ＰＥはガラスユニット３０（詳しくはガラスパネル３２）によって覆われている。ガラスパネル３２は、遊技盤８０の前面との隙間が遊技球の直径よりも僅かに大きくなるように、すなわち遊技領域ＰＥを流下する遊技球が同遊技領域ＰＥの同一箇所にて前後に並ばないように配置されている。これにより、遊技領域ＰＥでの球詰まりを抑制している。なお、遊技盤８０は木製に限定されるものではなく、合成樹脂材料製とすることも可能である。
【００３５】
また、本実施の形態における遊技盤８０は樹脂ベース６０に対して着脱可能な構成となっており、遊技盤収容部６１には遊技盤８０の取り外しを許容する許容状態と、同遊技盤８０の取り外しを不可とする阻止状態とに切替可能なロック装置７０が複数設けられている。このようにロック装置７０を用いて遊技盤８０を着脱可能な構成を採用することで、メンテナンス作業等の容易化が図られている。
【００３６】
以下、図６に基づき遊技盤８０（特に遊技領域ＰＥに配された各種構成）について説明する。図６は遊技盤８０の正面図である。
【００３７】
遊技盤８０には、ルータ加工が施されることによって自身の厚さ方向（前後方向）に貫通する大小複数の開口が形成されている。各開口には、一般入賞口８１、可変入賞装置８２、作動口８３ａ，８３ｂ、スルーゲート８４及び可変表示ユニット８５等がそれぞれ設けられている。一般入賞口８１、可変入賞装置８２及び作動口８３ａ，８３ｂに遊技球が入ると、それら遊技球が後述する検知スイッチにより検知され、その検知結果に基づいて所定数の賞球の払い出しが実行される。その他に、遊技盤８０の最下部にはアウト口８６が設けられており、各種入賞口等に入らなかった遊技球はアウト口８６を通って遊技領域ＰＥから排出される。
【００３８】
また、遊技盤８０には、遊技球の流下経路を適宜分散，調整等するために多数の釘８７が植設されているとともに、風車等の各種部材（役物）が配設されている。これら釘８７や風車等の各種構成によって、遊技球の流下経路が分化され、上述した一般入賞口８１等への入賞が適度な確立で発生するように調整されている。
【００３９】
可変入賞装置８２は、通常は遊技球が入賞できない又は入賞し難い閉状態になっており、大当たりの際に遊技球が入賞しやすい所定の開放状態に切り換えられるようになっている。可変入賞装置８２の開放態様としては、所定時間（例えば３０秒間）の経過又は所定個数（例えば１０個）の入賞を１ラウンドとして、同可変入賞装置８２の開放が複数ラウンド（例えば１５ラウンド）を上限として繰り返されるように設定されている。
【００４０】
可変表示ユニット８５は遊技盤８０の中央上寄りに配置されており、その下方に作動口８３ａ，８３ｂが配置されている。より詳しくは、作動口８３ａ，８３ｂは、作動口８３ａを上側、作動口８３ｂを下側として上下に並設されている。可変表示ユニット８５及び作動口８３ａ，８３ｂは、遊技性を司る部位であり遊技者の注意が集まりやすい。それら可変表示ユニット８５及び作動口８３ａ，８３ｂを遊技機中央において上下に並べて配置することで両者間での視線の移動量を抑え、遊技者の目に生じる負担の低減に貢献している。
【００４１】
可変表示ユニット８５は、作動口８３ａ，８３ｂへの入賞をトリガとして図柄を可変表示する図柄表示装置９４を備えている。図柄表示装置９４は、液晶ディスプレイ（表示画面９４ａ）を備えた液晶表示装置として構成されており、後述する表示制御装置によりその表示内容が制御されている。具体的には、表示画面９４ａにおいては、上段，中段及び下段に並べて図柄が表示され、これらの図柄が左右方向にスクロールされるようにして変動表示される。そして、大当たり発生時には、予め設定されている有効ライン上に所定の組合せの図柄が停止表示され、特別遊技状態へと移行される。なお、表示画面９４ａにおける表示態様を以下のように変更してもよい。すなわち、左，中及び右に並べて図柄を表示し、それら図柄を上下スクロールさせるようにして変動表示させてもよい。
【００４２】
また、可変表示ユニット８５は、図柄表示装置９４を囲むようにして形成されたセンターフレーム９５を備えている。センターフレーム９５の上部には、第１特定ランプ部９６及び第２特定ランプ部９７が設けられている。また、センターフレーム９５の上部及び下部にはそれぞれ保留ランプ部９８，９９が設けられている。下側の保留ランプ部９８は、図柄表示装置９４及び第１特定ランプ部９６に対応しており、遊技球が作動口８３を通過した回数は最大４回まで保留され保留ランプ部９８の点灯によってその保留個数が表示されるようになっている。上側の保留ランプ部９９は、第２特定ランプ部９７に対応しており、遊技球がスルーゲート８４を通過した回数は最大４回まで保留され保留ランプ部９９の点灯によってその保留個数が表示されるようになっている。
【００４３】
再び図５を用いて説明すれば、樹脂ベース６０における遊技盤収容部６１（遊技盤８０）の下方には、遊技球発射ハンドル４１の操作に基づいて遊技領域ＰＥへ遊技球を発射する遊技球発射機構１１０が設けられている。遊技球発射機構１１０は、所定の発射待機位置に配置された遊技球を打ち出すソレノイド１１１と、同ソレノイド１１１によって打ち出された遊技球の発射方向を規定する発射レール１１２と、上記発射待機位置に遊技球を供給する球送装置１１３と、それら各種構成１１１〜１１３が装着されているベースプレート１１４とを主要な構成として備えており、同ベースプレート１１４が樹脂ベース６０用の補強プレートを介して樹脂ベース６０に取り付けられている。
【００４４】
発射レール１１２は、遊技盤８０側に向けて上り傾斜となるように、斜めに傾いた状態でベースプレート１１４に固定されている。発射レール１１２の下流側の端部（すなわち下端部）寄りとなる位置には、球送装置１１３から供給された遊技球を上述した発射待機位置に留める球ストッパが配されている。球ストッパよりも更に下流側となる位置に、上記ソレノイド１１１が配置されている。
【００４５】
ソレノイド１１１は、後述する電源・発射制御装置に対して電気的に接続されている。その電源・発射制御装置からの電気的な信号の出力に基づいてソレノイド１１１の出力軸が伸縮方向に往復動することにより、発射待機位置に置かれた遊技球が遊技盤８０側、詳しくは遊技盤８０に装着された誘導レール１００に向けて打ち出される。
【００４６】
誘導レール１００は、遊技領域区画部材と共に遊技領域ＰＥを同遊技領域ＰＥの外形が略円形状となるように区画形成している。また、誘導レール１００は、遊技球の直径よりも若干大きな隙間を隔てて対峙するように配置された内レール１０１及び外レール１０２からなり、それら両レール１０１，１０２によって一条の誘導通路１０３が区画形成されている。誘導通路１０３は、発射レール１１２の先端側（斜め下方）に開放された入口部分１０４と、遊技領域ＰＥの上部に位置する出口部分１０５とを有している。ソレノイド１１１の動作に基づいて発射された遊技球は、発射レール１１２→誘導レール１００（入口部分１０４→出口部分１０５）の順に移動することにより遊技領域ＰＥに導かれる。なお、遊技盤８０において出口部分１０５の先側、詳しくは内レール１０１の先端付近には、遊技領域ＰＥに到達した遊技球の同誘導通路１０３内への逆戻りを防止する逆戻り防止部材１０６が取り付けられており、先んじて遊技領域ＰＥに至った遊技球によって後続する遊技球の打ち出しが妨げられることを抑制している。
【００４７】
誘導レール１００を構成している各レール１０１，１０２は、遊技領域ＰＥの略中央部分を中心とする円弧状をなしている。このため、誘導通路１０３を通過する遊技球は、自身に発生する遠心力により外レール１０２に沿って、すなわち外レール１０２に接触したまま移動（摺動又は転動）しやすくなっている。
【００４８】
誘導レール１００は、遊技球発射ハンドル４１が遊技球を遊技領域ＰＥに到達させることができる程度に操作された場合に、すなわち遊技球発射ハンドル４１の操作量が第１の規定量を超えた場合に、発射レール１１２から打ち出された遊技球が当該誘導レール１００の入口部分１０４、詳しくは外レール１０２において発射レール１１２の延長上に位置する特定部位に着地するように形成されている。なお、外レール１０２は、その特定部位における接線の向きが発射レール１１２のレール方向と略同一となるように形成されている。発射された遊技球の移動方向と、特定部位の接線方向を揃えることにより、遊技球の着地によって生じる衝撃を低減するとともに同遊技球の跳ね返りを抑え、誘導レール１００によるそれら遊技球の円滑な誘導を可能としている。
【００４９】
同図５に示すように、誘導レール１００及び発射レール１１２は、同誘導レール１００の入口部分１０４と発射レール１１２の先端部分とが遊技盤８０の下端縁を挟んで斜めに対峙するように配置されている。つまり、それら両レール１００，１１２は、同誘導レール１００の入口部分１０４と発射レール１１２の先端部分とが遊技盤８０の下端縁近傍にて左右にずれるようにして配置されている。これにより両レール１００，１１２を遊技盤８０の下端縁に近づけつつ、誘導レール１００の入口部分１０４と発射レール１１２との間には所定間隔の隙間を形成している。
【００５０】
このようにして形成された隙間よりも下側にはファール球通路５５が配設されている。ファール球通路５５は前面扉１４の通路形成ユニット５０に一体成形されている。仮に遊技球発射機構１１０から発射された遊技球が遊技領域ＰＥまで至らずファール球として誘導通路１０３内を逆戻りする場合には、それらファール球が上記隙間を介してファール球通路５５内に入ることとなる。ファール球通路５５は前扉側下皿通路５２に通じており、ファール球通路５５に入った遊技球は図１に示した下皿２９ａに排出される。これにより、ファール球と次に発射される遊技球との干渉が抑制される。
【００５１】
樹脂ベース６０において発射レール１１２の左方（詳しくは前面扉１４を支持している側）には樹脂ベース６０を前後方向に貫通する貫通孔が形成されており、この貫通孔に通路形成部材１２１が配設されている。通路形成部材１２１は、樹脂ベース６０に対してネジ止めされており、本体側上皿通路１２２と本体側下皿通路１２３とを有している。それら本体側上皿通路１２２及び本体側下皿通路１２３の上流側は、後述する遊技球分配部に通じている。また、通路形成部材１２１の下方には前面扉１４に取り付けられた通路形成ユニット５０の受口部５３が入り込んでおり、本体側上皿通路１２２の下方には前扉側上皿通路５１が配置され、本体側下皿通路１２３の下方には前扉側上皿通路５１が配置されている（図２参照）。
【００５２】
樹脂ベース６０において通路形成部材１２１の下方には、本体側上皿通路１２２及び本体側下皿通路１２３からの遊技球の流出を規制するシャッタ１２４が設けられている。シャッタ１２４は、両通路の出口部分を狭め遊技球の流出を阻止する阻止位置と、遊技球の流出を許容する許容位置との両位置に切り替え可能な状態で樹脂ベース６０によって支持されている。また、樹脂ベース６０にはシャッタ１２４を阻止位置に向けて付勢する付勢部材が取り付けられており、前面扉１４を内枠１３に対して開いた状態では付勢部材の付勢力によってシャッタ１２４が阻止位置に留まる構成となっている。これにより、本体側上皿通路１２２又は本体側下皿通路１２３に遊技球が貯留されている状態で前面扉１４を開放した場合に、その貯留球がこぼれ落ちてしまうといった不都合が回避されている。これに対し、前面扉１４を閉じた状態では、前面扉１４の通路形成ユニット５０に設けられた受口部５３により上記付勢力に抗してシャッタ１２４が許容位置に押し戻される。この状態では、本体側上皿通路１２２及び前扉側上皿通路５１と、本体側下皿通路１２３及び前扉側下皿通路５２とがそれぞれ連通し、遊技球の移動が許容されることとなる。
【００５３】
次に、内枠１３（樹脂ベース６０及び遊技盤８０）の背面構成について説明する。樹脂ベース６０の背面における回動基端側には、軸受け金具が取り付けられている。軸受け金具には、上下に離間させて軸受け部が形成されており、これら軸受け部により内枠１３に対して裏パックユニット１５が回動可能に取り付けられている。また、樹脂ベース６０の背面には、裏パックユニット１５を内枠１３に固定するための固定レバー１３４が複数設けられている。
【００５４】
既に説明したように樹脂ベース６０における遊技盤収容部６１の底部分、すなわち上記対向板部６２には樹脂ベース６０の厚さ方向に貫通し同樹脂ベース６０の背面側に開放された中央開口６４が形成されており、その中央開口６４が遊技盤収容部６１に収容された遊技盤８０によって内枠１３の正面側から覆われている。遊技盤８０の背面には制御装置等の各種構成が搭載されており、それら各種構成は中央開口６４を通じて内枠１３の背側に露出した状態となっている。ここで、図７に基づき遊技盤８０の背面の構成について詳細に説明する。図７は遊技盤８０を後方から見た斜視図である。
【００５５】
遊技盤８０の背面には、可変表示ユニット８５を遊技盤８０に対して搭載する合成樹脂製の台座部材１４１が固定されている。台座部材１４１は、遊技盤８０側に開放された略箱状をなしており遊技盤８０の背面のほぼ全域を覆っている。台座部材１４１の一部は樹脂ベース６０の中央開口６４を通じて同樹脂ベース６０の背面側に突出しており、その突出した部分に対して上述した図柄表示装置９４と、その図柄表示装置９４を駆動するための表示制御装置とが取り付けられている。これら図柄表示装置９４及び表示制御装置は前後方向（樹脂ベース６０の厚さ方向）に図柄表示装置が前側且つ表示制御装置が後側となるように重ねて配置されている。さらに、遊技盤８０には、表示制御装置の後方に位置するようにして音声ランプ制御装置ユニット１４２が搭載されている。音声ランプ制御装置ユニット１４２は、音声ランプ制御装置１４３と、取付台１４４とを具備する構成となっており、取付台１４４上に音声ランプ制御装置１４３が装着されている。
【００５６】
音声ランプ制御装置１４３は、後述する主制御装置からの指示に従い音声やランプ表示、及び表示制御装置の制御を司る音声ランプ制御基板を具備しており、音声ランプ制御基板が透明樹脂材料等よりなる基板ボックス１４５に収容されて構成されている。
【００５７】
音声ランプ制御装置ユニット１４２の下方には、台座部材１４１を後方から覆うようにして主制御装置ユニット１６０が設けられている。主制御装置ユニット１６０は、遊技盤８０の背面に固定された合成樹脂製の取付台１７０と、その取付台１７０に搭載された主制御装置１８０とを有している。主制御装置１８０は、遊技の主たる制御を司る機能（主制御回路）と、電源を監視する機能（停電監視回路）とを有する主制御基板を具備しており、当該主制御基板が透明樹脂材料等よりなる基板ボックスに収容されて構成されている。
【００５８】
台座部材１４１において遊技盤８０の背面と対向している部分には、前記一般入賞口８１，可変入賞装置８２，上作動口８３ａ，下作動口８３ｂの遊技盤開口部に対応し且つ下流側で１カ所に集合する回収通路が形成されている。これにより、一般入賞口８１等に入賞した遊技球は何れも回収通路を介して遊技盤８０の下方に集合する構成となっている。つまり、台座部材１４１には各種入賞口に入賞した遊技球を回収する機能が付与されている。
【００５９】
遊技盤８０の下方には後述する排出通路が配されており、回収通路によって遊技盤８０の下方に集合した遊技球は排出通路内に導出される。なお、アウト口８６についても同様に排出通路に通じており、何れの入賞口にも入賞しなかった遊技球はアウト口８６を介して排出通路内に導出される。
【００６０】
また、上記回収通路には、遊技盤８０表側の一般入賞口８１に入賞した遊技球を検知する入賞口スイッチと、可変入賞装置８２に入賞した遊技球を検知するカウントスイッチと、作動口８３ａ，８３ｂに入った遊技球を検知する作動口スイッチとが装着されており、それら各種スイッチによって入賞検知機構が構成されている。更に、台座部材１４１において可変表示ユニット８５の左右両側には、スルーゲート８４を通過する遊技球を検知するゲートスイッチが設けられている。これら各種スイッチは主制御装置１８０に対して電気的に接続されており、各スイッチによる検知情報が同主制御装置１８０に出力される構成となっている。
【００６１】
次に、図３，図８及び図９に基づき裏パックユニット１５について説明する。図８はパチンコ機１０の背面図、図９は裏パックユニット１５の正面図である。
【００６２】
図８に示すように、内枠１３は裏パックユニット１５によって後方から覆われている。裏パックユニット１５は、裏パック２０１を備えており、当該裏パック２０１に対して、払出機構部２０２、排出通路盤及び制御装置集合ユニット２０４が取り付けられている。
【００６３】
裏パック２０１は透明性を有する合成樹脂により成形されており、図１１に示すように払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット８５を囲むのに十分な大きさを有する（図８参照）。
【００６４】
ベース部２１１には、その右上部に外部端子板（図示略）が設けられている。外部端子板には各種の出力端子が設けられており、これらの出力端子を通じて遊技ホール側の管理制御装置に対して各種信号が出力される。また、ベース部２１１にはパチンコ機１０後方からみて右端部に上下一対の掛止ピン２１４が設けられており、掛止ピン２１４を内枠１３に設けられた軸受け部１３３に挿通させることで、裏パックユニット１５が内枠１３に対して回動可能に支持されている。ベース部２１１には、内枠１３に設けられた固定レバー１３４が挿通される複数の挿通部２１５が形成されており、固定レバー１３４が挿通部２１５に挿通された状態にてベース部２１１に後方から当接することにより内枠１３に対して裏パックユニット１５が固定されている。
【００６５】
ベース部２１１には、保護カバー部２１２を迂回するようにして払出機構部２０２が配設されている。払出機構部２０２には、裏パック２０１の最上部に配されているとともに上方に開口したタンク２２１が設けられており、遊技ホールの島設備から供給される遊技球がそのタンク２２１に逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【００６６】
遊技球分配部２２５は、払出装置２２４より払い出された遊技球を上皿２８ａ、下皿２９ａ又は後述する排出通路の何れかに振り分けるための機能を有し、内側の開口部が上述した本体側上皿通路１２２及び前扉側上皿通路５１を介して上皿２８ａに通じ、外側の開口部が本体側下皿通路１２３及び前扉側下皿通路５２を介して下皿２９ａに通じるように形成されている（図２及び図３参照）。
【００６７】
ベース部２１１の下端部には、当該下端部を前後に挟むようにして排出通路盤及び制御装置集合ユニット２０４が取り付けられている。排出通路盤には、制御装置集合ユニット２０４と対向する面に後方に開放された排出通路が形成されており、当該排出通路の開放部は制御装置集合ユニット２０４によって塞がれている。排出通路は、遊技ホールの島設備等へ遊技球を排出するように形成されており、上述した回収通路等から排出通路に導出された遊技球は当該排出通路を通ることでパチンコ機１０外部に排出される。
【００６８】
図９に示すように、制御装置集合ユニット２０４は、横長形状をなす取付台２４１を有し、取付台２４１に払出制御装置２４２と電源・発射制御装置２４３とが搭載されている。これら払出制御装置２４２と電源・発射制御装置２４３とは、払出制御装置２４２がパチンコ機１０後方となるように前後に重ねて配置されている。
【００６９】
払出制御装置２４２においては基板ボックス２４４内に払出装置２２４を制御する払出制御基板が収容されており、当該払出制御基板に設けられた状態復帰スイッチ２４５が基板ボックス２４４外に突出している。例えば、払出装置２２４における球詰まり等、払出エラーの発生時において状態復帰スイッチ２４５が押されると、球詰まりの解消が図られるようになっている。
【００７０】
電源・発射制御装置２４３は、基板ボックス２４６内に電源・発射制御基板が収容されており、当該基板により、各種制御装置等で要する所定の電源が生成されて出力され、さらに遊技者による遊技球発射ハンドル４１の操作に伴う遊技球の打ち出しの制御が行われる。また、電源・発射制御装置２４３にはＲＡＭ消去スイッチ２４７が設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ２４７を押しながら電源を投入すると、ＲＡＭデータが初期化されるようになっている。
【００７１】
＜主制御装置１８０の構成＞
次に、主制御装置１８０の構成を図１０〜図１２に基づいて詳細に説明する。図１０は主制御装置１８０の正面図、図１１は主制御装置１８０を表側から見た斜視図、図１２は主制御装置１８０の分解斜視図である。
【００７２】
図１０に示すように、主制御装置１８０は、横長の板状をなす主制御基板３１０と同主制御基板３１０の長手方向と同一方向に長い横長四角箱状の基板ボックス３２０（図１１参照）とを備えており、当該基板ボックス３２０によって区画形成された内部空間に主制御基板３１０が収容されてなる。
【００７３】
主制御基板３１０は、主たる制御を司るＭＰＵ、遊技プログラムを記憶したＲＯＭ、遊技の進行に応じた必要なデータを記憶するＲＡＭ等を備えている。本実施の形態においては、これらＭＰＵ等が１チップ化されてなるＭＰＵチップ３１１が同主制御基板３１０に着脱可能な状態で取り付けられている。また、詳細な説明は省略するが、主制御基板３１０には上記ＭＰＵチップ３１１以外にも、入出力ドライバ用ＩＣチップ，ラッチ用ＩＣチップ，コンデンサ，抵抗などの各種素子や、複数のコネクタ３１２（図１２参照）が搭載されている。
【００７４】
図１２に示すように、主制御基板３１０においてはＭＰＵチップ３１１を除く上記各種構成が全て同一の板面上に搭載されており、それら各種構成はその逆側の板面にて半田付けされている。つまり、主制御基板３１０は、一方の板面が素子搭載面３１５となっており、他方の板面が半田面３１６となっている。なお、半田面３１６とは、素子搭載面３１５に搭載される各種素子の半田付け部分が設けられる面であるが、当該半田面３１６に対して回路パターンが形成されていてもよい。
【００７５】
基板ボックス３２０は、複数のボックス構成体として、表側構成体（ボックスカバー）３５０と裏側構成体（ボックスベース）４５０とを有しており、それら両構成体３５０，４５０が相互に組み合わされてなる（図１１参照）。これら表側構成体３５０及び裏側構成体４５０は、基板ボックス３２０内に収容された主制御基板３１０の素子搭載面３１５及び半田面３１６を基板ボックス３２０外から視認可能となるように透明性を有する合成樹脂材料（具体的には無色透明のポリカーボネート樹脂）により形成されている。なお、基板ボックス３２０の形成材料はこれに限定されることなく、アクリル樹脂等であってもよい。また、基板ボックス３２０内部を必ずしも視認可能とする必要はなく、例えば同基板ボックス３２０を有色不透明とし、当該基板ボックス３２０の内部を視認不可とすることも可能である。
【００７６】
表側構成体３５０は、図１２に示すように、表側構成体３５０の周縁を規定する表側周縁部３５１と、当該表側周縁部３５１から一方に膨出するようにして形成された膨出部３５２とが一体成形されてなり、全体として主制御基板３１０側に開放された略矩形箱状をなしている。
【００７７】
膨出部３５２は主制御基板３１０に対向する平面部３５３と同平面部３５３から起立するとともに主制御基板３１０を囲む周壁部３５６とを有してなり、同膨出部３５２によって主制御基板３１０を収容する収容空間の一部が区画形成されている。なお、詳細な説明は省略するが、表側周縁部３５１には主制御基板３１０に設けられたコネクタ３１２を基板ボックス３２０外に露出させるための開口部や、放熱用の開口部等が形成されている。
【００７８】
表側構成体３５０にはその背面側から主制御基板３１０がネジ止めされている。表側構成体３５０への主制御基板３１０の固定を主制御基板３１０の半田面側から行うことにより主制御基板３１０の素子搭載面３１５に搭載された各種素子を主制御基板３１０と表側構成体３５０との間の領域内に収容している。このため、表側構成体３５０と主制御基板３１０とが一体化された状態では、同表側構成体３５０及び主制御基板３１０によって上記素子へのアクセスが妨げられることとなる。
【００７９】
このようにして主制御基板３１０が一体化された表側構成体３５０の開放部分を覆うようにして同表側構成体３５０と裏側構成体４５０とが組み合わされている。
【００８０】
裏側構成体４５０は、長板状をなす平面部４５１と当該平面部４５１の周縁を囲むようにして形成された裏側周縁部４５２とが一体形成されてなり、主制御装置１８０の正面視にて横長の矩形状をなしている。
【００８１】
表側構成体３５０に対してその裏面側から裏側構成体４５０を固定することにより、表側構成体３５０の表側周縁部３５１と裏側構成体４５０の裏側周縁部４５２とが重なり、膨出部３５２の裏面側への開放部分が裏側構成体４５０の平面部４５１により塞がれている。この場合、主制御基板３１０の半田面３１６は、裏側構成体４５０によって覆われることとなる。つまり、主制御基板３１０の素子搭載面３１５はその全体が表側構成体３５０と対向しており、主制御基板３１０の半田面３１６はその全体が裏側構成体４５０と対向している。上記構成の主制御装置１８０は、表側構成体３５０の表面がパチンコ機１０後方を向くようにして搭載されている（図７及び図８参照）。
【００８２】
次に、表側構成体３５０と裏側構成体４５０との固定に係る構成について説明する。両構成体３５０，４５０の固定に係る構成としては、両構成体３５０，４５０の相対変位を特定方向のみに規制する規制手段と、当該特定方向への相対変位を妨げるようにして両構成体３５０，４５０を相互に固定する固定手段とが採用されている。
【００８３】
先ず、図１２（特に部分拡大図）に基づき規制手段について詳細に説明する。
【００８４】
表側構成体３５０には規制手段を構成するフック部３５５が一体形成されている。フック部３５５は表側周縁部３５１の両長辺部（具体的には、上縁部及び下縁部）にそれぞれ配設されており、それら長辺部に沿って延びている。また、それらフック部３５５は、裏側構成体４５０側に向けて起立しており、各フック部３５５において自由端側となる部位（先端部分）が他方のフック部３５５とは反対側に向けて折れ曲がっている（図１２の部分拡大図参照）。
【００８５】
裏側構成体４５０（詳しくは平面部４５１）の上下の各長辺部には、上記フック部３５５とともに規制手段を構成する溝部４５３が形成されている。各溝部４５３は、平面部４５１の各長辺に沿って延びているとともに表側構成体３５０側に開放されており、その開放部分を通じてフック部３５５の先端部分が同溝部４５３内に嵌まっている。
【００８６】
これら開放部分には、フック部３５５の先端部分に対して表側構成体３５０側から当接する当接部４５４が形成されており、溝部４５３に嵌まったフック部３５５はこれら当接部４５４によって溝部４５３からの脱落が抑えられた状態で同溝部４５３内を摺動可能となっている。
【００８７】
溝部４５３における一方の端部（すなわち裏側構成体４５０の一方の短辺部）には、他方の端部（他方の短辺部）とは反対側に開放された入口部４５３ａが形成されており、この入口部４５３ａを通じてフック部３５５が挿入又は離脱可能となっている。例えば表側構成体３５０のフック部３５５を上記入口部４５３ａに挿入してそのまま表側構成体３５０を同挿入方向（上記特定方向）へスライドさせることで、両構成体３５０，４５０を組み合わせることができる。
【００８８】
裏側構成体４５０（詳しくは平面部４５１）において入口部４５３ａが形成されている側とは反対側の短辺部には、同短辺部から起立し、表側構成体３５０の膨出部３５２（詳しくは周壁部３５４）に対向する対向壁部４５５が設けられている。上述した溝部４５３に沿って表側構成体３５０を組み合わせ側にスライド（相対変位）させた場合には、表側構成体３５０が対向壁部４５５に当接する位置へ到達することで、同方向へのそれ以上のスライドが阻止されることとなる。
【００８９】
また、対向壁部４５５の外周縁には他方の短辺側に起立する起立壁部４５６が形成されており、これら対向壁部４５５及び起立壁部４５６によって表側構成体３５０における膨出部３５２の一側部を囲む囲み部４５７が構成されている。両構成体３５０，４５０の組み合わせが完了した状態では、この囲み部４５７に対して膨出部３５２の一側部が嵌まる。これにより、同囲み部４５７によって上記特定方向と交差する方向への両構成体３５０，４５０の相対変位が規制されることとなる。つまり、囲み部４５７を有する構成とすることにより、溝部４５３やフック部３５５に生じる負荷を分散させることが可能となっている。
【００９０】
基板ボックス３２０において対向壁部４５５が設けられている側の端部には、両構成体３５０，４５０を相互に固定する固定手段３３０が設けられている（図１１参照）。固定手段３３０は、基板ボックス３２０において上記内部空間を区画形成している本体部３２１から側方（主制御基板３１０とは反対側）に突出しており、同固定手段３３０によって主制御基板３１０が見えづらくなることが回避されている。
【００９１】
＜固定手段３３０＞
固定手段３３０については、主制御基板３１０を基板ボックス３２０内に封印する封印手段としての機能が付与されている。つまり、固定手段３３０によって表側構成体３５０と裏側構成体４５０とが固定され、開封の痕跡を残存させること無く基板ボックス３２０を開封することが困難となる。このように固定手段３３０を用いて封印を施すことで、主制御基板３１０に対する不正なアクセス等が抑制される。
【００９２】
固定手段３３０は、個別に設けられた第１固定手段３３０Ａ及び第２固定手段３３０Ｂを有してなり、それら各固定手段３３０Ａ，３３０Ｂによる封印をそれぞれ解除することにより基板ボックス３２０が開封され、両構成体３５０，４５０の分離が許容されることとなる。本実施の形態においては特に、各固定手段３３０Ａ，３３０Ｂに異なる固定手法が適用されている。そこで以下、図１１〜図１３（ａ）を参照して第１固定手段３３０Ａについて説明し、その後第２固定手段３３０Ｂについて説明する。図１３（ａ）は両構成体３５０，４５０の組み合わせ完了前の状態を示す斜視図である。
【００９３】
＜第１固定手段３３０Ａ＞
第１固定手段３３０Ａは、表側構成体３５０に設けられた表側固定部３３１と、裏側構成体４５０に設けられた裏側固定部３３２とを有してなる（図１２参照）。
【００９４】
図１３（ａ）に示すように、表側固定部３３１は、周壁部３５４において裏側構成体４５０の対向壁部４５５に対向している側の壁部に一体的に設けられている。表側固定部３３１は、同周壁部３５４から上記特定方向と同じ方向（側方）に延設された複数のアーム部３６１を有している。アーム部３６１は周壁部３５４に一体形成されており、同アーム部３６１の先端部分には第１係止金具３７０を搭載する台座部３６２が設けられている。
【００９５】
台座部３６２は各アーム部３６１に跨るようにして形成されており、台座部３６２に対して第１係止金具３７０がネジ止めされることで同第１係止金具３７０が表側構成体３５０に対して一体化されている。
【００９６】
裏側構成体４５０の対向壁部４５５には、表側固定部３３１に対応する開口部４５８が形成されている。開口部４５８は、対向壁部４５５の厚さ方向に貫通するとともに表側固定部３３１の通過を許容する大きさに形成されており、同開口部４５８を通じて表側固定部３３１が基板ボックス３２０の本体部３２１とは反対側に突出しているとともに表側構成体３５０の周壁部３５４によって本体部３２１側から塞がれている。
【００９７】
より具体的には、開口部４５８からアーム部３６１が突出することで、台座部３６２及び第１係止金具３７０が囲み部４５７の外側に張り出した状態となっている。このように表側固定部３３１において開口部４５８から囲み部４５７外に張り出している部分が上記裏側固定部３３２によって覆われている。
【００９８】
裏側固定部３３２は、表側固定部３３１を収容する収容部４６１を有している。収容部４６１は、対向壁部４５５に一体成形されており、開口部４５８側に開放された略箱状をなしている。つまり、収容部４６１は開口部４５８と連通しており、同開口部４５８を通じた当該収容部４６１内への表側固定部３３１の移動を許容している。
【００９９】
収容部４６１には、第１係止金具３７０と対をなす第２係止金具４７０を挿通可能な挿通部４６２が形成されている。挿通部４６２は収容部４６１の内外に通じる通路状をなしており、その延長上に上記第１係止金具３７０が配置されている。より詳しくは、第１係止金具３７０には第２係止金具４７０を挿入可能な挿入部３７１が形成されており、上記挿通部４６２と挿入部３７１とが連通するようにして第１係止金具３７０が配置されている。
【０１００】
第２係止金具４７０は挿入部３７１に挿入される長板状のベース部４７１を有しており、このベース部４７１において一端寄りとなる部分が挿入部３７１の内面に対向するとともに同ベース部４７１において他端寄りとなる部分が挿通部４６２の内面に対向している。このため、両構成体３５０，４５０を上記特定方向に相対移動させようとすると、ベース部４７１が挿入部３７１の内面及び挿通部４６２の内面に当接し、それら両構成体３５０，４５０の相対移動が規制されることとなる。
【０１０１】
第１係止金具３７０には、挿入部３７１の内側へ突出する爪部３７２が設けられており、第２係止金具４７０のベース部４７１には同爪部３７２が係合する係合孔４７２が形成されている。爪部３７２が係合孔４７２に対して係合することで、挿入部３７１からの第２係止金具４７０の取り外しが規制される。
【０１０２】
ベース部４７１における挿通部４６２側の端部は同挿通部４６２の途中に位置しており、その端部には折曲部４７３が形成されている。折曲部４７３は、その外形が挿通部４６２の内形に合わせて形成されており、挿通部４６２を当該挿通部４６２の内側から塞ぐ大きさを有している。この折曲部４７３によって上記爪部３７２等へのアクセスが妨げられている。また、折曲部４７３の挿通部４６２からの突出が抑えられており、第２係止金具４７０を掴んで引っ張るといった行為が困難となっている。
【０１０３】
このように、第２係止金具４７０が基板ボックス３２０に取り付けられ、両係止金具３７０，４７０が係止状態となった後は、それら係止金具３７０，４７０の係止状態を解除して両構成体３５０，４５０を分離することが不可となる。つまり、主制御基板３１０が基板ボックス３２０内に封印された状態となる。
【０１０４】
＜第１固定手段３３０Ａの封印解除に関する構成＞
次に、再び図１１及び図１３（ａ）を参照して、両係止金具３７０，４７０による係止状態を解除する場合に利用される構成、すなわち第１固定手段３３０Ａによる封印を解除する（開封する）場合に利用される構成について説明する。
【０１０５】
収容部４６１において対向壁部４５５と繋がっている部分には、収容部４６１の内外に貫通する複数のスリット４６４が形成されており、収容部４６１の強度が部分的に弱くなるように設定されている。言い換えれば、スリット４６４間の肉部分（以下、繋ぎ部４６５と称する）を介して収容部４６１と対向壁部４５５とが繋がっている。各繋ぎ部４６５は表側固定部３３１のアーム部３６１に対して外側から重なる位置に配されており、カッターやニッパ等の工具を用いて繋ぎ部４６５ごとアーム部３６１を切断することにより、第１固定手段３３０Ａの主要部分が基板ボックス３２０から分離されることとなる。つまり、上記両係止金具３７０，４７０の係止状態そのものを解除するのではなく、それら係止金具３７０，４７０を含んだ固定部３３１，３３２を基板ボックス３２０から分離することにより、両構成体３５０，４５０の固定が解除される。これにより、基板ボックス３２０が開封されることとなる。
【０１０６】
このように、第１固定手段３３０Ａによる封印を解除した場合には、基板ボックス３２０に破壊の痕跡（開封痕跡）が残存することとなり、事後的に基板ボックス３２０の開封がなされたことを目視にて確認可能となっている。第１固定手段３３０Ａに開封痕跡を残存させる機能が付与されている点に着目すれば、第１固定手段３３０Ａ（特に繋ぎ部４６５）を「第１痕跡手段」と称することも可能である。
【０１０７】
特に、上述したスリット４６４（繋ぎ部４６５）は、係止金具３７０，４７０の係止状態を解除したり、収容部４６１の繋ぎ部４６５以外の部分を破壊する等して第１固定手段３３０Ａを基板ボックス３２０から分離したりして基板ボックス３２０を開封させるよりも同開封作業が容易となるように形成されている。
【０１０８】
また、スリット４６４は、同スリット４６４よりも上記台座部３６２や第１係止金具３７０のほうが収容部４６１の奥側に位置するように配されている。これにより、同スリット４６４を通じてワイヤ等の不正具が挿入された場合であっても、同不正具が係止部位へ到達することを困難なものとし、防犯機能の低下を好適に抑制することが可能となっている。
【０１０９】
以上詳述した第１固定手段３３０Ａは、基板ボックス３２０の各長辺部寄りとなる位置、すなわち各溝部４５３寄りとなる位置にそれぞれ配置されており、封印機能の向上が図られている。
【０１１０】
それら両第１固定手段３３０Ａによって挟まれた位置に上記第２固定手段３３０Ｂが配置されている（図１０参照）。第１固定手段３３０Ａにおいては目視によって開封事実の確認を可能としたが、第２固定手段３３０Ｂについては目視による開封事実の確認機能に加え、目視以外の方法による開封事実の確認機能が付与されている。以下、図１３及び図１４に基づき第２固定手段３３０Ｂについて説明する。図１３（ｂ）は図１０のＡ−Ａ線部分断面図、図１４は第２固定手段３３０Ｂ及びそれに関連する構成を分解して示す基板ボックス３２０の拡大斜視図である。
【０１１１】
＜第２固定手段３３０Ｂ＞
図１３に示すように、第２固定手段３３０Ｂは、両構成体３５０，４５０を結合する結合手段（結合部材）としてのネジ４１１と、同ネジ４１１の取付部位を構成する取付ベース３４１とを備えている。
【０１１２】
取付ベース３４１は、表側構成体３５０の短辺部（詳しくは周壁部３５４）から突出する表側取付ベース部３８１と、裏側構成体４５０の短辺部（詳しくは対向壁部４５５）から突出する裏側取付ベース部４８１とを有してなる。対向壁部４５５には裏側取付ベース部４８１に並べて挿通孔４５９が形成されており、表側構成体３５０及び裏側構成体４５０が組み合わされた状態においては、同挿通孔４５９に挿通された表側取付ベース部３８１と裏側取付ベース部４８１とが両構成体３５０，４５０の並設方向に重なっている。
【０１１３】
表側取付ベース部３８１は周壁部３５４から起立する平板部３８２を有している。平板部３８２は、表側構成体３５０の短辺部に沿って延びる長板状をなしている。平板部３８２の各短辺部寄りとなる位置には、裏側取付ベース部４８１を構成する１組のアーム部４８２が配設されている。アーム部４８２は対向壁部４５５から起立しており、その突出量が周壁部３５４からの平板部３８２の突出量よりも小さくなるように形成されている。
【０１１４】
アーム部４８２の途中位置には両ベース部３８１，４８１の並設方向に貫通するネジ孔４８３が形成されており、平板部３８２にはそれらネジ孔４８３に連通する連通孔３８４が形成されている。より詳しくは、連通孔３８４は、ネジ孔４８３に対して同一軸線上となるように配置されている。そして、裏側取付ベース部４８１とは反対側からそれら連通孔３８４に挿入されたネジ４１１が各ネジ孔４８３に対して螺着されることにより、両取付ベース部３８１，４８１の固定が行われている。このようにネジ４１１によって両取付ベース部３８１，４８１を固定することにより、両構成体３５０，４５０の相対変位が規制されている。
【０１１５】
連通孔３８４においてネジ孔４８３とは反対側となる部位はネジ４１１の頭部に対応させて拡径されており（以下便宜上、拡径部４８３ａと称する）、それら拡径部４８３ａ内にネジ４１１の頭部が収容されている。つまり、平板部３８２において裏側取付ベース部４８１とは反対側の板面からのネジ４１１の突出が回避されている。本実施の形態においては、ネジ４１１と共に第２固定手段３３０Ｂを構成する封印シール５００を有し、同封印シール５００を平板部３８２に貼り付けてネジ４１１を覆うことにより、ネジ４１１の取り外し痕跡を残存させることを特徴の１つとしているが、ネジ４１１の頭部の突出を抑える構成を採用したのは、表側取付ベース部３８１への封印シール５００の貼付を容易化するための工夫である。
【０１１６】
ここで、表側取付ベース部３８１と封印シール５００との関係について説明する。
【０１１７】
表側取付ベース部３８１において裏側取付ベース部４８１とは反対側の板面には、封印シール５００を貼り付けるための貼付領域ＡＥが区画形成されている。具体的には、平板部３８２の周縁部において、同平板部３８２の自由端側の周縁部を除く部位には当該平板部３８２から起立する一連の周壁部３８３が形成されている。周壁部３８３は、上記連通孔３８４（詳しくは開口部分）を囲んでおり、当該周壁部３８３によって同開口部分を含んだ領域が上記貼付領域ＡＥとして区画形成されている。
【０１１８】
この貼付領域ＡＥに対して封印シール５００を貼り付けることによりネジ４１１が覆われた状態となり、同ネジ４１１を取り外す際には封印シール５００が破壊されることとなる。
【０１１９】
＜封印シール５００＞
以下、図１５及び図１６に基づき封印シール５００について説明する。図１５（ａ）は封印シール５００の正面図、図１５（ｂ）は封印シール５００の裏面図、図１６は封印シール５００の断面図である。
【０１２０】
封印シール５００は、図１５及び図１６に示すように、略矩形状のベースシート５０１を備えており、ベースシート５０１の裏面には粘着剤が塗布されてなる粘着層５０２が設けられている。粘着層５０２には電子タグ（又はＲＦＩＤタグ）としてのＩＣタグ５０３が埋め込まれている。なお、図１６においては、粘着層５０２に剥離シート５０４が積層されているが、当該剥離シート５０４は封印シール５００を基板ボックス３２０に貼り付ける際に剥がされる。
【０１２１】
ベースシート５０１はポリエステル系フィルムなどの可撓性樹脂フィルムにより形成されており適度な脆性を有し、さらに溶剤や熱に対して反応性を有する。具体的には、粘着層５０２を構成する粘着剤に対して溶解性を備えたトルエンなどがベースシート５０１に塗布されると、ベースシート５０１は変色する。また、粘着層５０２の粘着力が低下する温度（例えば、５０℃）以上の熱が加えられた場合にもベースシート５０１は変色する。これにより、基板ボックス３２０の貼付領域ＡＥから封印シール５００を不正に剥がそうとして溶剤がかけられたり、熱が加えられたりした場合、ベースシート５０１が変色することで当該不正行為の痕跡を残すことができる。
【０１２２】
ベースシート５０１の表面には、図１５（ａ）に示すように、インク塗布部５０５、識別番号部５０６及び機種情報部５０７が設けられている。インク塗布部５０５には、紫外線などといった特定の波長の光が照射されることにより模様が表れる特殊インクが塗布されている。識別番号部５０６には、複数の数字が記載されており、当該識別番号部５０６に記載される数字はパチンコ機毎に異なっている。機種情報部５０７には、当該遊技機の機種名や当該遊技機の製造メーカー名などが記載されている。
【０１２３】
粘着層５０２の粘着剤は、従来の封印シールと同様に、一旦貼り付けされた後に剥がされるとベースシート５０１から剥がれる程度の粘着力を有している。したがって、封印シール５００が剥がされた場合には再度貼り付けすることが不可能なものであり、さらには粘着層５０２の一部が貼付領域側に残ることとなる。よって、封印シール５００を不正に剥がした痕跡を残すことができる。
【０１２４】
ＩＣタグ５０３は、ＩＣチップ５１１及びアンテナ部材５１２を備えている。ＩＣチップ５１１は集積回路として形成されるものであり、制御部及びメモリ領域を有する。メモリ領域は、データ書き換え不可な不揮発性メモリ（ＲＯＭ）により構成されており、その記憶容量は例えば１２８ｂｉｔとなっている。メモリ領域には、識別情報としてのＩＤ情報が格納されている。具体的には、製造メーカ名（又は複数のメーカごとに付されたメーカ固有番号）、遊技機固有のＩＤ番号が格納されている。ＩＣチップ５１１のメモリ領域はデータ書き換え不可であるため、ＩＤ情報が不正に改ざんされる等の不都合が抑制できるようになっている。
【０１２５】
アンテナ部材５１２は平面矩形状であって比較的薄い（例えば、１０〜２００μｍ）長尺状となっており、アルミや銅等の金属の導体箔として形成されている。アンテナ部材５１２の長手方向（又は長さ方向）のほぼ中央には、ＩＣチップ５１１が配置されている。かかるＩＣチップ５１１の配置は、例えば異方導電性フィルムや導電ペーストなどの接着剤によって、ＩＣチップ５１１の図示しない電極をアンテナ部材５１２に固定することで行われている。
【０１２６】
アンテナ部材５１２においてＩＣチップ５１１が配置された位置には、アンテナ部材５１２の表面から裏面に貫通させてスリット５１３が形成されている。スリット５１３は、ＩＣチップ５１１からアンテナ部材５１２の長手方向に延びる第１スリット部５１４と、ＩＣチップ５１１から上記長手方向に対して交差する方向、具体的には上記長手方向に直交する方向に延び、アンテナ部材５１２の端部に達する第２スリット部５１５とからなり、全体としてＬ字状に形成されている。スリット５１３は、ＩＣチップ５１１の内部に形成されている容量素子と結合してＩＣチップ５１１とアンテナ部材５１２との間のインピーダンスを整合させるマッチング回路を構成するインダクタとして機能する。この点、スリット５１３を整合用切り込みと称することができ、さらには当該スリット５１３が正常に機能しないとＩＣタグ５０３において正常な通信が不可となる構成に鑑みると通信用整合部又は不可状態発生部と称することができる。
【０１２７】
また、アンテナ部材５１２は共振調整回路としての機能を有しており、アンテナ部材５１２の長さ寸法は通信特性に重要な影響を与えるものである。最適なアンテナ部材５１２の長さ寸法は動作条件により変わるが、アンテナ部材５１２の周囲が空気である場合には、動作周波数のほぼ１／２波長が最適値となり、周囲が誘電体で覆われている場合には誘電体による波長短縮効果があるので、最適長さ寸法はこれより短い大きさとなることが知られている。本パチンコ機１０におけるアンテナ部材５１２の長さ寸法は、動作周波数が一定周波数となるように、約５０ｍｍの大きさに設定されている。
【０１２８】
ＩＣチップ５１１のＩＤ情報は、制御部によって呼び出されてアンテナ部材５１２から電波として発信することができるように構成されており、アンテナ部材５１２から発信された電波を、リーダ装置で受信してＩＤ情報を読み取ることができるようになっている。
【０１２９】
ＩＣタグ５０３（アンテナ部材５１２）は、図１５（ｂ）に示すように、ベースシート５０１においてその一隅部側からその対角方向の隅部側に亘って斜めに配置されている。この場合、長尺状のアンテナ部材５１２はその長手方向がベースシート５０１のすべての辺方向と交差することとなる。
【０１３０】
封印シール５００にはアンテナ用切り込み５１６が形成されている。アンテナ用切り込み５１６はベースシート５０１の表面から粘着層５０２の表面まで貫通している。なお、粘着層５０２の表面とは、封印シール５００の裏面側において露出している面であり、この点、アンテナ用切り込み５１６は封印シール５００の表面から裏面まで貫通しているとも言える。
【０１３１】
アンテナ用切り込み５１６は、アンテナ部材５１２の長手方向に対して直交する方向又は略直交する方向に延びる直線状である。ちなみに、アンテナ部材５１２の長手方向に対して直交する方向又は略直交する方向は、ベースシート５０１の全ての辺方向と交差する方向となる。
【０１３２】
アンテナ用切り込み５１６は、アンテナ部材５１２の短手方向において当該アンテナ部材５１２を間に挟むようにして形成されているとともに、各長辺部側において長手方向に沿って等間隔となるように複数形成されている。各アンテナ用切り込み５１６は、ベースシート５０１においてアンテナ部材５１２の配置されていない領域側を一端として、他端側がアンテナ部材５１２の配置されている領域に若干かかる構成となっている。この場合に、一方の長辺部側のアンテナ用切り込み５１６は他方の長辺部側のアンテナ用切り込み５１６に対して短手方向に並ばないように形成されている。
【０１３３】
複数のアンテナ用切り込み５１６の一部は、アンテナ部材５１２においてスリット５１３が形成された領域に対しても隣接させて設けられている。この場合、一方の長辺部側における一部のアンテナ用切り込み５１６が、アンテナ部材５１２においてスリット５１３が形成された領域に対して隣接させて設けられているとともに、他方の長辺部側における一部のアンテナ用切り込み５１６も、アンテナ部材５１２においてスリット５１３が形成された領域に対して隣接させて設けられている。つまり、アンテナ用切り込み５１６は、少なくともアンテナ部材５１２においてスリット５１３が形成された領域を間に挟むようにして形成されている。
【０１３４】
封印シール５００の４隅には、ベースシート５０１の表面側から粘着層５０２の表面まで貫通する隅側切り込み５１７がそれぞれ形成されている。隅側切り込み５１７は、封印シール５００の隅角に沿うようにしてＬ字状に形成されている。また、封印シール５００の外縁には、外縁端部から内側に向けて多数の外縁切り込み５１８が形成されている。これら外縁切り込み５１８は、内側から外側に向けて開くようにして鋭角のＶ字状となっており、さらに封印シール５００の外周に沿って等間隔で形成されている。
【０１３５】
上記のようにアンテナ用切り込み５１６、隅側切り込み５１７及び外縁切り込み５１８が形成されていることにより、封印シール５００を貼付領域ＡＥから剥がそうとすると、ベースシート５０１に破れが生じたり、アンテナ部材５１２が切断されたりする。
【０１３６】
具体的には、封印シール５００を貼付領域ＡＥから剥がす場合、剥がす力に伴う応力が封印シール５００の隅側切り込み５１７や外縁切り込み５１８に集中するため、封印シール５００の破壊が生じる。これにより、ホール管理者等にとっては、剥がした後の封印シール５００が再貼付されている場合にはその破壊を目視確認することで上記不正開放の事実を把握することが可能となる。
【０１３７】
また、剥がす力に伴う応力がアンテナ用切り込み５１６の端部に集中することで、アンテナ用切り込み５１６を介してベースシート５０１が破壊され、それに伴ってアンテナ部材５１２が切断される。この場合、アンテナ部材５１２の長さ寸法が小さくなるため、通信可能距離が短くなる。これにより、上記管理者にとっては、リーダ装置を用いた通信がしづらい又は通信ができないことを確認することで、上記不正開放の事実を把握することができる。
【０１３８】
なお、アンテナ用切り込み５１６がアンテナ部材５１２において一方の長辺部側に形成されているとともに他方の長辺部側に形成されていることにより、封印シール５００が剥がされた場合にアンテナ用切り込み５１６を通じたスリット領域の破壊又は切断が生じ易くなっている。
【０１３９】
また、各アンテナ用切り込み５１６は、ベースシート５０１においてアンテナ部材５１２の配置されていない領域側を一端として、他端側がアンテナ部材５１２の配置されている領域に若干かかるように形成されている。これにより、アンテナ用切り込み５１６を通じて封印シール５００が破れた場合には、その破れ領域は封印シール５００においてスリット領域に容易に達するため、アンテナ用切り込み５１６を通じたスリット領域の破壊又は切断が生じ易くなる。
【０１４０】
また、アンテナ用切り込み５１６はベースシート５０１に形成されておりアンテナ部材５１２には形成されていない。さらに、アンテナ部材５１２の一方の長辺部側に形成されたアンテナ用切り込み５１６と他方の長辺部側に形成されたアンテナ用切り込み５１６とがアンテナ部材５１２の幅方向に並ばないように形成されている。これにより、アンテナ用切り込み５１６を通じてスリット領域が破壊又は切断され易くなるようにした構成において、封印シール５００を貼付領域ＡＥに正規に貼り付ける際に誤ってスリット領域が破壊又は切断されてしまう可能性が低減される。
【０１４１】
＜カバー部材５５０＞
貼付領域ＡＥに貼り付けられた封印シール５００は上記取付ベース３４１と共にカバー部材５５０によって覆われており、主制御装置１８０の外部からの同封印シール５００へのアクセスが制限されている。以下、このカバー部材５５０について、図１３（ｂ）及び図１４を用いて説明する。
【０１４２】
カバー部材５５０は、無色透明の合成樹脂（具体的にはポリカーボネート樹脂）からなり、当該カバー部材５５０を通じた上記封印シール５００の視認性が担保されている。但し、カバー部材５５０は無色透明に限定されることはなく、カバー部材５５０外から封印シール５００を目視確認できるようにする上では、封印シール５００を目視確認できる程度の透明性を有していればよい。例えば有色透明とすることも可能である。また、カバー部材５５０外から封印シール５００を目視確認することはできなくなるが、カバー部材５５０を非透明に形成してもよい。この場合、カバー部材５５０により囲まれた空間内を外部から確認することができないため、不正行為者にとってはカバー部材５５０への対策を採りづらくなる。
【０１４３】
カバー部材５５０は、図１４に示すように、基板ボックス３２０側に開口する略箱状をなしている。具体的には、カバー部材５５０は、取付ベース３４１に対して同取付ベース３４１の先端側から対向する奥壁部５５２と、同奥壁部５５２から取付ベース３４１側に起立するとともに同取付ベース３４１を各取付ベース部３８１，４８１の並設方向（取付ベース３４１の厚さ方向）両側から挟んで対向する１組の第１対向壁部５５３と、両第１対向壁部５５３に連なり取付ベース３４１を当該取付ベース３４１の幅方向両側から挟んで相対向する第２対向壁部５５４とを有してなる。これら各壁部５５２〜５５４によって区画形成されている空間は、封印シール５００が貼り付けられた取付ベース３４１全体を収容可能な大きさを有している。
【０１４４】
ここで、カバー部材５５０と封印シール５００との関係について補足説明する。カバー部材５５０によって取付ベース３４１の略全体が囲まれていることにより、封印シール５００はその全体がカバー部材５５０によって囲まれた状態となっている。これにより、封印シール５００がカバー部材５５０により保護されることとなる。例えば、パチンコ機１０の出荷時などにはシュリンクフィルムを熱収縮させてパチンコ機１０が覆われることとなるが、主制御装置１８０がパチンコ機１０の背面に露出している構成においては、シュリンクフィルムが熱収縮する際の収縮方向への負荷や熱などの封印シール５００やＩＣタグ５０３への影響を抑えることが好ましく、上記のようにカバー部材５５０が設けられていることにより上記影響を低減することができる。
【０１４５】
また、カバー部材５５０は電波を透過可能に形成されているとともに、封印シール５００のＩＣタグ５０３とカバー部材５５０との間には電波を遮断する部材が設けられていない。したがって、遊技ホールの管理者等はＩＣタグ５０３からＩＤ情報の読み取りを行う場合にカバー部材５５０を取り外すことなく当該読み取り作業を行うことができる。
【０１４６】
この場合、遊技ホールの管理者等はＩＣタグ５０３からＩＤ情報の読み取りを行う場合にリーダ装置の先端をカバー部材５５０に当接又は近接させることで、ＩＤ情報の読み取り作業を簡単且つ確実に行うことができる。つまり、カバー部材５５０はＩＤ情報の読み取り作業に際しての位置決め部として機能する。
【０１４７】
ＩＣタグ５０３がカバー部材５５０によって覆われているため、遊技ホールの管理者等がＩＣタグ５０３へリーダ装置を近づけようとすると、カバー部材５５０と当接し、それ以上近づけることができない。換言すれば、ＩＣタグ５０３に対してリーダ装置による識別情報の読み取りを行う場合の読み取り位置がＩＣタグ５０３から予め定められた距離（カバー部材５５０とＩＣタグ５０３との距離）よりも近づかないように制限されている。これにより、リーダ装置の先端をカバー部材５５０に当接又は近接させた状態で読み取り作業を行うように決めておけば、例えばアンテナ部材５１２に切断が生じることによってＩＣタグ５０３の通信可能距離が短くなった場合には、リーダ装置にてＩＤ情報を読み取ることができなくなる。よって、アンテナ部材５１２に切断が生じた事実を把握することが可能となり、基板ボックス３２０の不正な開放操作が行われた可能性があることを認識することができる。
【０１４８】
再び図１４を参照して説明すれば、カバー部材５５０の第２対向壁部５５４には、当該カバー部材５５０において基板ボックス３２０側に開口する開口部５５１から奥壁部５５２に延びる溝部５５５が形成されている。溝部５５５はカバー部材５５０の内側に開放されており、カバー部材５５０を基板ボックス３２０に装着する際には取付ベース３４１の両側部、詳しくは表側取付ベース部３８１と裏側取付ベース部４８１とが重なっている部分を上記溝部５５５に挿入し、同溝部５５５内を取付ベース３４１が移動するようにしてカバー部材５５０を押し込むことにより同カバー部材５５０内に取付ベース３４１が収容される。以下便宜上、溝部５５５等によって規定された基板ボックス３２０側へのカバー部材５５０の移動方向を同カバー部材５５０の装着方向、基板ボックス３２０とは反対側へのカバー部材５５０の移動方向を同カバー部材５５０の取外方向と称する。
【０１４９】
カバー部材５５０が装着完了位置に配置されている状態、すなわちカバー部材５５０の開口部５５１が基板ボックス３２０に近接している状態では、取付ベース３４１と第１対向壁部５５３との間に隙間が形成されており、基板ボックス３２０（詳しくは取付ベース３４１）からの当該カバー部材５５０の取り外しを規制する規制部材６００が上記隙間に収まるようにして配設されている。
【０１５０】
＜規制部材６００＞
以下、図１４，図１７及び図１８に基づき、規制部材６００及びそれに付随する構成について説明する。図１７は取付ベース３４１及びその周辺の部分拡大図、図１８（ａ）は図１７のＢ−Ｂ線部分断面図、図１８（ｂ）は図１７のＣ−Ｃ線部分断面図である。なお、図１７においては便宜上規制部材６００にドットハッチングを付与している。
【０１５１】
図１３（ｂ）に示すように、規制部材６００は、カバー部材５５０の奥壁部５５２に対向するベース板部６０１を有しており、当該ベース板部６０１が奥壁部５５２に対してネジ止めされることで同規制部材６００とカバー部材５５０に一体化されている。
【０１５２】
ベース板部６０１において取付ベース３４１とは反対側の端部には、当該取付ベース３４１から起立する起立板部６０２が形成されている。起立板部６０２は、第１対向壁部５５３に沿って延びており、その先端部分がカバー部材５５０の開口部５５１に達している。
【０１５３】
起立板部６０２の先端部分には、当該起立板部６０２を挟んでベース板部６０１と対向する対向板部６０３が形成されている。対向板部６０３は、裏側構成体４５０の対向壁部４５５に沿って取付ベース３４１側に延びており、その先端部にはベース板部６０１側に折曲成形された第１折曲部６０４が設けられている。第１折曲部６０４は、その先端部分に向けて取付ベース３４１との距離が小さくなるように傾斜している。
【０１５４】
第１折曲部６０４は各アーム部４８２寄りとなる位置にそれぞれ配設されており、裏側取付ベース部４８１におけるアーム部４８２の先端部分には第１折曲部６０４側に突出しそれら第１折曲部６０４の先端部分に上記取外方向先側から対峙するストッパ部４８４が形成されている（図１８参照）。ストッパ部４８４に対して第１折曲部６０４が当接することで、カバー部材５５０の取外方向への移動が規制されることとなる。
【０１５５】
ここで、第１折曲部６０４及びストッパ部４８４によるカバー部材５５０の取外規制を解除する際に利用される構成について説明する。
【０１５６】
カバー部材５５０の第１対向壁部５５３において平板部３８２（貼付領域ＡＥ）と対向している部分には、連通孔３８４及びネジ孔４８３と同一軸線上に位置するようにして第１貫通孔５５６が形成されている。第１貫通孔５５６は、その内径がネジ４１１の頭部の外径よりも若干大きく設定されており、当該第１貫通孔５５６を通じたネジ４１１の取り外しを許容している。
【０１５７】
また、平板部３８２には、上記第１折曲部６０４の先端部分と対向している部分を含むようにしてスリット３８５が形成されている。スリット３８５は平板部３８２の厚さ方向に貫通しているとともに上記取外方向と同じ方向に延びており、その一端が取外方向先側に開放されている。カバー部材５５０の第１対向壁部５５３においてスリット３８５と対向している部分、詳しくはスリット３８５を通じて第１折曲部６０４の先端部分と対向している部分にはネジ受け部５５７が形成されている。ネジ受け部５５７は第１対向壁部５５３の厚さ方向に貫通するネジ孔５５７ａを有しており、同ネジ孔５５７ａの内径及び当該ネジ孔５５７ａに形成されたネジ溝のピッチはネジ４１１における軸部の外径及びネジ溝のピッチに合わせて設定されている。
【０１５８】
ネジ孔５５７ａに螺着されたネジ４１１は、スリット３８５を通じて裏側取付ベース部４８１側に突出することとなる。スリット３８５を通過したネジ４１１の先端部分は第１折曲部６０４の先端部分に対して当接し、同ネジ４１１が取付完了位置までねじ込まれることで第１折曲部６０４を押圧して変形させることが可能となっている。ネジ４１１における軸部の長さ寸法は、当該ネジ４１１によって第１折曲部６０４を押して変形させることにより同第１折曲部６０４とストッパ部４８４との引っ掛かりが解除された解除状態に移行可能となるように設定されている。
【０１５９】
つまり、基板ボックス３２０を開封する際には、両構成体３５０，４５０を固定しているネジ４１１を第１貫通孔５５６を通じて取り外した後、同ネジ４１１をネジ受け部５５７に挿通することで、第１折曲部６０４及びストッパ部４８４によるカバー部材５５０の取外規制が解除される。
【０１６０】
本実施の形態においては、上述した第１折曲部６０４及びストッパ部４８４以外にも、カバー部材５５０の取り外しを規制する構成（第２規制手段）が採用されている。そこで以下、図１７及び図１８（ｃ）に基づき係る取外規制に関する構成について説明する。図１８（ｃ）は図１７のＤ−Ｄ線部分断面図である。
【０１６１】
図１７に示すように、表側取付ベース部３８１（詳しくは平板部３８２）において上記両スリット３８５の間となる部位にはネジ受け部３８６が設けられている。ネジ受け部３８６は、図１８（ｃ）に示すように、裏側取付ベース部４８１側に突出する円柱状をなしており、その中心部分には平板部３８２の厚さ方向に貫通するネジ孔３８６ａが形成されている。このネジ孔３８６ａに対して貼付領域ＡＥ側からネジ４２１が螺着されている。
【０１６２】
平板部３８２においてネジ受け部３８６が配されている部分には、ネジ孔３８６ａと同一軸線上となるようにして凹部３８７が形成されている。この凹部３８７にネジ４２１の頭部が収容されており、当該頭部の凹部３８７からの突出が回避されている。凹部３８７の開放部分については、上記連通孔３８４の入口部分と同様に封印シール５００によって覆われており、封印シール５００を破壊することなく同ネジ４２１を取り外すことが困難となっている。
【０１６３】
ネジ４２１の軸部はネジ孔３８６ａから貼付領域ＡＥとは反対側に突出しており、規制部材６００の対向板部６０３において両第１折曲部６０４の間となる部位にはネジ４２１の突出部分に対して取外方向手前側から対峙する第２折曲部６０５が設けられている。第２折曲部６０５は、同第１折曲部６０４と同じ側に折曲成形され、その先端部分に向けて表側取付ベース部３８１（平板部３８２）との距離が徐々に小さくなるように傾斜しているが、同第２折曲部６０５に関する詳細な説明は省略する。
【０１６４】
この第２折曲部６０５がネジ４２１の軸部に対して当接することにより、カバー部材５５０の取外方向への移動が規制されることとなる。つまり、これらネジ４２１及び第２折曲部６０５によってカバー部材５５０の取り外しを規制する第２の規制手段が構成されている。
【０１６５】
カバー部材５５０の第１対向壁部５５３においてネジ孔３８６ａと同一軸線上となる部位には、同第１対向壁部５５３の厚さ方向に貫通する第２貫通孔５５８が形成されている。第２貫通孔５５８の内径はネジ４２１の通過を許容する大きさとなるように設定されており、当該第２貫通孔５５８を通じた上記ネジ４２１の取り外しが可能となっている。
【０１６６】
つまり、第２規制手段による規制を解除する際には、ネジ４２１を第２貫通孔５５８を通じて取り外すことにより第２折曲部６０５の移動経路上からネジ４２１が離脱し、それらネジ４２１と第２折曲部６０５との引っ掛かりが解除される。これにより、第２規制手段による取外規制が解除される。
【０１６７】
次に、封印シール５００の貼付位置に係る構成について図１９を用いて説明する。図１９は貼付領域ＡＥにおける封印シール５００と取付ベース３４１との位置関係を示す概略図である。なお、説明の便宜上、同図１９においては、隅側切り込み５１７及び外縁切り込み５１８を省略して示す。
【０１６８】
図１９に示すように、封印シール５００は貼付領域ＡＥに貼り付けられており、当該封印シール５００によって貼付領域ＡＥの略全体が覆われている。これにより、平板部３８２に形成されている連通孔３８４の入口部分，ネジ受け部３８６の入口部分（詳しくは凹部３８７の開放部分），スリット３８５の貼付領域ＡＥ側への開放部分が封印シール５００により覆われている。これにより、ネジ４１１，４２１の取付操作や取外操作が封印シール５００によって阻害される。よって、封印シール５００を破壊することなく、カバー部材５５０を取り外したり基板ボックス３２０を開放させたりすることが困難になっている。
【０１６９】
封印シール５００においてアンテナ部材５１２は、既に説明したとおり、ベースシート５０１においてその一隅部側からその対角方向の隅部側に亘って配置されている。この場合、ＩＣタグ５０３（アンテナ部材５１２）がスリット３８５を跨いでいる。これにより、スリット３８５に沿って封印シール５００が切断された場合には、アンテナ部材５１２が配設された領域が切断され、ＩＣタグ５０３において正常な通信が不可となる。
【０１７０】
ここで、アンテナ部材５１２とネジ受け部３８６との位置関係について説明する。
【０１７１】
アンテナ部材５１２における長手方向の一方の端部は、図１７及び図２０（ｂ）に示すように、貼付領域ＡＥにおけるネジ受け部３８６の入口部分を跨いでいる。詳細には、アンテナ部材５１２の短手方向の寸法はネジ受け部３８６の入口部分の孔径よりも小さくなっており、さらにアンテナ部材５１２がネジ受け部３８６の入口部分を挟んで当該入口部分の周縁部を架渡すように配置されている。このようにアンテナ部材５１２が配置されていることにより、アンテナ部材５１２の端部は、ネジ４１１におけるネジ溝側とは反対側の端部と対峙している。但し、ネジ４１１におけるネジ溝側とは反対側の端部（頭部）がネジ受け部３８６における軸線方向の途中位置に配置されているため、ネジ４１１とアンテナ部材５１２とは接触していない。
【０１７２】
例えば、アンテナ部材５１２がネジ４１１に接触すると、設定された動作周波数（例えば、２．４５ＧＨｚ）が変化してしまい、アンテナ部材５１２を通じた通信が良好に行えなくなるおそれがある。そうすると、ＩＣチップ５１１に記憶されたＩＤ情報をリーダ装置により読み取ろうとしてもそれが行えないおそれがあるが、上記のようにアンテナ部材５１２とネジ４１１とが接触していないことにより、上記不都合の発生が抑えられている。
【０１７３】
既に説明したように取付ベース３４１には貼付領域ＡＥを区画するように周壁部３８３が形成されている。つまり、貼付領域ＡＥは周壁部３８３によって囲まれている。そして、貼付領域ＡＥに貼り付けられている封印シール５００の周縁はその全体が周壁部３８３に近接している。これにより、封印シール５００を剥がそうとしても、その剥がし行為が困難なものとなっている。
【０１７４】
封印シール５００が周壁部３８３に近接していることにより、封印シール５００の貼り付け作業に際しては、封印シール５００が周壁部３８３によって囲まれた領域内からはみ出ないように貼り付けることで、アンテナ部材５１２とスリット３８５，ネジ受け部３８６，連通孔３８４との位置関係は、自ずと上記のような関係となる。
【０１７５】
また、図１９に示すように、周壁部３８３によって囲まれる領域は、封印シール５００の面積よりも広くなっている。これにより、封印シール５００の貼り付け作業に際しては、貼り付け位置に所定のゆとりが生まれ、貼り付け作業の作業性が向上されている。この場合に、その貼り付け位置のゆとりは、アンテナ部材５１２とスリット３８５，ネジ受け部３８６，連通孔３８４との位置関係が、自ずと維持される範囲内で設定されている。
【０１７６】
＜基板ボックス３２０の組立作業＞
ここで、図２０及び図２１に基づき基板ボックス３２０の組立作業、すなわち主制御装置１８０における主制御基板３１０の封印作業について説明する。図２０及び図２１は基板ボックス３２０の組立作業の流れを示す概略図であり、主制御基板３１０を封印する際には図２０（ａ）→図２０（ｂ）→図２１（ｃ）→図２１（ｄ）の順に作業が行われる。
【０１７７】
主制御基板３１０を基板ボックス３２０内に封入する際には、先ず表側構成体３５０に対して主制御基板３１０を固定する。その後、図２０（ａ）に示すように、表側構成体３５０のフック部３５５を裏側構成体４５０の溝部４５３に挿入し、表側構成体３５０を溝部４５３に沿ってスライドさせる。
【０１７８】
表側構成体３５０の膨出部３５２が裏側構成体４５０の対向壁部４５５に対して当接する位置まで同表側構成体３５０を押し込むことで、当該表側構成体３５０に装着された第１係止金具３７０が裏側構成体４５０の収容部４６１内に収容され、同収容部４６１の挿通部４６２と第１係止金具３７０の挿入部３７１とが同一軸線上に並ぶこととなる。ここで、第２係止金具４７０を挿通部４６２を通じて挿入部３７１へ挿し込むことにより、それら係止金具３７０，４７０が係止状態となって両構成体３５０，４５０の分離が妨げられることとなる。
【０１７９】
両構成体３５０，４５０が組み合わされた状態では、図２０（ｂ）に示すように、表側構成体３５０の表側取付ベース部３８１が裏側構成体４５０の挿通孔４５９を通じて基板ボックス３２０の側方に突出している。かかる状態では表側取付ベース部３８１と裏側取付ベース部４８１とが基板ボックス３２０の厚さ方向に重なり、表側取付ベース部３８１の連通孔３８４と裏側取付ベース部４８１のネジ孔４８３とが同一軸線上に並ぶこととなる。
【０１８０】
ここで、表側取付ベース部３８１の連通孔３８４側から挿入したネジ４１１をネジ孔４８３に対して螺着することにより、両構成体３５０，４５０が固定されることとなる。そして、表側取付ベース部３８１のネジ受け部３８６にネジ４２１を螺着した後、表側取付ベース部３８１の貼付領域ＡＥに対して封印シール５００を貼り付けることで、それら各ネジ４１１，４２１の取り外し軌道上に封印シール５００が配置され、同ネジ４１１，４２１の取り外しが同封印シール５００によって妨げられた状態となる（図２１（ｃ）参照）。
【０１８１】
図２１（ｃ）に示すように、封印シール５００を貼り付けた後は、当該封印シール５００を覆うカバー部材５５０の取り付けを行う。カバー部材５５０を取り付ける際には、カバー部材５５０の開口部５５１を通じて、当該カバー部材５５０内に取付ベース３４１が嵌まるようにカバー部材５５０を移動させる。より詳しくは、カバー部材５５０の溝部５５５に取付ベース３４１の両側部が挿入されるようにして、カバー部材５５０を基板ボックス３２０側に押し込むことで、カバー部材５５０の取付経路のばらつきが抑制される。
【０１８２】
この押し込み操作に伴って、カバー部材５５０に内蔵された規制部材６００の第１折曲部６０４が取付ベース３４１のストッパ部４８４に当たることとなる。その後、カバー部材５５０が取付完了位置に向けて押し込まれることで、第１折曲部６０４が当該第１折曲部６０４の傾斜によってストッパ部４８４から遠ざかる側に撓み変形（弾性変形）する。第１折曲部６０４は、図２１（ｄ）に示すようにカバー部材５５０が取付完了位置に達することでストッパ部４８４による押圧が回避され、自身に蓄えられた弾性力によって変形前の状態に復帰する。これにより、第１折曲部６０４に対してストッパ部４８４が取外方向先側から対峙し、ストッパ部４８４と第１折曲部６０４とが引っ掛かった状態となる。
【０１８３】
また、規制部材６００の第２折曲部６０５についても同様に、カバー部材５５０の押し込み操作に伴ってネジ４２１に当たり、カバー部材の５５０の更なる移動によってネジ４２１から遠ざかる側に撓み変形（弾性変形）することとなる。その後、図２１（ｄ）に示すように、カバー部材５５０が取付完了位置に達することで、ネジ４２１による押圧が回避され、自身に蓄えられた弾性力によって変形前の状態に復帰する。これにより、第２折曲部６０５に対してネジ４２１が取外方向先側から対峙し、それらネジ４２１と第２折曲部６０５とが引っ掛かった状態となる。
【０１８４】
このように、ストッパ部４８４及び第１折曲部６０４が引っ掛かるとともにネジ４２１及び第２折曲部６０５が引っ掛かることにより、カバー部材５５０の取り外しが規制される。これにより、基板ボックス３２０の組み立てが完了し、主制御基板３１０が同基板ボックス３２０内に封入された状態となる。
【０１８５】
＜基板ボックス３２０の開封作業＞
次に、図２２〜図２５に基づき基板ボックス３２０の開封作業、特に第２固定手段３３０Ｂによる封印を解除する際の作業について説明する。図２２〜図２５は、カバー部材５５０の取り外しの様子を示す概略図であり、第２固定手段３３０Ｂによる封印を解除する際には、図２２（ａ）→図２２（ｂ）→図２３（ｃ）→図２３（ｄ）→図２４（ｅ）→図２４（ｆ）→図２５（ｇ）→図２５（ｈ）の順に作業が行われることとなる。なお、図２２〜図２５においては、便宜上封印シール５００にドットハッチングを付与している。また、図２２（ａ）及び図２３（ｃ）においては工具Ｔを２点差線を用いて仮想的に示している。
【０１８６】
第２固定手段３３０Ｂによる封印を解除する際には、図２２（ａ）に示すように工具Ｔを用いてネジ４２１の取外作業を行う。具体的には、先ずカバー部材５５０の第２貫通孔５５８を通じて工具Ｔ（詳しくはドライバ）を挿入し、封印シール５００におけるネジ受け部３８６を覆っている部分を当該工具Ｔによって破壊することにより、ネジ４２１へのアクセス経路を確保する。その後、工具Ｔによってネジ４２１を回動させることにより、封印シール５００の破壊部分→第２貫通孔５５８を通じてネジ４２１が取り外されることとなる（図２２（ｂ）参照）。
【０１８７】
本実施の形態においては特に、カバー部材５５０の第１対向壁部５５３が表側取付ベース部３８１に近接させて配置されている。このため、ネジ４２１を引き抜く際に同ネジ４２１と封印シール５００とが引っ掛かった場合であっても、封印シール５００の取付ベース３４１からの浮き上がりが第１対向壁部５５３によって抑えられる。故に、封印シール５００によってネジ４２１の取外作業が煩雑化することを好適に抑制可能となっている。
【０１８８】
また、工具Ｔによる破壊痕跡が小さい場合（例えばネジ４２１の通過を許容するのに十分でない大きさ）であっても、ネジ４２１の取り外しによって少なくともネジ４２１の頭部が通過可能となる大きさに破壊痕跡が拡張されることとなる。このため、破壊痕跡が極端に小さくなって本来同破壊痕跡が奏するべき開封履歴の確認機能が十分に発揮されなくなるといった不都合を生じにくくすることができる。
【０１８９】
このように封印シール５００が破壊された際には、封印シール５００のアンテナ部材５１２の一部が切断され、同アンテナ部材５１２による通信機能が低下する又は無効となる。これにより、上述したリーダ装置を用いた識別コードの読み取りが困難又は不可となり、上記管理者は上記不正開放の事実を把握することが可能となる。
【０１９０】
図２２（ｂ）に示すように、ネジ４２１を取り外した場合には、同ネジ４２１と規制部材６００の第２折曲部６０５との引っ掛かりが解消され、それらネジ４２１及び第２折曲部６０５によるカバー部材５５０の取外規制が解除される。
【０１９１】
次に、図２３（ｃ）に示すように、工具Ｔを用いてネジ４１１の取外作業を行う。具体的には、先ずカバー部材５５０の第１貫通孔５５６を通じて工具Ｔを挿入し、封印シール５００における連通孔３８４を覆っている部分を当該工具Ｔによって破壊することにより、ネジ４１１へのアクセス経路を確保する。その後、工具Ｔによってネジ４１１を回動させることにより、封印シール５００の破壊部分→第１貫通孔５５６を通じてネジ４１１が取り外されることとなる（図２３（ｄ）参照）。
【０１９２】
このようにしてネジ４１１を取り外した後は、図２４（ｅ）→図２４（ｆ）に示すように同ネジ４１１をカバー部材５５０のネジ受け部５５７（ネジ孔５５７ａ）に螺着する。ネジ４１１をネジ孔５５７ａに沿ってねじ込むと、同ネジ４１１の軸部がネジ孔５５７ａから突出して封印シール５００に当接することとなる。そして、ネジ４１１のねじ込みを継続することで、同ネジ４１１の軸部が取付ベース３４１のスリット３８５に挿入され、当該軸部によって封印シール５００が破壊されることとなる。これにより、ネジ４１１の取外作業時に形成された破壊痕跡とは別の位置に破壊痕跡が形成されることとなる。
【０１９３】
更にネジ４１１のねじ込みが継続されると、同ネジ４１１の軸部が規制部材６００の第１折曲部６０４に対して当接する。ネジ４１１のねじ込みが継続されることで、第１折曲部６０４が対向板部６０３側の固定端を基端として撓み変形し、取付ベース３４１のストッパ部４８４に対する掛かり代が徐々に減少することとなる。その後、ネジ４１１が当該ネジ４１１の頭部がネジ受け部５５７に対して当たる位置に到達することで、上記掛かり代が０となる。これにより、ストッパ部４８４と第１折曲部６０４との引っ掛かりが解消され、それらネジ４１１及び第１折曲部６０４によるカバー部材５５０の取外規制が解除される。
【０１９４】
このようにして２種類の取外規制がそれぞれ解除されることで、カバー部材５５０の取り外しが許容されることとなる。
【０１９５】
次に、図２５（ｇ）→図２５（ｈ）に示すように、カバー部材５５０を基板ボックス３２０の本体部３２１から遠ざかる側に引き抜きを行う。カバー部材５５０の引き抜きに際しては、同カバー部材５５０の移動に追従してネジ４１１がスリット３８５に沿って移動することとなる。これにより、ネジ４１１によって封印シール５００が破壊され、スリット３８５に沿った２条の破壊痕跡が残存することとなる。このように破壊痕跡を拡大することにより、同破壊痕跡の視認性が向上される。
【０１９６】
また、スリット３８５に沿った破壊痕跡は、封印シール５００におけるアンテナ部材５１２を複数に分断するように形成されるため、アンテナ部材５１２による通信機能が一層低下することとなる。これにより、上述したリーダ装置を用いた識別コードの読み取りが困難又は不可となり、上記管理者は上記不正開放の事実を容易に把握可能となる。
【０１９７】
カバー部材５５０を取り外した後は、第１固定手段３３０Ａを基板ボックス３２０から分離することにより、両構成体３５０，４５０の結合が完全に解除され、それら両構成体３５０，４５０の分離操作が可能となる。これにより、基板ボックス３２０からの主制御基板３１０の取り外しが許容される。こうして表側構成体３５０から主制御基板３１０を取り外すことにより、主制御基板３１０（特にＭＰＵチップ３１１）の検査が容易化される。
【０１９８】
仮にカバー部材５５０の取外規制を解除した後、カバー部材５５０を取り付けた状態のまま、先に第１固定手段３３０Ａを分離した場合には、両構成体３５０，４５０を分離方向へスライドさせることで、結果として封印シール５００に上記破壊痕跡と同様の痕跡が形成されることとなる。
【０１９９】
具体的には、表側構成体３５０をスライドさせると、表側構成体３５０に追従して表側取付ベース部３８１及び封印シール５００が移動することとなる。この際、カバー部材５５０に固定されたネジ４１１が封印シール５００によって表側構成体３５０の移動方向と同じ方向に引っ張られることで、カバー部材５５０は表側構成体３５０に追従して移動しようとする。ここで、封印シール５００については取付ベース３４１とともに裏側構成体４５０（対向壁部４５５）の挿通孔４５９を通じて移動可能である一方、カバー部材５５０については裏側構成体４５０の対向壁部４５５に対して当接することにより同方向への移動が不可となる。このため表側構成体３５０とカバー部材５５０とは一体となって移動することはない。また、表側取付ベース部３８１においては、ネジ４１１が挿通されているスリット３８５が表側構成体３５０の移動方向とは反対側に延びており、同表側取付ベース部３８１によってネジ４１１（カバー部材５５０）が引っ張られることはない。
【０２００】
故に、ネジ４１１と封印シール５００との相対位置が変化し、あたかもネジ４１１がスリット３８５内を移動したかのようになる。これにより、封印シール５００には、ネジ４１１によってスリット３８５に沿って延びる破壊痕跡が形成されることとなる。
【０２０１】
＜パチンコ機１０の電気的構成＞
次に、第１の実施の形態におけるパチンコ機１０の電気的構成について、図２６のブロック図に基づき説明する。図２６では、電力の供給ラインを二重線矢印で示し、信号ラインを実線矢印で示す。
【０２０２】
主制御装置１８０に設けられた主制御基板３１０には、主制御回路７０２と停電監視回路７０３とが内蔵されている。主制御回路７０２には、上記ＭＰＵ７１１が搭載されている。ＭＰＵ７１１には、当該ＭＰＵ７１１により実行される各種の制御プログラムや固定値データを記憶したＲＯＭ７１２と、そのＲＯＭ７１２内に記憶される制御プログラムの実行に際して各種のデータ等を一時的に記憶するためのメモリであるＲＡＭ７１３と、割込回路やタイマ回路、データ入出力回路などの各種回路が内蔵されている。
【０２０３】
ＲＡＭ７１３は、パチンコ機１０の電源の遮断後においても電源・発射制御装置２４３に設けられた電源・発射制御基板７２１からデータ記憶保持用電力が供給されてデータが保持される構成となっている。
【０２０４】
ＭＰＵ７１１には、アドレスバス及びデータバスで構成されるバスラインを介して入出力ポートが接続されている。主制御回路７０２の入力側には、主制御基板３１０に設けられた停電監視回路７０３、払出制御装置２４２に設けられた払出制御基板７２２及びその他図示しないスイッチ群などが接続されている。この場合に、停電監視回路７０３には電源・発射制御基板７２１が接続されており、主制御回路７０２には停電監視回路７０３を介して電力が供給される。
【０２０５】
一方、主制御回路７０２の出力側には、停電監視回路７０３、払出制御基板７２２及び中継端子板７２３が接続されている。払出制御基板７２２には、賞球コマンドなどといった各種コマンドが出力される。中継端子板７２３を介して主制御回路７０２から音声ランプ制御装置１４３に設けられた音声ランプ制御基板７２４に対して各種コマンドなどが出力される。
【０２０６】
停電監視回路７０３は、主制御回路７０２と電源・発射制御基板７２１とを中継し、また電源・発射制御基板７２１から出力される最大電源である直流安定２４ボルトの電源を監視する。
【０２０７】
払出制御基板７２２は、払出装置２２４により賞球や貸し球の払出制御を行うものである。演算装置であるＭＰＵ７３１は、そのＭＰＵ７３１により実行される制御プログラムや固定値データ等を記憶したＲＯＭ７３２と、ワークメモリ等として使用されるＲＡＭ７３３とを備えている。
【０２０８】
払出制御基板７２２のＲＡＭ７３３は、主制御回路７０２のＲＡＭ７１３と同様に、パチンコ機１０の電源の遮断後においても電源・発射制御基板７２１からデータ記憶保持用電力が供給されてデータが保持される構成となっている。
【０２０９】
払出制御基板７２２のＭＰＵ７３１には、アドレスバス及びデータバスで構成されるバスラインを介して入出力ポートが接続されている。払出制御基板７２２の入力側には、主制御回路７０２、電源・発射制御基板７２１、及び裏パック基板７２９が接続されている。また、払出制御基板７２２の出力側には、主制御回路７０２及び裏パック基板７２９が接続されている。
【０２１０】
電源・発射制御基板７２１は、電源部と発射制御部とを備えている。電源部は、二重線矢印で示す経路を通じて、主制御回路７０２や払出制御基板７２２等に対して各々に必要な動作電力を供給する。発射制御部は、遊技者による遊技球発射ハンドル４１の操作にしたがって遊技球発射機構１１０の発射制御を担うものであり、遊技球発射機構１１０は所定の発射条件が整っている場合に駆動される。
【０２１１】
音声ランプ制御基板７２４は、各種ランプ部２４〜２６やスピーカ部２７、及び表示制御装置７２５を制御するものである。演算装置であるＭＰＵ７４１は、そのＭＰＵ７４１により実行される制御プログラムや固定値データ等を記憶したＲＯＭ７４２と、ワークメモリ等として使用されるＲＡＭ７４３とを備えている。
【０２１２】
音声ランプ制御基板７２４のＭＰＵ７４１にはアドレスバス及びデータバスで構成されるバスラインを介して入出力ポートが接続されている。音声ランプ制御基板７２４の入力側には中継端子板７２３に中継されて主制御回路７０２が接続されており、主制御回路７０２から出力される各種コマンドに基づいて、各種ランプ部２４〜２５、スピーカ部２７、及び表示制御装置７２５を制御する。表示制御装置７２５は、音声ランプ制御基板７２４から入力する表示コマンドに基づいて図柄表示装置９４を制御する。
【０２１３】
以上詳述した第１の実施の形態によれば、以下の優れた効果を奏する。
【０２１４】
基板ボックス３２０が開封された場合にその開封の痕跡を残存させる構成（例えば封印シール５００等）を採用することにより、同痕跡を目視等で確認することで事後的な開封事実の把握が可能となっている。これにより、例えば基板ケースに対する不正行為が行われた場合に、その事実の把握が可能となる。
【０２１５】
このような開封痕跡を残存させる構成においては、基板ボックス３２０が開封されていないにも関わらずあたかも開封されたかのように痕跡が残存してしまうと、それを発見した場合に主制御基板３１０の検査等を不要であると判断することが難しくなり、無駄な確認作業を行う必要が生じ得る。特に、このような事象が繰り返された場合には、開封痕跡を残存させる機能に対しての信頼性が低下し、ひいては防犯機能を効果的に発揮させることが困難になると想定される。この点、本実施の形態においては、カバー部材５５０によって封印シール５００を覆うことにより、同封印シール５００の露出を抑えている。これにより、封印シール５００へのアクセスを抑制し、上記不都合の発生を抑えることが可能となっている。
【０２１６】
カバー部材５５０においては基板ボックス３２０からの取り外しが規制部材６００等によって規制されており、その取外規制を解除するための規制解除操作を行うことで封印シール５００が破壊されて破壊痕跡が形成されることとなる。例えばカバー部材５５０の取り外しを封印シール５００によって妨げる構成とすることも可能である。しかしながら、係る構成においてはカバー部材５５０自体を痕跡を形成する際の操作部として活用することで利便性の向上が期待できる反面、作業ミス等によってカバー部材５５０が引っ張られる等した場合に開封作業が行われていないにも関わらず開封痕跡が残存するといった不都合が生じ得る。痕跡部を頑丈なものとすることでそのような不都合の発生を抑制することは可能であるが、係る対応では基板ボックス３２０開封時のカバー部材の取り外しが困難になり開封作業の効率が低下すると想定される。
【０２１７】
この点、本実施の形態によれば、カバー部材５５０の取り外しを規制手段によって規制することで、仮に上述の如くカバー部材５５０が引っ張られる等した場合であっても、それに起因した封印シール５００の破壊を好適に回避することができる。これにより、封印シール５００の弱体化を促進することが可能となる。故に、防犯機能の向上を図りつつ、それに起因した開封作業の困難化を好適に抑制することができる。
【０２１８】
また、取外規制の解除に用いたネジ４１１をそのまま封印シール５００の破壊手段として活用することにより、破壊手段（破壊部材）を別途採用する場合と比較して遊技機における構成の複雑化を抑制することができる。つまり、構成の複雑化を抑えつつ、防犯機能を向上することができる。
【０２１９】
特に、ネジ４１１は、ボックス構成体３５０，４５０同士の固定に使用されるため、ある程度の強度が要求される。このように、強度確保が必要となる部材を用いて上記封印シール５００を破壊することで、破壊痕跡の形成をより確実なものとすることができる。
【０２２０】
ネジ４１１は、取外規制の解除時にカバー部材５５０に対して固定され同カバー部材５５０の移動に追従して移動することとなる。つまり、カバー部材５５０の取り外しによって封印シール５００及びネジ４１１の相対位置が変化することとなる。これにより、カバー部材５５０の取外操作時の操作力を直接的に封印シール５００に伝えることができ、構成の複雑化を抑えつつ封印シール５００の破壊機能を好適に向上させることができる。
【０２２１】
また、ネジ４１１はネジ受け部５５７と係合することにより、解除位置にて保持されることとなる。故に、作業者に対して指等でネジ４１１を解除位置に保持したままカバー部材５５０を取り外すといった操作を強いることがなく、痕跡カバーの取外作業の煩雑化を好適に抑制することができる。
【０２２２】
規制部材６００は、カバー部材５５０に内蔵されており、同カバー部材５５０の取り外し操作に伴ってネジ４１１と第１折曲部６０４とが両者の位置関係を維持しながら移動する。これにより、カバー部材５５０の取り外し途中にて突如、規制状態に復帰し取外作業が妨げられるといった不都合を生じにくくすることができる。なお、第１折曲部６０４とネジ４１１との当接箇所に関しては、カバー部材５５０及び規制部材６００によって覆われており、同当接箇所へのアクセスが妨げられている。
【０２２３】
また、ネジ４１１に封印シール５００の破壊機能を付与した場合、同封印シール５００からの反力によってネジ４１１が変形又は変位することは規制解除機能が低下又は停止する要因となり得る。この点、ネジ受け部５５７によってネジ４１１を解除位置にて保持することにより、そのような不都合の発生を抑え、ネジ４１１に付与された破壊機能と規制解除機能とを好適に発揮させることができる。
【０２２４】
「痕跡部」としての封印シール５００がシート状をなす構成においては、当該封印シール５００の占有領域の拡がりを抑えつつ、その視認性を好適に向上することができる。しかしながら、封印シール５００をその拡がり方向に沿って破壊しようとした場合には、同封印シール５００が撓む等して上手く破壊できない可能性がある。
【０２２５】
そこで、本実施の形態においては、ネジ４１１を所定の解除位置に配置する（ネジ受け部５５７に取り付ける）ことにより、封印シール５００に貫通孔が形成される構成とした。このため、封印シール５００においてカバー部材５５０（ネジ４１１）の移動方向とは反対側となる部位が途切れることが回避され、ネジ４１１の移動方向と反対側となる部位が途切れている場合と比較してネジ４１１の移動に対する封印シール５００の撓みを抑えることができる。これにより、破壊痕跡形成の確実性向上に貢献することができる。
【０２２６】
また、封印シール５００を規制部材６００の第１折曲部６０４とネジ受け部５５７との間に配することにより、以下の効果が期待できる。すなわち、封印シールとネジ受け部との間に第１折曲部を配する場合と比較して、封印シール５００を破壊する際にネジ４１１やネジ受け部５５７に生じる反力によってそれらネジ４１１やネジ受け部５５７が変形等することを抑制できる。これによりネジ４１１の規制解除機能が低下することを抑制し、同規制解除機能と破壊機能とを好適に共存させることができる。特に、封印シール５００は、ネジ受け部５５７寄りとなる位置に配されていることで、封印シール５００を破壊する際に発生する反力の影響を好適に抑制することが可能となる。これにより、規制解除機能と破壊機能とを一層好適に共存させることができる。
【０２２７】
上述の如くネジ４１１を片持ちとする構成においては、封印シール５００を破壊する際の反力によってネジ受け部５５７を基端としてネジ４１１が撓むことが想定される。この点、また、第１折曲部６０４においては、カバー部材５５０の取外方向とは反対側、すなわち封印シール５００を破壊する際にネジ４１１に対して反力が作用する側に延びる構成を採用することで、仮に上記撓みが生じた場合であってもネジ４１１による第１折曲部６０４の押圧状態（解除状態）を維持することが可能となり、封印シール５００からの反力によって規制解除状態が解除されるといった不都合を生じにくくすることができる。
【０２２８】
ネジ４１１は、第１折曲部６０４が押圧されて撓み変形することにより、押圧方向（挿入方向）とは反対側に付勢されることとなる。これにより、ネジ受け部５５７との係合力を大きくしネジ４１１の緩み等を抑制することができる。故に、構成の複雑化及び大型化を抑えつつ、解除位置での保持機能を安定して発揮させることができる。
【０２２９】
基板ボックス３２０を開封する際には、先ずネジ４１１を基板ボックス３２０（詳しくは固定位置）から取り外すことにより両構成体３５０，４５０の結合を解除し、その後、同ネジ４１１をカバー部材５５０（詳しくは解除位置）に配置することでカバー部材５５０の取り外しが許容されることとなる。このように、複数の構成体を組み合わせることで基板ボックスを形成する構成を採用した場合には、構成体同士を固定し、開封時に同固定を解除することで各構成体の分離を許容する構成とすることが防犯機能向上の観点から好ましいと想定される。
【０２３０】
そこで、上述の如くネジ４１１を予め基板ボックス３２０に取り付けておき、更にネジ４１１に構成体３５０，４５０同士を固定する機能を付与しておくことで、固定解除作業をカバー部材５５０の取外規制解除のための予備的作業として利用できる。これにより、開封時の作業工程が増加することを抑制しつつ防犯機能を向上することが可能となり、実用上好ましい構成を実現することができる。
【０２３１】
封印シール５００においてはネジ４１１をネジ受け部５５７に取り付ける場合だけでなく、ネジ４１１を基板ボックス３２０の取付ベース３４１から取り外す場合にも、破壊痕跡が形成されることとなる。ネジ４１１を取り外す際に形成される破壊痕跡は、カバー部材５５０の取り外しに伴ってネジ４１１が通過する経路から外れた位置に形成される。このため、封印シール５００においては広域に亘って破壊痕跡が形成されることとなり、同痕跡の目視による確認の容易化が期待できる。
【０２３２】
＜第２の実施の形態＞
上記第１の実施の形態における主制御装置１８０では、主制御基板３１０に対する不正行為を抑制する各種防犯構造が採用されていたが、本実施の形態においてはそれら防犯構造に関する構成の一部が上記第１の実施の形態と相違している。具体的には、カバー部材の取外規制に関する構成と、同取外規制の解除に関する構成とが相違している。そこで以下、図２７〜図２９に基づきそれら相違する構成について説明する。図２７は第２固定手段及びそれに関連する構成を分解して示す基板ボックスの拡大斜視図、図２８は取付ベース及びその周辺の部分を拡大して示す部分拡大図、図２９（ａ）は図２８のＥ−Ｅ線部分断面図、図２９（ｂ）は図２９（ａ）の部分拡大図である。なお、以下の説明では上記第１の実施の形態と同一符号に係る構成についてはその説明を援用して、同構成に関する説明を簡略化又は省略し、第１の実施の形態との違いを主体に説明する。
【０２３３】
図２７に示すように本実施の形態における規制部材６００Ｘにおいては、第１折曲部６０４Ｘに関する構成が上記第１の実施の形態における第１折曲部６０４と相違している。具体的には、本実施の形態における第１折曲部６０４Ｘは、表側取付ベース部３８１Ｘ（詳しくは平板部３８２Ｘ）に対して貼付領域ＡＥとは反対側から対向する対向部６０４ａＸと、対向部６０４ａＸ及び対向板部６０３を繋ぐ繋ぎ部６０４ｂＸとを有してなる。
【０２３４】
繋ぎ部６０４ｂＸは、第１折曲部６０４Ｘの先端部分に向けて取付ベース３４１Ｘとの距離が小さくなるように傾斜している。カバー部材５５０Ｘを基板ボックス３２０に取り付ける際には、この繋ぎ部６０４ｂＸが取付ベース３４１のストッパ部４８４Ｘに対して当たることとなる。そして、カバー部材５５０Ｘの押し込みに伴って第１折曲部６０４Ｘがストッパ部４８４Ｘから遠ざかるようにして撓み変形することで対向部６０４ａＸとストッパ部４８４Ｘとの引っ掛かりが回避され、同カバー部材５５０Ｘの取付完了位置への移動が許容されることとなる。つまり、第１の実施の形態において第１折曲部６０４に付与されていた当該第１折曲部６０４の撓み変形を生じさせるための機能が繋ぎ部６０４ｂに付与されており、対向部６０４ａＸに関しては同機能を有していない。
【０２３５】
対向部６０４ａＸの中央部分には当該対向部６０４ａＸの厚さ方向に貫通する貫通孔６１１が形成されており、貫通孔６１１を挟んで表側取付ベース部３８１Ｘとは反対側には、ネジ受け部材６１２（詳しくはナット）が固定されている。ネジ受け部材６１２は、当該ネジ受け部材６１２に形成されたネジ孔６１２ａが貫通孔６１１と同一軸線上に位置するようにして配置されており、同貫通孔６１１とネジ孔６１２ａとが連通している。なお、貫通孔６１１の内径はネジ孔６１２ａの内径よりも僅かに大きく設定されており、同ネジ孔６１２ａへのアクセスが貫通孔６１１によって妨げられることが抑制されている。
【０２３６】
図２８に示すように、表側取付ベース部３８１Ｘのスリット３８５Ｘに関しては、第１折曲部６０４Ｘの先端部分に対峙する部位ではなく、上記ネジ孔６１２ａに対応する部位にまで延設されている。また、カバー部材５５０Ｘのネジ受け部５５７Ｘについても同様に、当該ネジ受け部５５７Ｘのネジ孔５５７ａＸがネジ受け部材６１２のネジ孔６１２ａと同一軸線上に位置するように配置されている。つまり、第１の実施の形態におけるスリット３８５及びネジ受け部５５７が、第１折曲部６０４の先端部に合わせて配置されていたのに対して、本実施の形態におけるスリット３８５Ｘ及びネジ受け部５５７Ｘは第１折曲部６０４Ｘのネジ孔６１２ａに合わせて配置されている。そして、これらネジ孔５５７ａＸ，スリット３８５，貫通孔６１１，ネジ孔６１２ａによってネジ４１１Ｘの挿入を許容する一連の通路が形成されている。
【０２３７】
ネジ孔５５７ａ，６１２ａの内径寸法は、両構成体３５０，４５０を固定しているネジ４１１Ｘにおける軸部４１１ａＸの外径寸法に合わせて設定されている。また、ネジ孔５５７ａＸに形成された溝部Ｔ２及びネジ孔６１２ａに形成された溝部Ｔ３の溝ピッチは、ネジ４１１Ｘの軸部４１１ａＸに形成された溝部Ｔ１の溝ピッチに合わせて設定されている。このため、ネジ４１１Ｘがネジ孔５５７ａＸに挿通され、同ネジ４１１Ｘの軸部４１１ａＸがネジ孔６１２ａに到達した場合には、当該ネジ孔６１２ａに対してネジ４１１Ｘがねじ込まれることとなる。
【０２３８】
ネジ孔６１２ａに関してはその途中位置にて溝部Ｔ３の一部が潰されている。ネジ４１１Ｘにおいては、軸部４１１ａＸの先端部がその潰された部分（以下便宜上、潰れ部ＳＴと称する）に到達することによりそれ以上のネジ４１１Ｘの回動が不可となり、当該ネジ４１１Ｘのネジ孔６１２ａ内への進入が妨げられることとなる。このように、ネジ４１１Ｘの進入を阻止する機能に着目すれば、同潰れ部ＳＴを「ストッパ部ＳＴ」と称することも可能である。
【０２３９】
なお、潰れ部ＳＴに関しては必ずしも必須の構成ではなく、これを省略することも可能である。但し、ネジ４１１Ｘがネジ孔６１２ａに対して嵌まっていることをネジ４１１Ｘの回動が妨げられることで把握できるため、目視による確認作業が不要となる点に鑑みれば、すなわち作業性を向上するという効果に鑑みれば、同潰れ部ＳＴを採用することが好ましい。
【０２４０】
上記第１の実施の形態及び本実施の形態においてはネジ４１１Ｘをネジ受け部５５７，５５７Ｘに取り付けることで封印シール５００が破壊されて基板ボックス３２０，３２０Ｘの開封痕跡が残存する構成を採用することにより、防犯機能の向上が図られている。しかしながら、このような開封痕跡を巧妙に隠蔽しつつ開封が行われた場合には、主制御基板３１０等への不正なアクセスが行われた可能性を把握することが困難になり、同不正行為に起因した損害が発生しやすくなると想定される。そこで、本実施の形態においては、第１折曲部６０４Ｘとストッパ部４８４Ｘとによる規制状態を解除する際に形成される封印シール５００の破壊痕跡を好適に残存させる工夫が施されている。以下、図２９に基づき係る構成について説明する。
【０２４１】
図２９（ｂ）に示すように、ネジ孔５６１によってネジ４１１Ｘが挿入される一連の通路のうち最外部が形成されている。ネジ孔５６１の延長上（延長領域ＥＥ）には、第１折曲部６０４Ｘの貫通孔６１１及びネジ孔６１３が位置しており、同延長領域ＥＥに第１折曲部６０４Ｘの肉部及びネジ受け部材６１２は位置していない。第１折曲部６０４Ｘを取付ベース３４１とは反対側に押圧するには、上記延長領域ＥＥに対して重なる部位（掛かり代）が必要であると想定され、一見すると本実施の形態に示す第１折曲部６０４Ｘを押圧することが困難であると考えられる。
【０２４２】
既に説明したようにネジ受け部材６１２のネジ孔６１２ａは単なる貫通孔ではなく、その内壁部分にネジ４１１Ｘの軸部に形成された溝部Ｔ１と係合する溝部Ｔ３が形成されている。つまり、ネジ孔６１２ａの溝部については延長領域ＥＥへの突出は抑えられているものの、当該ネジ孔６１２ａに到達したネジ４１１Ｘの溝部Ｔ１との係合が可能となっている。なお、図２９（ｂ）においては溝部（ネジ４１１Ｘの溝部Ｔ１，ネジ孔５５７ａＸの溝部Ｔ２，ネジ孔６１２ａの溝部Ｔ３）の断面部分にドットハッチングを付与している。
【０２４３】
ネジ孔６１２ａの溝部は、延長領域ＥＥへの突出が抑えられており、局所毎の掛かり代は小さく設定されている。しかしながら、ネジ４１１Ｘの回動にともない同ネジ４１１Ｘの全周に亘って溝部Ｔ１とＴ３とが係合することで、全体としての掛かり代を大きくすることができる。これにより、延長領域ＥＥへの突出を抑えつつ、上記掛かり代が好適に確保される。
【０２４４】
ここで、ネジ受け部５５７Ｘの変更点について補足説明する。ネジ受け部５５７Ｘは、カバー部材５５０Ｘの第１対向壁部５５３から取付ベース３４１Ｘとは反対側に突出する円筒状をなしており、上記第１の実施の形態と比較してネジ孔５５７ａＸの全長が拡大されている（少なくともネジ孔５５７ａＸの内径よりも長くなるように設定されている）。これにより、同ネジ受け部５５７Ｘにネジが取り付けられた状態にて、同ネジの移動方向がばらつくことが抑制されている。また、本実施の形態においては、ネジ孔５６１ａとネジ孔６１２ａとの間に表側取付ベース部３８１Ｘが介在しており、それらネジ孔５６１ａ，６１２ａの間に隙間が形成されている。このため、ネジ孔６１２ａに対して棒状の不正具等を斜めに挿入することで、第１折曲部６０４Ｘの板面に同不正具を到達させるといった行為がなされる可能性がある。そこで、上述の如くネジ孔５５７ａの全長を拡大することにより、そのような不正行為を難しくしている。
【０２４５】
また、本実施の形態におけるネジ４１１Ｘについては、上記第１の実施の形態におけるネジとはその形状が異なっている。具体的には、第１の実施の形態におけるネジ４１１は軸部全域に溝部が形成されていたの対して、本実施の形態におけるネジ４１１Ｘについては、図２９（ａ）に示すように軸部４１１ａＸの先端側半分にのみ溝部Ｔ１が形成されている。このため、軸部４１１ａＸは先端側半分の外径寸法が、基端側半分の外径寸法よりも溝部Ｔ１が形成されている分だけ大きくなっている。より具体的には、軸部４１１ａＸの先端側半分の外径寸法Ｄ１は基端側半分の外径寸法Ｄ２に対して、溝寸法Ｐ１の２倍分大きく設定されている。
【０２４６】
溝部Ｔ１は、ネジ４１１Ｘがネジ受け部５５７Ｘにおける所定位置まで挿入されることにより、同溝部Ｔ１全体がネジ受け部５５７Ｘから第１折曲部６０４側に突出し、溝部Ｔ２との係合が解除される構成となっている。また、溝部Ｔ１の全長は、軸部４１１ａＸの先端部分がネジ受け部材６１２のネジ孔６１２ａに挿入され同溝部Ｔ１が溝部Ｔ３と係合した状態にて同溝部Ｔ１の一部が溝部Ｔ２に対して係合可能となるように設定されているとともに、軸部４１１ａの先端部分が上記潰れ部ＳＴに当接した状態にて当該溝部Ｔ１と溝部Ｔ２との係合が解除されるように設定されている。つまり、溝部Ｔ１は、ネジ４１１Ｘの装着に伴って、溝部Ｔ１にのみ係合する状態→両溝部Ｔ２，Ｔ３に係合する状態→溝部Ｔ３にのみ係合する状態に変化する構成となっている。
【０２４７】
ここで、図３０及び図３１に基づき、ネジ受け部５５７Ｘに対するネジ４１１Ｘの取付時の、規制部材６００Ｘ等の動きについて説明する。図３０及び図３１は、規制部材６００Ｘの動作を示す概略図であり、ネジ４１１Ｘをネジ受け部５５７Ｘに取り付ける際には、図３０（ａ）→図３０（ｂ）→図３１（ｃ）→図３１（ｄ）の順に動作する。なお、図３０及び図３１においては、説明の便宜上、ネジ４１１Ｘの溝部Ｔ１にドットハッチングを付与している。
【０２４８】
取付ベース３４１Ｘからネジ４１１Ｘを取り外して、両構成体３５０，４５０の固定を解除した後は、同ネジ４１１Ｘを用いてカバー部材５５０Ｘの取外規制を解除する。
【０２４９】
ネジ４１１Ｘを取付ベース３４１から取り外して両構成体３５０Ｘ，４５０Ｘの固定を解除した後は、図３０（ａ）→図３０（ｂ）に示すようにネジ４１１Ｘをカバー部材５５０Ｘのネジ受け部５５７Ｘ（詳しくはネジ孔５５７ａＸ）にネジ４１１Ｘを挿入する。このネジ４１１Ｘの挿入過程においては、挿入操作に伴ってネジ４１１Ｘの軸部４１１ａＸがネジ孔５５７ａＸから突出し、封印シール５００に対して当接することとなる。そのままネジ４１１Ｘのねじ込みを継続すると、軸部４１１ａＸによって封印シール５００が破壊され（孔が形成され）、当該軸部４１１ａＸがスリット３８５Ｘに到達する。
【０２５０】
その後、更にネジ４１１Ｘをねじ込むことで、軸部４１１ａＸの先端部分が規制部材６００Ｘにおける第１折曲部６０４Ｘの貫通孔６１１に到達する（図３０（ｂ）参照）。
【０２５１】
図３０（ｂ）→図３１（ｃ）に示すように、ネジ４１１Ｘの先端部分がネジ受け部材６１２のネジ孔６１２ａに到達すると、ネジ４１１Ｘの軸部４１１ａＸ（詳しくは溝部Ｔ１）とネジ孔６１２ａ（詳しくは溝部Ｔ３）とが係合し、ネジ４１１Ｘがネジ孔６１２ａ内に進入することとなる。この際、ネジ４１１Ｘのネジ孔６１２ａに対する挿入量が所定量に達すると、ネジ４１１Ｘの溝部Ｔ１がネジ受け部５５７Ｘのネジ孔５５７ａから離脱し、同溝部Ｔ１と溝部Ｔ２との係合が解除される。これにより、ネジ４１１Ｘのスライド操作（押込操作）が許容された状態となる。
【０２５２】
軸部４１１ａＸの先端部分がストッパ部ＳＴに到達すると、それ以上の進入が不可となる。このように、軸部４１１ａＸの進入が不可となっている状態にてネジ４１１Ｘが押し込まれると、第１折曲部６０４Ｘは対向部６０４ａＸが取付ベース３４１から遠ざかようにして変形する。詳しくは、対向板部６０３側の基端部分を中心として撓み変形するとともに、繋ぎ部６０４ｂＸと対向部６０４ａとの境目を中心として撓み変形する。
【０２５３】
既に説明したように、第１折曲部６０４Ｘは、対向板部６０３側の端部が固定端、反対側の端部が自由端となるように片持ちとなっており、上記変形に際して固定端を中心とする回転方向に応力が発生することとなる。つまり、第１折曲部６０４Ｘが変形することによりネジ４１１Ｘとネジ孔６１２ａとの係合力が高まり、上述したストッパ部ＳＴに生じる負荷が溝部Ｔ１，Ｔ３における係合部分全体に分散されることとなる。
【０２５４】
図３１（ｄ）に示すように、ネジ４１１Ｘの頭部がネジ受け部５５７Ｘに当接する位置までネジ４１１Ｘが押し込まれると、第１折曲部６０４Ｘとストッパ部４８４Ｘとの掛かり代が０となり、それら第１折曲部６０４Ｘとストッパ部４８４Ｘとの引っ掛かりが解消される。これにより、カバー部材５５０Ｘの取外規制が解除されることとなる。
【０２５５】
このように、カバー部材５５０Ｘの取外規制を解除した後は、ネジ４１１Ｘを解除位置に保持したまま、同カバー部材５５０Ｘを基板ボックス３２０Ｘから遠ざかる側にスライド移動させることにより、同カバー部材５５０Ｘの取り外しが完了する。その後、上記第１の実施の形態と同様に、第１固定手段３３０Ａを取り除くことで主制御基板３１０の取り出しが許容されることとなる。
【０２５６】
例えば、図２９（ｂ）の２点鎖線に示すように、ネジ受け部材６１２に延長領域ＥＥ（ネジ４１１Ｘの移動経路上）に突出する突出片を設けることで、上記掛かり代を確保することも可能である。しかしながら、このような対応を行った場合には、錐等の不正具による押圧も容易となってしまう。このように、第１折曲部６０４Ｘをネジ４１１Ｘではなく不正具によって押圧することで開封の痕跡を目立たせないようにしてカバー部材５５０Ｘの取外規制が解除されることは好ましくない。
【０２５７】
この点、溝部Ｔ２の潰れ部ＳＴをストッパとして活用することで、延長領域ＥＥへの突出を好適に抑え、上記不都合の発生を好適に抑制することが可能となっている。また、延長領域ＥＥへの突出量を抑えた場合にはストッパとしての機能が低下しやすいと想定されるが、第１折曲部６０４Ｘの押し込み量の増大に追従して、溝部Ｔ１，Ｔ２同士の係合力が高まり、ストッパへの依存度を下げることができるため、ストッパとしての機能を好適に担保することができる。
【０２５８】
以上詳述した第２の実施の形態によれば、以下の優れた効果を奏する。
【０２５９】
基板ボックス３２０Ｘからカバー部材５５０Ｘを取り外す際には、規制部材６００Ｘによる取外規制を解除する必要がある。係る規制解除には、第１折曲部６０４Ｘ（詳しくは対向部６０４ａＸ）をカバー部材５５０Ｘのネジ孔５５７ａＸから遠ざかる側に押す必要があるが、対向部６０４ａＸには貫通孔６１１が形成されているため、例えばネジ４１１Ｘに代えて棒状の不正具等により同対向部６０４ａＸを押そうとしても同不正具によって押せる箇所を十分に確保することが困難となる。これにより、不正具等を用いた規制解除を困難なものとし、構成体３５０Ｘ，４５０Ｘ同士の固定解除に先行してカバー部材５５０Ｘが取り外されるといった不都合の発生を抑えることができる。故に、例えば痕跡部を巧妙に取り除く等して破壊痕跡を残存させること無く固定解除を行い、その後痕跡部を元の位置に戻すことで開封事実を隠蔽するといった行為を困難なものとすることができる。このように、開封痕跡が形成される前段階でのカバー部材５５０Ｘの取り外しを不可とすることで、同カバー部材５５０Ｘの存在意義が薄れるといった不都合を生じにくくすることができる。これにより、防犯性の向上を図ることができる。
【０２６０】
ネジ４１１Ｘを使用して上記規制を解除する際には同ネジ４１１Ｘを所定の解除位置に取り付けるという操作を行うことで、特に対向部６０４ａＸとの掛かり等を気にすることなく規制を解除することができる。このため、上述した防犯機能の強化を図りつつ、それに起因した開封作業の煩雑化を好適に抑制することができる。
【０２６１】
本実施の形態においては特に、対向部６０４ａＸ及びネジ受け部材６１２のネジ孔６１２ａの延長領域ＥＥ内への張り出しが回避されている。これにより、上述した防犯機能を一層好適なものとすることができる。つまり、上記不正具等によって対向部６０４ａＸを押圧しようとした場合であっても、同不正具は対向部６０４ａＸに形成された貫通孔６１１に入りやすくなり、同対向部６０４ａＸの押圧が困難になる。これにより、規制状態が不正に解除されることを抑制することができる。
【０２６２】
カバー部材５５０Ｘのネジ孔５５７ａＸにおいては、その内壁面に溝部Ｔ２が形成されており、同溝部Ｔ２の底部においてネジ孔５５７ａＸの内部領域が部分的に拡張されている。ネジ４１１Ｘが回動されると、上記拡張された領域をネジ４１１Ｘに形成された溝部Ｔ１が移動することで、ネジ４１１Ｘが解除位置へと移動することとなる。このように、溝部Ｔ１，Ｔ２を利用することにより、例えば棒状の不正具等をネジ孔５５７ａＸに沿って真っ直ぐ押し込む（スライドさせる）場合と比較してより広い領域を移動領域として利用可能となっている。このため、不正具等をネジ孔５５７ａＸに沿って真っ直ぐ挿入する場合と、ネジ４１１Ｘを回転させながら挿入する場合とでは、前者よりも後者のほうがネジ孔５５７ａＸにおける中心軸線の放射方向にて許容される移動領域が広くなる。つまり、ネジ４１１Ｘは上記延長領域ＥＥ以下の領域の通過が許容されることとなり、同延長領域ＥＥ外での対向部６０４ａＸとの係合が可能となる。これにより、ネジ４１１Ｘを用いた規制解除を可能としつつ、ネジ４１１Ｘ以外の不正具等を用いた規制解除操作を困難なものとすることが可能となっている。
【０２６３】
ネジ孔５５７ａＸに挿入したネジ４１１Ｘを回動させることにより、同ネジ４１１Ｘが対向部６０４ａＸに向けて移動する。その後、ネジ４１１Ｘがネジ受け部材６１２のネジ孔６１２ａに到達すると、当該ネジ孔６１２ａの溝部Ｔ３に対してネジ４１１Ｘが係合し、その後軸部４１１ａＸの先端部が潰れ部ＳＴに対して当接することとなる。このように、ネジ４１１Ｘの進入が潰れ部ＳＴによって阻止された後は、ネジ４１１Ｘの押し込み操作に伴ってネジ受け部材６１２が押され、規制部材６００Ｘ（第１折曲部６０４）が上記解除状態へ移行されることとなる。
【０２６４】
ここで、ネジ４１１Ｘによる押圧機能を安定させようとすれば、上記掛かり代を大きく設定すればよい。しかしながら、単に掛かり代を大きくするといった対応を行った場合には、同様に不正行為が容易化されるため好ましくない。
【０２６５】
この点、本特徴においては、局所毎のネジ４１１Ｘとネジ受け部材６１２との掛かり代を小さくしつつ、全体での掛かり代を大きくすることができる。これにより、ネジ４１１Ｘとネジ受け部材６１２との係合外れを抑制しつつ、同ネジ受け部材６１２を不正具によって押すといった不正行為を困難なものとすることができる。故に、解除機能の安定化を図りつつ、それに起因した防犯機能の低下を抑制することができる。特に、局所的に掛かり代が大きくなる部分が形成されることを回避することができるため、上記防犯機能の低下を好適に抑えることができる。
【０２６６】
ネジ４１１Ｘは、解除位置に配置されている状態では第１折曲部６０４Ｘによってネジ孔５５７ａＸ側に付勢される。これにより、ネジ４１１Ｘとネジ受け部５５７Ｘとの係合力を高めることができ、ネジ４１１Ｘを解除位置にて安定して保持することができる。故に、例えばカバー部材５５０Ｘの取外作業中にネジ４１１Ｘが解除位置からずれて同取外作業が妨げられるといった不都合を好適に回避することができる。
【０２６７】
上述の如くネジ４１１Ｘとネジ受け部材６１２との掛かり代を小さくする工夫を施すことにより防犯機能を好適に向上することが可能である。しかしながら、掛かり代が小さくなればなるほどネジ４１１Ｘとネジ受け部材６１２との外れ等の不具合が生じやすくなると想定される。この点、本実施の形態においては、第１折曲部６０４が規制解除に伴って撓み変形する。この撓み変形によってネジ受け部材６１２の中心軸線とネジ受け部５５７Ｘの中心軸線とがずれることでネジ４１１Ｘとネジ受け部材６１２との係合力を高めることができる。第１折曲部６０４Ｘを押圧することによって反力が増した場合にはそれに併せて係合力が増大する構成とすることで、上記不具合の発生を好適に抑制することができる。
【０２６８】
＜第３の実施の形態＞
上記第１の実施の形態及び第２の実施の形態においては、ネジ４１１を主制御装置１８０，１８０Ｘから一旦取り外した後、同ネジ４１１をネジ受け部５５７，５５７Ｘに取り付けることでカバー部材５５０，５５０Ｘの取外規制を解除する構成としたが、本実施の形態においては同取外規制の解除に関する構成がそれら各実施の形態と相違している。そこで以下、図３２に基づきそれら相違する構成について説明する。図３２は第３の実施の形態における第２固定手段及びそれに関連する構成を示す断面図である。なお、以下の説明では上記第１の実施の形態と同一符号に係る構成についてはその説明を援用して、同構成に関する説明を簡略化又は省略し、第１の実施の形態との違いを主体に説明する。
【０２６９】
図３２に示すように、表側取付ベース部３８１Ｙには、平板部３８２Ｙから裏側取付ベース部４８１Ｙ側に凸となるネジ受け部３９４が設けられている。ネジ受け部３９４は、裏側取付ベース部４８１Ｙのネジ孔４８３Ｙの中心軸線と同じ方向に延びる円筒状をなしており、同ネジ孔４８３Ｙに対して連通している。ネジ受け部３９４の内径寸法はネジ４１１（軸部４１１ａ及び頭部４１１ｂ）の挿入を許容する大きさに設定されている。より詳しくは、ネジ受け部３９４の内径寸法は、頭部４１１ｂの外径寸法より僅かに大きく設定されており、当該ネジ受け部３９４に挿入されたネジ４１１の頭部４１１ｂによって塞がれた状態となっている。
【０２７０】
ネジ受け部３９４の先端部分には、裏側取付ベース部４８１Ｙのアーム部４８２に対して当接する当接部３９５が形成されている。当接部３９５は円環状をなしており、その中央部分に形成された貫通孔３９５ａは、ネジ４１１の軸部４１１ａの通過を許容するとともに、ネジ４１１の頭部の通過を不可とする大きさに設定されている。
【０２７１】
ネジ受け部３９４の途中位置には、ネジ４１１の頭部に対してカバー部材５５０Ｙの第１貫通孔５５６Ｙとは反対側から当接する突起３９６が形成されている。この突起３９６に対してネジ４１１の頭部が当接する位置に配置されることで、ネジ４１１の軸部４１１ａが上記貫通孔３９５ａを通じて裏側取付ベース部４８１Ｙのネジ孔４８３Ｙに対して螺着され、両構成体３５０Ｙ，４５０Ｙが固定された状態となっている。
【０２７２】
このようにネジ４１１が固定位置に配置された状態では、当該ネジ４１１の先端部がネジ孔４８３Ｙ内に留まっており、同ネジ孔４８３Ｙからの突出が回避されている。ネジ孔４８３Ｙを挟んで上記第１貫通孔５５６Ｙとは反対側となる位置、詳しくはネジ孔４８３Ｙの延長には、規制部材６００Ｙの第１折曲部６０４Ｙが配置されている。
【０２７３】
第１折曲部６０４Ｙは、その先端部分がネジ４１１（詳しくは軸部４１１ａ）の先端部分と対峙するようにして形成されている。裏側取付ベース部４８１Ｙには、第１折曲部６０４Ｙの先端部分に対してカバー部材５５０Ｙの取外方向先側に位置するようにしてストッパ部４８４Ｙが形成されている。このストッパ部４８４Ｙと第１折曲部６０４Ｙとの関係が第１の実施の形態におけるストッパ部４８４と第１折曲部６０４との関係と同様であるため、詳細な説明は省略する。
【０２７４】
ここで、図３３に基づきカバー部材５５０Ｙの取外規制の解除作業について説明する。図３３は、取外規制の解除操作に基づいたネジ４１１及び規制部材６００の動きを示す概略図である。
【０２７５】
カバー部材５５０Ｙの取外規制を解除する場合には、図３３（ａ）に示すように、先ずネジ４１１に対応する工具Ｔ（詳しくはドライバ）をカバー部材５５０Ｙの第１貫通孔５５６に挿入する。この際、工具Ｔによって封印シール５００を破壊することにより、ネジ４１１の頭部４１１ｂへアクセス可能となる。
【０２７６】
工具Ｔによってネジ４１１を回動させると、ネジ４１１の頭部４１１ｂに当接している突起３９６が裏側取付ベース部４８１Ｙ側に押圧され、図３３（ｂ）に示すように同突起３９６が破壊されることとなる。これにより、ネジ４１１のネジ受け部３９４奥側への移動が許容される。このように、突起３９６が破壊されることで破壊痕跡が形成され、同破壊痕跡を事後的に確認することにより基板ボックス３２０Ｙが開封された可能性がある旨を把握できる点に着目すれば、突起３９６を「痕跡部３９６」と称することも可能である。
【０２７７】
その後、ネジ４１１の挿入操作を継続することにより、同ネジ４１１（詳しくは軸部４１１ａ）の先端部分が裏側取付ベース部４８１Ｙのネジ孔４８３Ｙから突出し、規制部材６００Ｙの第１折曲部６０４Ｙに対して当接することとなる。そして、更にネジ４１１をねじ込むことで、第１折曲部６０４Ｙが規制部材６００Ｙの対向板部６０３側の端部を中心として撓み変形し、第１折曲部６０４Ｙとストッパ部４８４Ｙとの掛かり代が減少することとなる。
【０２７８】
その後、図３３（ｃ）に示すように、ネジ４１１の移動がネジ受け部３９４の当接部３９５によって妨げられる位置（解除位置）に到達すると、第１折曲部６０４Ｙとストッパ部４８４Ｙとの引っ掛かりが解消され、カバー部材５５０Ｙの取り外しが許容されることとなる。
【０２７９】
ここで、上記各実施の形態とは異なり、本実施の形態におけるネジ４１１は基板ボックス３２０に対して固定されており、カバー部材５５０の移動に追従して移動することはない。但し、少なくとも第１折曲部６０４Ｙの先端部分がストッパ部４８４Ｙに対して引っ掛かる位置を通過するまではネジ４１１による第１折曲部６０４Ｙの押圧が継続されるため、ネジ４１１による第１折曲部６０４Ｙの押圧が終わり、同第１折曲部６０４Ｙが元の状態に復帰したとしても、それによってカバー部材５５０Ｙの取り外し操作が妨げられることはない。
【０２８０】
また、カバー部材５５０Ｙが取り外された後、両構成体３５０Ｙ，４５０Ｙを分離する際には、両構成体３５０Ｙ，４５０Ｙがスライド移動される。この際、ネジ４１１の頭部４１１ｂは、ネジ受け部３９４において基板ボックス３２０の本体部３２１Ｙとは反対側から同頭部４１１ｂ（解除位置に配置されている状態での頭部４１１ｂ）に対向する部分に形成された開口部３９７を通じてネジ受け部３９４から離脱可能となっている。このため、上述の如くネジ４１１がカバー部材５５０Ｙではなく基板ボックス３２０Ｙ側に残存する構成に変更したとしても、同変更によって両構成体３５０Ｙ，４５０Ｙの分離操作が妨げられることはない。
【０２８１】
以上詳述した第３の実施の形態によれば、以下の優れた効果を奏する。
【０２８２】
ネジ４１１を固定位置から解除位置へ移動させることにより構成体３５０Ｙ，４５０Ｙ同士の固定が解除されるとともにカバー部材５５０Ｙの取外規制が解除されることとなる。ネジ４１１を基板ボックス３２０Ｙによって保持されている状態のまま固定位置から解除位置への移動させることができる。このため、例えばネジ４１１を基板ボックス３２０Ｙから取り外した後、同ネジ４１１を解除位置へ再取り付けする場合と比較して、開封作業の簡略化が期待できる。
【０２８３】
ネジ４１１を解除位置へ移動させることで突起３９６が破壊されて基板ボックス３２０Ｙに開封痕跡が形成されることとなる。これにより、同痕跡を目視等で確認することで事後的な開封事実の把握が可能となる。
【０２８４】
ネジ４１１は、封印シール５００によって覆われており、同ネジ４１１が操作される際には、封印シール５００が破壊されることとなる。つまり、上述した突起３９６だけでなく、封印シール５００にも痕跡が形成されることとなる。このように、複数個所に痕跡を残存させることで、開封事実の目視による確認が容易化される。
【０２８５】
また、第１貫通孔５５６Ｙを通じたネジ４１１の取り外しが不可となっているため、同ネジ４１１を操作することなくカバー部材５５０Ｙの取外規制を解除することが困難となっている。
【０２８６】
ネジ４１１を固定位置から解除位置に移動させた場合には、同ネジ４１１が解除位置にて保持されることとなり、ネジ４１１を解除位置にて保持された状態とするための別途操作が不要となる。これにより、実用上好ましい構成が実現できる。
【０２８７】
ネジ４１１の固定位置は解除位置よりも第１貫通孔５５６Ｙ寄りとなるように構成されているため、ネジ４１１が固定位置に配置されている状態では、解除位置に配置されている場合と比較して第１貫通孔５５６Ｙを通じたネジ４１１へのアクセスが容易となる。これにより、解除位置が固定位置よりも第１貫通孔５５６Ｙ寄りに設定されている場合と比較して、開封操作の容易化に貢献することができる。
【０２８８】
ネジ受け部３９４を挟んで第１貫通孔５５６Ｙとは反対側に規制部材６００Ｙの第１折曲部６０４Ｙを配し、同ネジ受け部３９４にネジ４１１を挿通させる構成を採用することにより、同ネジ受け部３９４のネジ孔３９４ａを通じた第１折曲部６０４Ｙへのアクセスをネジ４１１によって妨げることができる。これにより、ネジ４１１を操作することなく、カバー部材５５０Ｙの取外規制が解除されるといった不都合を生じにくくし、防犯機能の向上に貢献することができる。
【０２８９】
特に、上記ネジ孔３９４ａは、ネジ４１１によって塞がれているため、同ネジ４１１を迂回して第１折曲部６０４Ｙにアクセスすることが一層困難となる。これにより上記防犯機能を一層好適なものとすることができる。
【０２９０】
＜その他の実施の形態＞
なお、上述した各実施の形態の記載内容に限定されず、例えば次のように実施してもよい。因みに、以下の別形態の構成を、上記各実施の形態における構成に対して、個別に適用してもよく、相互に組み合わせて適用してもよい。
【０２９１】
（１）上記第１実施の形態及び第２の実施の形態では、「痕跡部」として封印シール５００を採用し、同封印シール５００が破壊されることで基板ボックス３２０の開封痕跡が形成される構成としたが、これに限定されるものではない。上記第３の実施の形態に示したように、基板ボックス３２０の一部（例えば破壊が容易となるように形成された部分）が破壊されることで、同基板ボックス３２０の開封痕跡を形成する構成とすることも可能である。
【０２９２】
（２）上記第１の実施の形態では、「規制手段」をカバー部材５５０に搭載された可動式の規制部材６００と基板ボックス３２０に設けられた固定式のストッパ部４８４とによって構成したが、これを変更し、規制手段をカバー部材５５０に設けられた固定式のストッパ部とによって構成することも可能である。
【０２９３】
（３）上記第１の実施の形態では、「解除部材」としてネジ４１１を採用したが、これに限定されるものではない。規制部材６００等によるカバー部材５５０の取外規制を解除できるのものであれば足り、例えば第１折曲部６０４を押圧することで規制状態を解除する構成においては、ネジ４１１に代えてピン部材等を使用することも可能である。但し、係る構成を採用する場合には、ピン部材が解除位置に配置された場合に、同ピン部材に対して係合等することで当該ピン部材の解除位置からの移動を規制する規制部を別途設けることが好ましい。これにより、開封作業の煩雑化を抑制することができる。
【０２９４】
また、第２の実施の形態及び第３の実施の形態においては、「規制部材」としてネジ４１１，４１１Ｘを採用したが、上記変形例と同様にネジ４１１，４１１Ｘに代えてピン部材等をしようすることも可能である。
【０２９５】
（４）上記第１の実施の形態では、「解除部材」としてのネジ４１１をカバー部材５５０に取り付けることでカバー部材５５０の取り外しに追従したネジ４１１の変位を実現したが、これに限定されるものではない。「解除部材」はカバー部材５５０の取り外しに追従して封印シール５００に対する相対移動が許容されていればよく、その取付対象を基板ボックス３２０に変更することも可能である。例えば、解除部材を基板ボックスに対して移動可能に取り付けるとともに、その移動範囲においては規制解除状態が維持される構成とすればよい。この場合、カバー部材５５０に当該カバー部材５５０が移動する際に解除部材を操作する操作部を設けることで、カバー部材５５０の動きに追従した解除部材の変位を好適に実現することができる。
【０２９６】
但し、係る変更を行った場合には、解除部材やそれに付随する構成が複雑化すると想定されるため、望ましくは上記第１の実施の形態に示したように、解除部材をカバー部材５５０に取り付ける構成とするとよい。
【０２９７】
（５）上記第１の実施の形態では、ネジ４１１をカバー部材５５０のネジ受け部５５７に取り付けて同カバー部材５５０の取り外しを解除することにより、封印シール５００の一部が破壊される構成としたが、これに限定されるものではない。例えばカバー部材５５０の取り外しに伴ってネジ４１１が移動する経路上に封印シール５００が位置すれば足り、必ずしも解除位置へ配置された時点で封印シール５００が破壊される必要はない。
【０２９８】
但し、ネジ４１１の移動に基づいて封印シール５００を破壊しようとした場合には、上記変更を行うことに起因して封印シール５００を破壊しにくくなる可能性がある。具体的には、ネジ４１１に対して同ネジ４１１の移動方向とは反対側となる位置に封印シール５００が存在せず、更には同反対側で封印シール５００が途切れた状態となっているため、ネジ４１１は封印シール５００の端部を押すようにして破壊しようとした場合に同封印シール５００が撓みやすくなると想定される。
【０２９９】
故に、望ましくは、上記第１の実施の形態に示したように、ネジ４１１を解除位置に配置した際に、封印シール５００がネジ４１１を取り巻くように存在する構成とするとよい。
【０３００】
（６）上記第１の実施の形態では、封印シール５００を規制部材６００の第１折曲部６０４よりもネジ受け部５５７寄りとなる位置に配置したが、封印シール５００を規制部材６００寄りとなる位置に配置してもよい。
【０３０１】
（７）上記第１の実施の形態では、「受け部」としての第１折曲部６０４の先端部位をネジ４１１によって押圧する構成としたが、これに限定されるものではない。少なくとも第１折曲部６０４とストッパ部４８４との引っ掛かりを解除できるように同第１折曲部６０４を押圧することができるのであれば、第１折曲部６０４の中間部位等を押圧する構成とすることも可能である。
【０３０２】
（８）上記第１の実施の形態では、ネジ４２１及び規制部材６００の第２折曲部６０５によって規制部材６００の取り外しを規制する構成としたが、これらネジ４２１及び第２折曲部６０５を省略することも可能である。但し、このような変更を行う場合には、封印シール５００におけるＩＣチップ５１１が破壊されなくなる。故に、係る変更を行う場合には、封印シール５００においてネジ４１１にり破壊される部位にＩＣチップ５１１を配置する構成とすることが好ましい。
【０３０３】
（９）上記各実施の形態では、第１固定手段３３０Ａ及び第２固定手段３３０Ｂを併用したがこれに限定されるものではない。少なくとも第２固定手段３３０Ｂを有していればよく、第１固定手段３３０Ａを省略することも可能である。
【０３０４】
更には、第１固定手段３３０Ａの間に第２固定手段３３０Ｂを配置したが、第２固定手段３３０Ｂの配置は任意である。
【０３０５】
（１０）上記各実施の形態では、封印シール５００が表側構成体３５０の表側取付ベース部３８１に貼り付けられる構成としたが、封印シール５００の配置はこれに限定されるものではない。例えば裏側構成体４５０の裏側取付ベース部４８１に貼り付ける構成としてもよいし、両取付ベース部３８１，４８１に跨るようにして貼り付ける構成としてもよい。
【０３０６】
（１１）上記第１の実施の形態及び第２の実施の形態では、「痕跡部」としてＩＣタグ５０３を有する封印シール５００を採用したが、「痕跡部」はＩＣタグ５０３を有する封印シール５００に限定されることはない。例えば、ＩＣタグ５０３を有していない封印シール５００であってもよく、封印シール５００が不具備となった状態のＩＣタグ５０３であってもよい。また、痕跡を残すことができるのであれば、封印シール５００やＩＣタグ５０３に限定されず、例えば周知のカシメ構造等を採用することも可能である。
【０３０７】
また、封印シール５００においてアンテナ部材５１２が斜めに配置されている構成に限定されることはなく、斜め以外の方向に配置されている構成としてもよい。また、封印シール５００のベースシート５０１は長方形状であることに限定されることはなく、正方形状、他の多角形状又は円形状であってもよい。
【０３０８】
（１２）上記各実施の形態では、ＩＣタグ５０３はリーダ装置からの呼出波を受信することにより識別情報を応答波として発信する構成としたが、これに代えて、識別情報を含んだ電波を常時発信するＩＣタグとしてもよい。
【０３０９】
（１３）長尺状のアンテナ部材５１２に代えてループ状のアンテナ部材を用いてもよい。この場合、ループ部が切断された場合には通信不可又は通信しづらくなるように構成するとともに、当該ループ部を上記各実施の形態におけるスリット５１３に相当するものとして境界ＢＬとの位置関係やアンテナ用切り込み５１６との位置関係を設定するとよい。例えば、ループ部に向けて延びる易破壊部を形成することで、封印シール５００が剥がされた場合にはループ部の切断が期待される。また、ループ部が境界ＢＬを跨ぐようにして封印シール５００を配置することで、境界ＢＬを露出させるべく封印シール５００が切断された場合や封印シール５００が剥がされた場合にはループ部の切断が期待される。
【０３１０】
（１４）上記第２の実施の形態では、溝部Ｔ３の一部を潰すことにより「阻止部」としての潰れ部ＳＴを形成したが、これに限定されるものではない。例えば、ネジ受け部材６１２のネジ孔６１２ａに溝部Ｔ３が形成されていない部位を設け、同部位によって「阻止部」を構成することも可能である。
【０３１１】
（１５）上記第２の実施の形態では、第１折曲部６０４Ｘがネジ受け部材６１２を有する構成としたが、このネジ受け部材６１２を省略することも可能である。この場合、第１折曲部６０４の貫通孔６１１に対してネジ４１１の溝部Ｔ１が引っ掛かる構成とするとよい。しかしながら、このような構成を採用した場合には、ネジ４１１と第１折曲部６０４との掛かり代が減少し、ネジ４１１が貫通孔６１１を通過するといった不都合が生じ得る。これは、ネジ４１１における規制解除機能が低下する要因となり得るため好ましくない。故に、望ましくはネジ受け部材６１２を採用し、ネジ４１１との掛かり代を大きくする工夫をするとよい。
【０３１２】
（１６）上記第２の実施の形態では、ネジ４１１Ｘを用いて第１折曲部６０４Ｘを押圧することにより、カバー部材５５０の取外規制を解除する構成としたが、これを以下のように変更してもよい。以下、図３４の概略図を参照して、本変形例における規制解除構造について説明する。図３４に示すように、本変形例における取外規制部材６００に関しては起立板部６０２Ｚが表側取付ベース部３８１Ｘに対して対向する位置に配置されており、同起立板部６０２Ｚにおいてネジ孔５５７ａＸの延長上に位置する部位には貫通孔６０２ａＺが形成されており、ネジ４１１Ｘを取り付ける際の同起立板部６０２Ｚとネジ４１１Ｘとの干渉が回避されている。第１折曲部６０４Ｚにおけるネジ受け部材６１２Ｚは、同第１折曲部６０４Ｚにおいてネジ孔５５７ａ側を向いた板面に取り付けられている。
【０３１３】
また、本変形例におけるネジ受け部材６１２Ｚに関しては、上記第２の実施の形態において形成されていた潰れ部ＳＴが省略されており、係る変更に併せて第２の実施の形態において第１折曲部６０４Ｘ（詳しくは対向部６０４ａＸ）に形成されていた貫通孔６１１が省略されている。ネジ受け部材６１２Ｚに挿通されたネジ４１１Ｘが対向部６０４ａＺに対して当接することにより、それ以上のネジ４１１の進入が阻止される。つまり、上記第２の実施の形態において潰れ部ＳＴに付与されていたストッパ機能が対向部６０４ａＸに対して付与されている。
【０３１４】
上記第２の実施の形態においては、第１折曲部６０４Ｘがネジ受け部５５７Ｘから遠ざかる側に変位することにより、同第１折曲部６０４Ｘとストッパ部４８４Ｘとの引っ掛かりが解除され、カバー部材５５０Ｘの取外規制が解除される構成となっていたが、本変形例においては、第１折曲部６０４Ｚがネジ受け部５５７Ｘに近づく側に変位することにより、同第１折曲部６０４Ｚとストッパ部４８４Ｚとの引っ掛かりが解除され、カバー部材５５０Ｚの取外規制が解除される構成となっている。また、ストッパ部４８４Ｚは、同第１折曲部６０４Ｚがネジ受け部５５７Ｘから遠ざかる側に変位した場合においては第１折曲部６０４Ｚとストッパ部４８４Ｚとの引っ掛かりを維持可能な構成となっている。このため、仮に棒状の不正具等がネジ受け部材６１２Ｚのネジ孔６１２ａＺに挿入され、同不正具によって第１折曲部６０４Ｚをネジ受け部５５７Ｘから遠ざかる側に押された場合であっても、カバー部材５５０Ｚの取外規制が解除されることが回避される。
【０３１５】
ここで、カバー部材５５０Ｚの取外作業について説明する。ネジ受け部５５７Ｘのネジ孔５５７ａＸに対してネジ４１１Ｘをねじ込むと、同ネジ４１１Ｘの溝部Ｔ１とネジ孔５５７ａＸに形成された溝部Ｔ２とが係合し、回動操作によって同ネジ４１１Ｘがカバー部材５５０Ｚの内方へとと移動する。その後、ネジ４１１Ｘが所定位置まで挿入されると、溝部Ｔ１がネジ孔５５７ａＸから離脱し、溝部Ｔ１，Ｔ２の係合が解除される。このように、溝部Ｔ１，Ｔ２の係合が解除された後、更にネジ４１１Ｘを押し込むことにより、同ネジ４１１Ｘの先端部が第１折曲部６０４Ｚのネジ受け部材６１２Ｚに到達する。
【０３１６】
なお、ネジ４１１Ｘがネジ受け部材６１２Ｚに到達するまで、上記両溝Ｔ１，Ｔ２の係合が維持される構成とすれば、ネジ４１１Ｘの移動方向のばらつきを好適に抑制することができ、ネジ４１１Ｘの先端がネジ受け部材６１２Ｚのネジ孔６１２ａＺに対して導かれやすくなる。
【０３１７】
ネジ４１１Ｘの先端部がネジ孔６１２ａＺに挿入された後、再ぶネジ４１１Ｘを回動させると、ネジ４１１Ｘの溝部Ｔ１がネジ孔６１２ａＺのネジ溝Ｔ４と係合する。この際、ネジ４１１Ｘの頭部４１１ｂＸがカバー部材５５０Ｚの第１対向壁部５５３Ｚに対して挿入方向手前側から当接しており、同ネジ４１１Ｘの回動に併せてネジ受け部材６１２Ｚがネジ受け部５５７Ｘ側に引き寄せられることとなる。これにより、第１折曲部６０４Ｚがストッパ部４８４Ｘとの掛かり代が減少する側に変位する。
【０３１８】
このようにして第１折曲部６０４Ｚが変位することで、図３４（ｂ）に示すように、第１折曲部６０４Ｚとストッパ部４８４Ｘとの引っ掛かりが回避され、カバー部材５５０Ｚの取外規制が解除されることとなる。
【０３１９】
（１７）上記第３の実施の形態では、「痕跡部」として封印シール５００及び突起３９６を併用する構成としたが、必ずしもこれに限定されるものではない。これら両者のうち何れか一方を省略することも可能である。
【０３２０】
（１８）上記第３の実施の形態においては、ネジ受け部３９４内にネジ４１１を収容し、同ネジ受け部３９４からのネジ４１１の取り外しを不可とすることにより、規制部材６００Ｙによるカバー部材５５０Ｙの取外規制にネジ４１１が必要となる構成を実現したが、規制解除にネジ４１１が必要となる構成を以下のようにして実現することも可能である。具体的には、規制部材６００の第１折曲部６０４を押圧可能なネジ部材を、取付ベース３４１においてネジ孔５５７ａと同一軸線上となる部位に回動可能な状態で配置する。そしてネジ部材の頭部に回転非対称となるように係合部を形成するとともに、ネジ４１１における軸部の先端部位にネジ部材の係合部に係合する係合部を形成する。これにより、ドライバ等の工具を用いてネジ部材を直接回動させることが困難になり、規制状態の解除に際して４１１が利用する必要が生じる。
【０３２１】
（１９）上記第３の実施の形態では、第１貫通孔５５６の内径をネジ４１１の頭部４１１ｂの外径よりも小さく設定することにより、同第１貫通孔５５６を通じたネジ４１１の取り外しを阻止する構成としたが、これを以下のように変更してもよい。すなわち、ネジ４１１の頭部４１１ｂにねじ込み方向への回転を許容するとともに、取り外し方向への回転を不可とする操作部を形成することにより、第１貫通孔５５６側への移動を不可とし、同第１貫通孔５５６を通じたネジ４１１の取り外しを阻止する構成としてもよい。
【０３２２】
（２０）上記各実施の形態では、基板ケースの開封痕跡を残存させる構成を、主制御装置１８０に適用したが、これに限定されるものではない。同様の技術的思想を払出制御装置２４２等の他の制御装置に適用することも可能である。
【０３２３】
（２１）上記各実施の形態では、「基板ケース」としての基板ボックス３２０が「ケース構成体」として表側構成体３５０と裏側構成体４５０とを有する構成とした。すなわち、２つの構成体３５０，４５０を組み合わせることにより基板ボックス３２０を形成する構成とした。「ケース構成体」の数は２つに限定されるものではなく任意である。例えば、３個以上の構成体が組み合わされて基板ボックス３２０が形成されていてもよい。
【０３２４】
（２２）上記各実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０３２５】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシンにも本発明を適用できる。
【０３２６】
更に、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも本発明を適用できる。
【０３２７】
＜上記各実施の形態から抽出される発明群について＞
以下、上述した各実施の形態から抽出される発明群の特徴について、必要に応じて効果等を示しつつ説明する。なお以下においては、理解の容易のため、上記各実施の形態において対応する構成を括弧書き等で適宜示すが、この括弧書き等で示した具体的構成に限定されるものではない。
【０３２８】
特徴Ａ１．遊技に関する制御を行う制御基板（主制御基板３１０）と、
内部空間が形成されており、その内部空間に前記制御基板を収容する基板ケース（基板ボックス３２０）と、
前記基板ケースに設けられ、当該基板ケースが開封された場合にその開封の痕跡を残存させる痕跡部（封印シール５００）と、
前記基板ケースに対して着脱可能に取り付けられ、前記痕跡部を覆う痕跡カバー（カバー部材５５０）と、
前記痕跡カバーの前記基板ケースからの取り外しを規制するとともに、解除部材（ネジ４１１）が予め定められた解除位置に配置されることにより前記痕跡カバーの取外規制を解除する規制手段（規制部材６００等）と
を備え、
前記解除部材は、前記解除位置に配された場合に前記痕跡カバーの取り外しに追従した変位が許容され、その変位により前記痕跡部に当接して同痕跡部を破壊することで前記開封の痕跡を残存させることを特徴とする遊技機。
【０３２９】
特徴Ａ１に示すように基板ケースが開封された場合にその開封の痕跡を残存させる構成においては、同痕跡を目視等で確認することで事後的な開封事実の把握が可能となる。これにより、例えば基板ケースに対する不正行為が行われた場合に、その事実の把握が可能となる。しかしながら、このような痕跡部を有する構成においては、基板ケースが開封されていないにも関わらずあたかも開封されたかのように痕跡が残存してしまうと、それを発見した場合に制御基板の検査等を不要であると判断することが難しくなり、無駄な確認作業を行う必要が生じ得る。特に、このような事象が繰り返された場合には、痕跡部の信頼性が低下し、ひいては防犯機能を効果的に発揮させることが困難になると想定される。この点、本特徴においては、痕跡カバーによって痕跡部を覆うことにより、同痕跡部へのアクセスを抑制し、上記不都合の発生を抑えることが可能となっている。
【０３３０】
基板ケースからの痕跡カバーの取外操作により、痕跡部が破壊されて痕跡が形成されることとなる。このため、痕跡カバーの取外操作とは別に痕跡部を破壊するための操作を要する構成と比較して、作業の煩雑化を抑えることができる。例えば痕跡カバーの取り外しを痕跡部によって妨げる構成とすることも可能である。しかしながら、係る構成においては痕跡カバー自体を痕跡を形成する際の操作部として活用することで利便性の向上が期待できる反面、作業ミス等によって痕跡カバーが引っ張られる等した場合に開封作業が行われていないにも関わらず開封痕跡が残存するといった不都合が生じ得る。痕跡部を強固なものとすることでそのような不都合の発生を抑制することは可能であるが、係る対応では基板ケース開封時の痕跡カバーの取り外しが困難になり基板ケース開封時の作業効率が低下すると想定される。
【０３３１】
この点、本特徴によれば、痕跡カバーの取り外しを規制手段によって規制することで、仮に上述の如く痕跡カバーが引っ張られる等した場合であっても、それに起因した痕跡部の破壊を好適に回避することができる。これにより、痕跡部の弱体化を促進することが可能となる。故に、防犯機能の向上を図りつつ、それに起因した開封作業の困難化を好適に抑制することができる。
【０３３２】
また、解除部材をそのまま痕跡部の破壊用の部材として活用することにより、破壊用の部材を別途採用する場合と比較して遊技機における構成の複雑化を抑制することができる。つまり、構成の複雑化を抑えつつ、上述した防犯機能の向上に貢献することができる。
【０３３３】
特徴Ａ２．前記痕跡部は、前記痕跡カバーの取り外しに伴って前記解除部材が移動する経路上に当該痕跡部の一部が位置するように配設されていることを特徴とする特徴Ａ１に記載の遊技機。
【０３３４】
特徴Ａ１に示した構成を実現するには、本特徴に示すように痕跡部の一部を解除部材の移動経路上に配するとよい。これにより、解除部材に対して痕跡部の破壊機能を好適に付与することができる。
【０３３５】
特徴Ａ３．前記解除部材は、前記解除位置へ配置されることで前記痕跡カバーに取り付けられた状態となり前記痕跡カバーの取り外しに伴って当該痕跡カバーと一体的に変位することを特徴とする特徴Ａ１又は特徴Ａ２に記載の遊技機。
【０３３６】
特徴Ａ３によれば、痕跡カバーの取外時に解除部材が同痕跡カバーと一体となって変位する。これにより、痕跡カバーの取外操作時の操作力を直接的に痕跡部に作用させることができる。
【０３３７】
仮に解除部材を変位可能な状態で基板ケース側に取り付ける場合を想定すれば、特徴Ａ１に示した技術的思想を実現することも可能である。しかしながら、同構成を採用した場合には解除部材及びそれに付随する構成が複雑化すると想定される。この点、本特徴に示すように解除部材を痕跡カバー側に取り付ける構成とすれば、構成の簡素化を図りつつ上記技術的思想を好適に実現することができる。
【０３３８】
特徴Ａ４．前記規制手段は、前記基板ケース及び前記痕跡カバーの一方に設けられた可動式の第１係止部と、前記基板ケース及び前記痕跡カバーの他方に設けられた固定式の第２係止部とを有し、それら第１係止部（第１折曲部６０４）及び第２係止部（ストッパ部４８４）が係止状態となることにより前記基板ケースからの前記痕跡カバーの取り外しを規制するものであり、
前記第１係止部は、前記解除部材の前記解除位置への配置時に同解除部材によって押圧されることにより付勢力に抗して前記第２係止部との係止状態が解除される位置へ変位することを特徴とする特徴Ａ１乃至特徴Ａ３のいずれか１つに記載の遊技機。
【０３３９】
特徴Ａ４によれば、痕跡カバーの取外規制を解除している状態では付勢力によって第１係止部が変位前の位置に復帰しようとする。このため、痕跡カバーを取り外す際には、解除部材を解除位置にて保持したまま同痕跡カバーを移動させる必要が生じる。このように解除部材が解除位置にて保持される必要が生じることにより、以下の構成と比較して、実用上好ましい構成を実現できる。すなわち、例えば解除部材を解除位置に配置した後に同解除部材を解除位置から取り除いたとしても痕跡カバーの取外規制が解除されたままとなる構成においては、解除部材が取り除かれることで痕跡部を破壊することが困難になったり、痕跡を残存させる範囲を拡げることが困難になったりすると想定される。この点、本特徴においては、上述の如く痕跡カバーの取り外しに際して解除部材を解除位置にて保持する必要があるため、解除部材に付与された痕跡部の破壊機能を好適に発揮させることができ、上記各不都合を払拭することができる。
【０３４０】
なお、例えば「前記第１係止部は、前記解除部材によって押圧されることにより変形し、同変形によって前記解除部材を前記押圧方向とは反対側へ付勢する」構成を採用するとよい。
【０３４１】
特徴Ａ５．前記痕跡カバーには、前記解除部材を前記解除位置にて保持する保持部（ネジ受け部５５７）が設けられていることを特徴とする特徴Ａ４に記載の遊技機。
【０３４２】
特徴Ａ４に示した構成においては、仮に痕跡カバーの取り外しを行う際に解除部材を手で解除位置に保持したまま同痕跡カバーを移動させる必要が生じると、取外作業が煩雑化すると想定される。この点、本特徴に示すように、痕跡カバーに設けた保持部によって解除部材を保持する構成とすれば、痕跡カバーの取り外し時に解除部材を手で保持する必要がなくなる。これにより、取外作業の容易化と痕跡部の破壊機能の安定化に貢献することができる。
【０３４３】
特徴Ａ６．前記規制手段は、前記痕跡カバーによって囲まれた領域に配されており、
前記痕跡カバーには、当該痕跡カバーの内外に貫通し、前記解除部材が前記解除位置に配置される場合に同痕跡カバーの外側から同解除部材が挿入される挿入部（ネジ孔５５７ａ）が形成されており、
前記解除部材は、前記挿入部を通じて当該解除部材の一端部が前記痕跡カバー内に挿入され、当該一端部によって前記第１係止部を挿入方向先側へ向けて押圧することにより前記規制手段による前記取外規制を解除するものであり、
前記保持部は、前記解除部材における他端部を保持するものであり、
前記痕跡部は、前記規制手段と前記保持部との間に配されていることを特徴とする特徴Ａ５に記載の遊技機。
【０３４４】
特徴Ａ６に示すように痕跡部を規制手段と保持部との間に配することにより、以下の効果が期待できる。すなわち、痕跡部と保持部との間に規制手段を配する場合と比較して、痕跡部を破壊する際に解除部材に生じる反力によって同解除部材が変形等することを抑制できる。これにより解除部材の規制解除機能が低下することを抑制し、同規制解除機能と破壊機能とを好適に共存させることができる。
【０３４５】
特徴Ａ７．前記痕跡部は、前記保持部及び前記規制手段のうち前記保持部寄りとなる位置に配されていることを特徴とする特徴Ａ６に記載の遊技機。
【０３４６】
特徴Ａ７によれば、解除部材において保持部により保持されている部分に近い位置に痕跡部が存在することで、解除部材によって痕跡部を破壊する際に発生する反力の影響を好適に抑制することが可能となる。これにより、特徴Ａ６に示した効果を一層顕著なものとすることができる。
【０３４７】
特徴Ａ８．前記第１係止部は、前記解除部材によって前記挿入部の延長方向に押圧されることにより前記付勢力に抗して変位するものであり、前記挿入部の延長上となる位置から前記痕跡カバーの取外方向とは反対側に延びていることを特徴とする特徴Ａ６又は特徴Ａ７に記載の遊技機。
【０３４８】
痕跡部を破壊する際に生じる反力によって解除部材が保持部を基端として上記取外方向とは反対側に傾いたり、解除部材自身が撓んだりすると想定される。そこで、本特徴に示すように受け部が挿入部の延長上となる位置から取外方向とは反対側に延びる構成とすれば、仮に解除部材に上記傾き等が生じた場合であっても押圧状態（解除状態）を好適に維持することが可能となり、痕跡部からの反力によって痕跡カバーの取外規制解除が無効化されるといった不都合を生じにくくすることができる。
【０３４９】
特徴Ａ９．前記基板ケースは、相互に組み合わされることにより前記内部空間を区画形成する複数のケース構成体（表側構成体３５０及び裏側構成体４５０）を有してなり、
それらケース構成体は、前記解除位置とは異なる所定の結合位置に配置された前記解除部材によって結合されていることを特徴とする特徴Ａ１乃至特徴Ａ８のいずれか１つに記載の遊技機。
【０３５０】
特徴Ａ９によれば、基板ケースを開封する際には、先ず解除部材を結合位置から取り外すことにより両ケース構成体の結合を解除し、その後、同解除部材を解除位置に配置することで痕跡カバーの取り外しが許容される。このように、複数のケース構成体を有する構成を採用した場合には、何らかの方法で両ケース構成体を結合し、開封時に同結合を解除することで各ケース構成体の分離を許容する構成とすることが防犯機能向上の観点から好ましいと想定される。
【０３５１】
そこで、解除部材を予め基板ケースに配設し、更に同解除部材にケース構成体を結合する機能を付与しておくことで、開封時に必要となり得る結合解除作業を規制解除作業のための予備的作業として利用できる。開封時の作業工程が増加することを抑制しつつ防犯機能を向上することが可能となり、実用上好ましい構成を実現することができる。
【０３５２】
特徴Ａ１０．前記解除部材は、前記痕跡部と共に前記痕跡カバーによって囲まれた領域に配されており、
前記痕跡部は、前記結合位置から前記解除位置に前記解除部材が移動される過程にて同解除部材が移動する移動経路と複数個所にて交差するように構成されていることを特徴とする特徴Ａ９に記載の遊技機。
【０３５３】
特徴Ａ１０によれば、痕跡部における広域に破壊痕跡を残存させることができ、同痕跡の目視による確認の容易化が期待できる。
【０３５４】
特徴Ａ１１．前記痕跡カバーは、
当該該痕跡カバーの内外に貫通し、前記解除部材が前記結合位置から取り外される場合に同解除部材が通過する通過部（第１貫通孔５５６）と、
当該痕跡カバーの内外に貫通し、前記解除部材が前記解除位置に配置される場合に同痕跡カバーの外側から同解除部材が挿入される挿入部（ネジ孔５５７ａ）と
を有し、
前記解除部材は、前記痕跡部と共に前記痕跡カバーによって囲まれた領域に配されており、
前記痕跡部は、当該痕跡部の少なくとも一部が前記解除部材と前記通過部との間に位置するようにして配置されているとともに、同痕跡部において前記解除部材及び前記通過部の間に位置する部分が破壊されることにより前記通過部を通じた前記解除部材の取り外しを許容するものであり、
前記通過部及び前記挿入部は、前記痕跡カバーの取外方向とは異なる方向にずらして配されていることを特徴とする特徴Ａ９又は特徴Ａ１０に記載の遊技機。
【０３５５】
特徴Ａ１１によれば、解除部材を取り外す際も破壊痕跡が残存することとなる。このように解除部材の取り外しによって形成された痕跡は、痕跡カバーの取外操作によって形成される痕跡とは異なる位置に存在することとなり、両痕跡が同一箇所で重複することが回避される。つまり、痕跡カバーの取外操作によって形成される痕跡により、解除部材の取り外し時に形成される痕跡が吸収されることが回避される。これにより、より広範囲に破壊痕跡を残存させることが可能となり、開封事実の確認作業の更なる容易化に貢献することができる。
【０３５６】
例えば、痕跡部がシート状をなす構成においては、同痕跡部の拡がり方向に通過部及び挿入部をずらして配置するとよい。
【０３５７】
なお、特徴Ａ６等に示す「挿入部」を有する構成との組み合わせにおいては、同「挿入部」と本特徴に示す「挿入部」とを同一のものとすることも可能である。
【０３５８】
特徴Ａ１２．前記規制手段は、前記痕跡カバーによって囲まれた領域に配されており、
前記痕跡カバーには、当該痕跡カバーの内外に貫通し、前記解除部材が前記解除位置に配置される際に同痕跡カバーの外側から同解除部材が挿入される挿入部（ネジ孔５５７ａ）が形成されており、
前記痕跡部は、当該痕跡部の少なくとも一部が前記挿入部及び前記規制手段の間に位置するようにして配置されているとともに、前記挿入部に挿入された前記解除部材の延びている方向とは異なる方向に拡がるシート状をなしており、
前記解除部材は前記解除位置に配置された場合に、前記痕跡部に形成された貫通孔に挿通された状態となることを特徴とする特徴Ａ１乃至特徴Ａ１１のいずれか１つに記載の遊技機。
【０３５９】
痕跡部がシート状をなす構成においては、解除部材によって痕跡部を破壊する際に同痕跡部が撓む等して上手く破壊できない可能性がある。
【０３６０】
この点、本特徴によれば、解除部材を解除位置に配置することにより、同解除部材が痕跡部に対して貫通した状態となる。痕跡カバーに追従した移動により解除部材が痕跡部を横切る場合には、痕跡部が撓んで破壊されにくくなるといった不都合を生じにくくすることができる。より詳しくは、痕跡部において解除部材の移動方向とは反対側となる部位が途切れていない（解除部材を囲む環状をなす）ことで、解除部材の移動方向と反対側となる部位が途切れている場合と比較して解除部材の移動に対する同痕跡部の撓みを抑え、破壊痕跡形成の確実性向上に貢献することができる。
【０３６１】
例えば、解除部材が解除位置に配置される際に移動する経路上に痕跡部の一部が位置するようにして当該痕跡部を配置し、同解除部材によって痕跡部に貫通孔が形成される構成や、痕跡部において同経路上に位置する部分に解除部材の通過を許容する貫通孔が予め形成されている構成を採用するとよい。
【０３６２】
なお、特徴Ａ６等に示す「挿入部」を有する構成との組み合わせにおいては、同「挿入部」と本特徴に示す「挿入部」とを同一のものとすることも可能である。
【０３６３】
特徴Ｂ１．遊技に関する制御を行う制御基板（主制御基板３１０）と、
相互に組み合わされることにより内部空間を区画形成する複数のケース構成体（表側構成体３５０Ｘや裏側構成体４５０Ｘ）を有し、前記内部空間に前記制御基板を収容してなる基板ケース（基板ボックス３２０Ｘ）と、
前記基板ケースに設けられ、当該基板ケースにおいて前記内部空間を区画形成している本体部（本体部３２１）から同本体部の外側へ突出する突出部（取付ベース３４１Ｘ）と、
前記基板ケースに対して着脱可能に取り付けられ、前記突出部を覆うカバー部（カバー部材５５０Ｘ，５５０Ｚ）と、
前記カバー部の前記基板ケースからの取り外しを規制する規制状態、及び同規制を解除する解除状態に切替可能な取外規制手段（取外規制部材６００Ｘ，６００Ｚ）と、
前記基板ケースにおける第１位置に配置されることにより前記ケース構成体同士を結合しているとともに、前記基板ケースから取り外されることで前記結合を解除した後、前記第１位置とは異なる第２位置に配置されることにより前記取外規制手段を前記規制状態から前記解除状態に切り替える結合部材（ネジ４１１Ｘ）と、
前記突出部に設けられているとともに前記カバー部によって覆われており、前記結合部材が前記基板ケースから取り外され同結合部材が前記第２位置に配置されることで前記取外規制手段が前記解除状態となり前記基板ケースから前記カバー部が取り外される過程にて破壊されることにより痕跡を残存させる痕跡部（封印シール５００）と
を備えていることを特徴とする遊技機。
【０３６４】
特徴Ｂ１によれば、カバー部の取外過程にて痕跡が形成される。同痕跡を目視等で確認することで、例えば基板ケースが開封された可能性があることを事後的に把握することができる。これにより、基板ケースや制御基板に対する不正行為が行われた場合に、その事実の把握が可能となる。
【０３６５】
痕跡部はカバー部によって覆われており、同痕跡部の露出が抑えられている。これにより痕跡部へのアクセスを規制し、カバー部が取り外されていないにも関わらずあたかも取り外されたかのように痕跡が残存してしまうといった不都合を生じにくくすることができる。
【０３６６】
複数のケース構成体によって制御基板を収容する空間を区画形成する構成を採用した場合には、何らかの方法で両ケース構成体の分離を不可とし、基板ケースの開封時にケース構成体の分離を可能とすることで制御基板へのアクセスや同制御基板の取り外しを許容する構成とすることが防犯機能向上の観点から好ましいと想定される。
【０３６７】
そこで、基板ケースに配されている結合部材にカバー部の取外規制を解除する機能を付与しておくことで、開封時に必要となり得る結合解除作業を上記取外規制の解除作業のための予備的作業として利用できる。これにより、開封時の作業工程が増加することを抑制しつつ防犯機能を向上することが可能となり、実用上好ましい構成を実現することができる。
【０３６８】
特に、ケース構成体同士の結合解除に先行してカバー部が取り外されるといった不都合の発生を抑えることができ、例えば痕跡部を巧妙に取り除く等して破壊痕跡を残存させること無く上記結合を解除し、その後痕跡部を元の位置に戻すことで開封事実を隠蔽するといった行為を困難なものとすることができる。このように、痕跡が形成される前のカバー部の取り外しを不可とすることで、同カバー部の存在意義が薄れるといった不都合を生じにくくすることができる。これにより、防犯性の向上を図ることができる。
【０３６９】
特徴Ｂ２．前記カバー部には、同カバー部の内外に貫通し、前記第２位置へ前記結合部材が配置される場合に当該カバー部の外側から同結合部材が挿入される挿入部（ネジ孔５５７ａＸ）が形成されており、
前記結合部材は、前記挿入部に挿入される軸部（軸部４１１ａＸ）を有し、当該軸部の周面に結合部材側溝部（溝部Ｔ１）が形成されたネジ部材であり、
前記挿入部の内壁面には、前記結合部材側溝部と係合する挿入部側溝部（溝部Ｔ２）が形成されており、
前記挿入部及び前記結合部材は、同結合部材が前記挿入部に挿入された状態にて回動されることにより前記カバー部の内方に移動して同挿入部から当該結合部材が突出するように構成されており、
前記取外規制手段に設けられ、前記挿入部を通じて挿入された前記結合部材の溝部によって押圧されることで当該取外規制手段を前記解除状態とする受け部（第１折曲部６０４Ｘ，６０４Ｚのネジ受け部材６１２，６１２Ｚ等）を有していることを特徴とする特徴Ｂ１に記載の遊技機。
【０３７０】
特徴Ｂ２によれば、挿入部の内壁面に挿入部側溝部が形成されており、挿入部側溝部の底部においては挿入部の内部領域が部分的に拡張されている。このように拡張された領域を結合部材側溝部が通過することにより、結合部材を挿入部に沿って真っ直ぐ押し込む（スライドさせる）場合と比較してより広い領域にて当該結合部材の移動が許容されることとなる。つまり、例えば不正具等を挿入部に沿って真っ直ぐ挿入する場合と、結合部材を回転させながら挿入する場合とでは、前者よりも後者のほうが挿入部において移動が許容される範囲が広くなる。
【０３７１】
ここで、結合部材の結合部材側溝部については挿入部の延長領域外の領域の通過が許容されることとなる。この結合側溝部によって取外規制手段の受け部が押圧される構成を採用することにより、結合部材を用いた解除操作が困難になることを抑制しつつ同結合部材を使用せずに解除操作を行うことを困難なものとし、作業性の担保と防犯機能の向上との両立に貢献することができる。
【０３７２】
特徴Ｂ３．前記受け部は、前記結合部材側溝部が通過する通過領域に当該受け部の一部が位置するとともに、前記軸部において前記結合部材側溝部が形成されていない部位が通過する通過領域との重なりが回避されるようにして形成されていることを特徴とする特徴Ｂ２に記載の遊技機。
【０３７３】
特徴Ｂ３によれば、特徴Ｂ２に示した技術的思想を好適に具現化することができる。
【０３７４】
特徴Ｂ４．前記結合部材側溝部は、前記軸部において前記結合部材の挿入方向先側の一端部を含んだ範囲に形成されており、
前記軸部において前記結合部材側溝部よりも他端部側となる範囲に設けられ、前記挿入部側溝部との係合を回避可能な回避部（軸部４１１ａＸにおいて溝部Ｔ３が形成されていいない部分）と、
前記受け部に設けられ、前記結合部材側溝部と係合する受け部側溝部（溝部Ｔ３）を有するネジ孔（貫通孔６１１）と
を備え、
前記結合部材、前記挿入部及び前記受け部は、前記結合部材側溝部と前記受け部側溝部とが係合している状態にて同結合部材側溝部と前記挿入部側溝部との係合が回避され、又は前記結合部材側溝部と前記受け部側溝部との係合に先行して同結合部材側溝部と前記挿入部側溝部との係合が回避され、同結合部材の前記受け部側へのスライド移動が許容されるように構成されていることを特徴とする特徴Ｂ２又は特徴Ｂ３に記載の遊技機。
【０３７５】
特徴Ｂ４によれば、挿入部に挿入した結合部材を回動させることにより、結合部材が受け部に向けて移動する。その後、例えば結合部材が受け部のネジ孔に到達すると当該ネジ孔の受け部側溝部に対して結合部材（詳しくは結合部材側溝部）が係合し、係る状態では結合側溝部と挿入部側溝部との係合が回避される。このように挿入部側溝部と結合部材側溝部との係合が回避された状態にて結合部材を受け部側へ押し込むことにより、同結合部材の移動に伴って受け部が押圧され、上記解除状態へ移行されることとなる。
【０３７６】
ここで、結合部材における受け部の押圧機能を安定して発揮させようとすれば、受け部と結合部材との掛かり代を大きく設定すればよい。しかしながら、単に掛かり代を大きくするといった対応を行った場合には、不正具を係合部に対して引っ掛けやすくし受け部の不正操作が容易になる要因となり得る。
【０３７７】
この点、本特徴においては、局所毎の受け部と結合部材との掛かり代を小さくしつつ、全体での掛かり代を大きくすることができる。これにより、結合部材と受け部との係合外れ等を抑制しつつ、同係合部に不正具を引っ掛ける等して受け部を押すといった不正行為を困難なものとすることができる。故に、解除機能の安定化を図りつつ、それに起因した防犯機能の低下を抑制することができる。特に、局所的に掛かり代が大きくなる部分が形成されることを回避することができるため、上記防犯機能の低下を好適に抑えることができる。
【０３７８】
例えば、結合部材の軸部における中間部位を境として当該軸部の一方側に結合部材側軸部を設け、他方側に外径寸法が同結合部材側溝部の外径寸法よりも小さく設定された縮径部を設けるとよい。なお、結合部材側溝部の外径寸法は、同溝部における底部分の外径寸法でななく、底部分とは反対側（言い換えれば山状部分の頂部）での外径寸法を示している。
【０３７９】
なお、本特徴に示すネジ孔が貫通孔状をなす構成とすれば、実用上好ましい構成を実現することができる。
【０３８０】
特徴Ｂ５．前記軸部の軸線方向において前記結合部材側溝部が形成されている範囲は、当該結合部材側溝部が前記挿入部側溝部及び前記受け部側溝部の両者に対して同時に係合可能となるとともに、それら挿入部側溝部及び受け部側溝部のうち一方に対して係合可能ととなるように設定されていることを特徴とする特徴Ｂ４に記載の遊技機。
【０３８１】
特徴Ｂ５によれば、結合部材により上記取外規制を解除する際には、先ず結合部材側溝部と挿入部側溝部とが係合し、これら両溝部の係合が維持された状態にて結合部材側溝部が受け部側溝部と係合することとなる。これにより、結合部材側溝部と挿入部側溝部との係合が解除された状態にて結合部材側溝部と受け部側溝部との係合が行われる構成と比較して、結合部材の軸部があらぬ方向を向く等して当該軸部の先端ががネジ孔へ入りにくくなるといった不都合を好適に抑制することができる。
【０３８２】
特徴Ｂ６．前記受け部において前記挿入部側を向いている部位は、同カバー部の内面に対して当接又は近接していることを特徴とする特徴Ｂ２乃至特徴Ｂ５のいずれか１つに記載の遊技機。
【０３８３】
特徴Ｂ６によれば、棒状の不正具等の挿入部に対して斜めに挿入された場合等であっても、同不正具が受け部において挿入部側を向いている面に到達することを好適に抑制することができる。
【０３８４】
特徴Ｂ７．前記カバー部には、同カバー部の内外に貫通しており、前記解除位置へ前記結合部材が配置される場合に当該カバー部の外側から同結合部材が挿入される挿入部（ネジ孔５５７ａＸ）が形成されており、
前記結合部材は、前記挿入部に挿入される軸部（軸部４１１ａＸ）を有し、当該軸部の周面に結合部材側溝部（溝部Ｔ１）が形成されたネジ部材であり、
前記挿入部の内壁面には、前記結合部材側溝部と係合する挿入部側溝部（溝部Ｔ２）が形成されており、
前記挿入部及び前記結合部材は、同結合部材が前記挿入部に挿入された状態にて回動されることにより前記カバー部の内方に移動して同挿入部から当該結合部材が突出するように構成されており、
前記取外規制手段に設けられ、前記カバー部によって囲まれた領域であって前記挿入部の開放先となる領域に配されており、同挿入部を通じて挿入された前記結合部材によって操作されることにより当該取外規制手段を前記解除状態とする受け部（第１折曲部６０４Ｘの対向部６０４ａＸ）を備え、
前記結合部材側溝部は、前記軸部において前記結合部材の挿入方向先側の一端部を含んだ範囲に形成されており、
前記軸部において前記結合部材側溝部よりも他端部側となる範囲に設けられ、前記挿入部側溝部との係合を回避可能な回避部と、
前記受け部に設けられ、前記結合部材側溝部と係合する受け部側溝部（溝部Ｔ３）を有するネジ孔（貫通孔６１１）と
を備え、
前記結合部材、前記挿入部及び前記受け部は、前記結合部材側溝部と前記受け部側溝部とが係合している状態にて同結合部材側溝部と前記挿入部側溝部との係合が回避され、又は前記結合部材側溝部と前記受け部側溝部との係合に先行して同結合部材側溝部と前記挿入部側溝部との係合が回避され、同結合部材の回動操作に基づいて前記受け部が前記挿入部側へ変位することにより前記取外規制手段による規制が解除されることを特徴とする特徴Ｂ１に記載の遊技機。
【０３８５】
特徴Ｂ７によれば、挿入部から結合部材を挿入し、同結合部材を回動させることでその先端部分が挿入部から突出する。更に、結合部材の回動を継続すると、例えば結合部材の結合部材側溝部が開放部側溝部と係合し、その後結合部材側溝部と挿入部側溝部との係合が回避される。このように、結合部材側溝部と挿入部側溝部とが係合している状態にて更に回動させると、受け部が挿入部側に変位してカバー部の取外規制が解除されることとなる。
【０３８６】
本特徴においては、挿入部を通じて棒状の不正具等を挿入した場合、受け部を挿入部から遠ざかる側に押すことは容易となっても挿入部側に引き寄せることは困難となる。これにより、結合部材を使用することなく取外規制を解除することが困難となる。
【０３８７】
なお、結合部材側溝部と開放部側溝部とが係合した後に、規制部材の受け部側への移動を阻止する阻止部を設けることで、上記技術的思想を好適に実現することができる。例えば、結合部材の頭部がカバー部の外面に対して当接する構成とすればよい。
【０３８８】
特徴Ｂ８．遊技に関する制御を行う制御基板（主制御基板３１０）と、
相互に組み合わされることにより内部空間を区画形成する複数のケース構成体（表側構成体３５０Ｙや裏側構成体４５０Ｙ）を有し、前記内部空間に前記制御基板を収容してなる基板ケース（基板ボックス３２０Ｙ）と、
前記基板ケースに設けられ、当該基板ケースにおいて前記内部空間を区画形成している本体部（本体部３２１）から同本体部の外側へ突出する突出部（取付ベース３４１Ｙ）と、
前記基板ケースに対して着脱可能に取り付けられ、前記突出部を覆うカバー部（カバー部材５５０Ｙ）と、
前記カバー部の前記基板ケースからの取り外しを規制する規制状態、及び同規制を解除する解除状態に切替可能な取外規制手段（取外規制部材６００Ｙ等）と、
前記突出部に対して移動可能な状態で取り付けられ、同突出部における第１位置に配置されることにより前記ケース構成体同士を結合し、同突出部において前記第１位置とは異なる第２位置に移動されることにより前記結合を解除するとともに前記取外規制手段を前記規制状態から前記解除状態に切り替える結合部材（ネジ４１１）と、
前記突出部に設けられているとともに前記カバー部によって覆われており、前記結合部材が前記第１位置から前記第２位置に移動されることにより前記取外規制手段が前記解除状態となって前記基板ケースから前記カバー部が取り外される過程にて破壊されることにより痕跡を残存させる痕跡部（封印シール５００）と
を備えていることを特徴とする遊技機。
【０３８９】
特徴Ｂ８によれば、カバー部の取外過程にて痕跡が形成され、同痕跡を目視等で確認することにより例えば基板ケースが開封された可能性があることを事後的に把握することができる。これにより、基板ケースや制御基板に対する不正行為が行われた場合に、その事実の把握が可能となる。
【０３９０】
痕跡部はカバー部によって覆われており、同痕跡部の露出が抑えられている。これにより痕跡部へのアクセスを規制し、カバー部が取り外されていないにも関わらずあたかも取り外されたかのように痕跡が残存してしまうといった不都合を生じにくくすることができる。
【０３９１】
複数のケース構成体によって制御基板を収容する空間を区画形成する構成を採用した場合には、何らかの方法で両ケース構成体の分離を不可とし、基板ケースの開封時にケース構成体の分離を可能とすることで制御基板へのアクセスや同制御基板の取り外しを許容する構成とすることが防犯機能向上の観点から好ましいと想定される。
【０３９２】
そこで、基板ケース（詳しくは突出部）に配されている結合部材にカバー部の取外規制を解除する機能を付与しておくことで、開封時に必要となり得る結合解除作業を上記取外規制の解除作業のための予備的作業として利用できる。これにより、開封時の作業工程が増加することを抑制しつつ防犯機能を向上することが可能となり、実用上好ましい構成を実現することができる。
【０３９３】
特に、ケース構成体同士の結合解除に先行してカバー部が取り外されるといった不都合の発生を抑えることができ、例えば痕跡部を巧妙に取り除く等して破壊痕跡を残存させること無く上記結合を解除し、その後痕跡部を元の位置に戻すことで開封事実を隠蔽するといった行為を困難なものとすることができる。このように、痕跡が形成される前のカバー部の取り外しを不可とすることで、同カバー部の存在意義が薄れるといった不都合を生じにくくすることができる。これにより、防犯性の向上を図ることができる。
【０３９４】
また、結合部材を第１位置から第２位置へ移動させることによりケース構成体同士の結合が解除されるとともにカバー部の取外規制が解除されることとなる。この際、結合部材を基板ケースによって保持されている状態のまま第１位置から第２位置へ移動させることができる。このため、例えば結合部材を基板ケースから取り外した後、同結合部材の解除位置への再取り付けを行う構成と比較して、開封作業の簡略化が期待できる。
【０３９５】
例えば、基板ケースによって結合部材をスライド可能な状態で保持する構成や、回動可能な状態で保持する構成を採用するとよい。
【０３９６】
特徴Ｂ９．前記突出部には、前記各ケース構成に連通する連通孔（ネジ孔３９４ａ，３９５ａやネジ孔４８３Ｙ）が形成されており、
前記連通孔に前記結合部材が挿通されることでそれらケース構成体同士が結合されており、
前記結合部材は、前記カバー部内に収容されているとともに、前記連通孔に沿って移動することにより前記第２位置への配置が許容される構成となっており、
前記カバー部において前記連通孔の延長上となる部位には、当該カバー部の内外に貫通し、前記第１位置に配置された前記結合部材を露出させる開放部（第１貫通孔３８４Ｙ）が形成されており、
前記開放部を通じた前記結合部材の取り外しを阻止する阻止手段を備えていることを特徴とする遊技機。
【０３９７】
特徴Ｂ９によれば、開放部を通じて結合部材を操作し同結合部材を連通孔に沿って移動させることにより、同結合部材を第２位置へ配置することができる。このように、開放部を通じた結合部材へのアクセスを許容する構成においては、仮に同結合部材が開放部を通じて取り外され、同結合部材を迂回する等して取外規制手段に直接アクセスされた場合には、カバー部の取外規制が不正に解除され得る。そこで、開放部を通じた結合部材の取り外しを阻止する構成とすれば、上記不正行為を困難なものとし、防犯機能の向上に貢献することができる。
【０３９８】
例えば、開放部を結合部材の通過が不可となる大きさに形成することにより、カバー部の本体部分を阻止手段として活用するとよい。
【０３９９】
特徴Ｂ１０．前記第１位置は、前記第２位置よりも前記開放部寄りとなるように設定されていることを特徴とする特徴Ｂ９に記載の遊技機。
【０４００】
特徴Ｂ９に示したように、カバー部内に結合部材を収容する構成においては、同結合部材への不正なアクセスを抑制し、防犯機能を向上することができる反面、以下の不都合が生じ得る。すなわち、結合部材へのアクセス経路が開放部を通じたものに限定されることで、結合部材の第１位置から第２位置への移動作業が行いにくくなる可能性がある。
【０４０１】
この点、本特徴によれば、結合部材が第１位置に配置されている状態では、同結合部材が第２位置に配置されている場合と比較して開放部を通じた結合部材へのアクセスが容易となる。これにより、少なくとも第２位置が第１位置よりも開放部寄りに設定されている場合と比較して、上記移動作業の容易化に貢献することができる。
【０４０２】
特徴Ｂ１１．前記取外規制手段には、前記開放部に対して前記連通孔を挟んだ反対側に位置し、同開放部を通じて挿入された前記結合部材によって押圧されることで当該取外規制手段を前記解除状態とする受け部（第１折曲部６０４Ｚのネジ受け部材６１２Ｚ）が設けられていることを特徴とする特徴Ｂ９又は特徴Ｂ１０に記載の遊技機。
【０４０３】
特徴Ｂ９等に示したように開放部を通じた結合部材の操作を許容する構成においては、同開放部を通じて取外規制手段が直接操作可能となることは上記破壊痕跡を残存させることなく基板ケースが開封される要因となり得るため好ましくない。
【０４０４】
この点、本特徴においては、連通孔を挟んで開放部とは反対側に受け部を配し、同連通孔に結合部材を挿通させる構成を採用することにより、同連通孔を通じた受け部へのアクセスを結合部材によって妨げることができる。これにより、上述した不都合の発生を抑え、防犯機能の向上に貢献することができる。
【０４０５】
特徴Ｂ１２．前記結合部材によって前記連通孔が塞がれていることを特徴とする特徴Ｂ１１に記載の遊技機。
【０４０６】
特徴Ｂ１２によれば、結合部材を迂回して受け部にアクセスすることが一層困難となり、特徴Ｂ１１に示した防犯機能を一層好適なものとすることができる。
【０４０７】
例えば結合部材をネジ部材とし、連通孔を同ネジ部材と係合するネジ孔とすることで、実用上好ましい構成を実現することができる。
【０４０８】
特徴Ｂ１３．前記結合部材は、前記連通孔内に収容されており、
前記痕跡部は、前記開放部側から前記連通孔を覆う位置に配置されていることを特徴とする特徴Ｂ９乃至特徴Ｂ１２のいずれか１つに記載の遊技機。
【０４０９】
特徴Ｂ９等に示した構成においては本特徴に示すように、結合部材を連通孔内に収容することにより、連通孔を迂回して結合部材へアクセスすることが困難となる。これにより、結合部材の不正操作を好適に抑制することができる。
【０４１０】
また、連通孔を痕跡部によって覆うことで、痕跡部を破壊することなく結合部材へアクセスすることが困難となる。これにより、防犯機能の向上に好適に貢献することができる。
【０４１１】
特徴Ｂ１４．前記結合部材は、前記第２位置に配置された状態においては前記基板ケースにより同第２位置にて保持されることを特徴とする特徴Ｂ９乃至特徴Ｂ１３のいずれか１つに記載の遊技機。
【０４１２】
特徴Ｂ９等に示した構成においては、開放部を通じて挿入した工具によって結合部材を操作することにより、同結合部材を第２位置へと移動させることができる。しかしながら、係る構成においては、カバー部の取外時に作業者等が結合部材を第２位置にて保持する必要が生じ得る。この場合、上述した工具等がカバー部の取外作業を妨げられる要因になると想定される。
【０４１３】
この点、本特徴においては、結合部材は、基板ケースによって第２位置にて保持される。これにより、上述した不都合の発生を好適に抑えることができ、実用上好ましい構成を実現できる。
【０４１４】
特徴Ｂ１５．前記結合部材は、前記痕跡カバーによって囲まれた領域に配されており、
前記カバー部には、当該カバー部の内外に貫通しており、前記結合部材が前記第１位置から取り外される場合に同結合部材が通過する通過部（第１貫通孔５５６）が形成されており、
前記痕跡部は、当該痕跡部の少なくとも一部が前記通過部と前記結合部材との間に位置するようにして配置されていることを特徴とする特徴Ｂ１乃至特徴Ｂ７のいずれか１つに記載の遊技機。
【０４１５】
特徴Ｂ１５によれば、結合部材を基板ケースから取り外す際に痕跡部が破壊されることとなる。言い換えれば、痕跡部を迂回して、同痕跡部の破壊を回避しつつ結合部材を取り外すといった行為を困難なものとすることができる。
【０４１６】
なお、本特徴を以下のように変更することも可能である。すなわち、「前記痕跡部は、前記結合部材が前記第１位置から取り外される場合に通過する経路上に配置されていることを特徴とする特徴Ｂ１乃至特徴Ｂ７のいずれか１つに記載の遊技機」とすることも可能である。
【０４１７】
特徴Ｂ１６．前記痕跡部は、当該痕跡部の少なくとも一部が前記挿入部を通じて前記結合部材が前記第２位置に配置される際に通過する経路上に配置されていることを特徴とする特徴Ｂ1乃至特徴Ｂ７のいずれか１つに記載の遊技機。
【０４１８】
特徴Ｂ１６によれば、基板ケースから取り外した結合部材を第２位置に配置する際に痕跡部が破壊されることとなる。言い換えれば、痕跡部を迂回して、同痕跡部の破壊を回避しつつカバー部の取外規制を解除することを困難なものとすることができる。これにより、上記痕跡を好適に残存させることができる。
【０４１９】
特徴Ｂ１７．前記結合部材は、前記痕跡カバーによって囲まれた領域に配されており、
前記カバー部には、当該カバー部の内外に貫通しており、前記結合部材が前記第１位置から取り外される場合に同結合部材が通過する通過部（第１貫通孔５５６）が形成されており、
前記痕跡部は、当該痕跡部の少なくとも一部が前記通過部と前記結合部材との間に位置するようにして配置されており、
前記通過部及び前記挿入部は、前記カバー部におけることなる箇所に配されていることを特徴とする特徴Ｂ１６に記載の遊技機。
【０４２０】
特徴Ｂ１７によれば、結合部材を基板ケースから取り外す場合と、結合部材によって上記取外規制を解除する場合とで異なる箇所にそれぞれ破壊痕跡が形成されることとなる。これにより、より広範囲に破壊痕跡を残存させることが可能となり、開封事実の確認作業の更なる容易化に貢献することができる。
【０４２１】
特徴Ｂ１８．前記結合部材は、前記第２位置に配された状態にて前記カバー部によって同第２位置に保持され、
前記痕跡部は、当該痕跡部の少なくとも一部が前記カバー部の取外方向への移動に追従して前記結合部材が移動する経路上に配置されており、
前記通過部及び前記挿入部は、前記カバー部の取外方向とは異なる方向にずらして配されていることを特徴とする特徴Ｂ１６に記載の遊技機。
【０４２２】
特徴Ｂ１８によればカバー部を取り外す際も破壊痕跡が形成されることとなる。このようにカバー部の取り外しによって形成された痕跡は、結合部材の基板ケースからの取り外しよって形成される痕跡とは異なる位置に存在することとなり、両痕跡が同一箇所で重複することが回避される。つまり、カバー部の取外操作によって形成される痕跡により、結合部材の取り外し時に形成される痕跡が吸収されることが回避される。これにより、より広範囲に破壊痕跡を残存させることが可能となり、開封事実の確認作業の更なる容易化に貢献することができる。
【０４２３】
例えば、痕跡部がシート状をなす構成においては、同痕跡部の拡がり方向に通過部及び挿入部をずらして配置するとよい。
【０４２４】
特徴Ｂ１９．前記痕跡部は、当該痕跡部の少なくとも一部が前記開放部と前記結合部材との間に配置されていることを特徴とする特徴Ｂ９乃至Ｂ１４のいずれか１つに記載の遊技機。
【０４２５】
特徴Ｂ１９によれば、痕跡部を迂回して結合部材を操作することが困難となる。これにより、結合部材を操作する際に痕跡部の破壊を要する構成とすることができ、上述した痕跡を好適に残存させることができる。
【０４２６】
特徴Ｂ２０．前記痕跡部は、当該痕跡部の少なくとも一部が、前記結合部材が前記第１位置から前記第２位置へ移動する場合に通過する経路上に位置するようにして配置されていることを特徴とする特徴Ｂ８乃至特徴Ｂ１４のいずれか１つに記載の遊技機。
【０４２７】
特徴Ｂ２０によれば、結合部材を第２位置へ移動させることにより、痕跡部が破壊されることとなる。これにより、痕跡部を破壊させることなく結合部材を第２位置へと移動させるといった行為が困難となり、上記痕跡を好適に残存させることができる。
【０４２８】
なお、本特徴に示す技術的思想を特徴Ｂ１９と組み合わせることも可能である。この場合、更なる防犯機能の向上が期待できる。
【０４２９】
以下に、以上の各特徴を適用し得る遊技機の基本構成を示す。
【０４３０】
パチンコ遊技機：遊技者が操作する操作手段（遊技球発射ハンドル４１）と、その操作手段の操作に基づいて遊技球を発射する遊技球発射手段（遊技球発射機構１１０）と、その発射された遊技球を所定の遊技領域に導く球通路（誘導レール１００）と、遊技領域内に配置された各遊技部品（釘８７等）とを備え、それら各遊技部品のうち所定の通過部（一般入賞口８１等）を遊技球が通過した場合に遊技者に特典を付与する遊技機。
【０４３１】
スロットマシン等の回胴式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにした遊技機。
【０４３２】
球使用ベルト式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにし、さらに、球受皿を設けてその球受皿から遊技球を取り込む投入処理を行う投入装置と、前記球受皿に遊技球の払出を行う払出装置とを備え、投入装置により遊技球が投入されることにより前記始動用操作手段の操作が有効となるように構成した遊技機。
【符号の説明】
【０４３３】
１０…遊技機としてのパチンコ機、１８０…主制御装置、３１０…制御基板としての主制御基板、３１１…ＭＰＵチップ、３２０…基板ケースとしての基板ボックス、３４１…突出部としての取付ベース、３５０…ケース構成体としての表側構成体、３８１…表側取付ベース部、３８４…連通孔、３８５…スリット、３８６…ネジ受け部、３８６ａ…ネジ孔、３９４…ネジ受け部、３９４ａ…ネジ孔、４１１…解除部材又は結合部材としてのネジ、４５０…ケース構成体としての裏側構成体、４８１…裏側取付ベース部、４８３…ネジ孔、４８４…第２係止部としてのストッパ部、５００…痕跡部としての封印シール、５５０…痕跡カバーとしてのカバー部材、５５６…通過部としての第１貫通孔、５５７…保持部としてのネジ受け部、５５７ａ…挿入部としてのネジ孔、５５８…第２貫通孔、６００…規制手段を構成する取外規制部材、６０４…第１係止部としての第１折曲部、６０５…第２折曲部、３２０Ｘ…基板ケースとしての基板ボックス、３４１Ｘ…突出部としての取付ベース、３５０Ｘ…ケース構成体としての表側構成体、４１１Ｘ…結合部材としてのネジ、４１１ａＸ…軸部、５５０Ｘ…カバー部としてのカバー部材、５５７ａＸ…挿入部としてのネジ孔、６００Ｘ…取外規制手段としての取外規制部材、６０４Ｘ…第１折曲部、３２０Ｙ…基板ケースとしての基板ボックス、３４１Ｙ…突出部としての取付ベース、３５０Ｙ…ケース構成体としての表側構成体、５５０Ｘ…カバー部としてのカバー部材、５５７ａＸ…挿入部としてのネジ孔、６００Ｘ…取外規制手段としての取外規制部材、６０４Ｘ…第１折曲部、Ｔ１…溝部、Ｔ２…溝部、Ｔ３…溝部。
【図１】
0005428905.tif 000002
【図２】
0005428905.tif 000003
【図３】
0005428905.tif 000004
【図４】
0005428905.tif 000005
【図５】
0005428905.tif 000006
【図６】
0005428905.tif 000007
【図７】
0005428905.tif 000008
【図８】
0005428905.tif 000009
【図９】
0005428905.tif 000010
【図１０】
0005428905.tif 000011
【図１１】
0005428905.tif 000012
【図１２】
0005428905.tif 000013
【図１３】
0005428905.tif 000014
【図１４】
0005428905.tif 000015
【図１５】
0005428905.tif 000016
【図１６】
0005428905.tif 000017
【図１７】
0005428905.tif 000018
【図１８】
0005428905.tif 000019
【図１９】
0005428905.tif 000020
【図２０】
0005428905.tif 000021
【図２１】
0005428905.tif 000022
【図２２】
0005428905.tif 000023
【図２３】
0005428905.tif 000024
【図２４】
0005428905.tif 000025
【図２５】
0005428905.tif 000026
【図２６】
0005428905.tif 000027
【図２７】
0005428905.tif 000028
【図２８】
0005428905.tif 000029
【図２９】
0005428905.tif 000030
【図３０】
0005428905.tif 000031
【図３１】
0005428905.tif 000032
【図３２】
0005428905.tif 000033
【図３３】
0005428905.tif 000034
【図３４】
0005428905.tif 000035